(57)【要約】  モバイルデバイスが、周波数誤差特性に基づいて、複数のセルトランシーバのうちの１つまたは複数からのダウンリンク信号のコヒーレント積分の最適またはほぼ最適な期間を決定することを可能にするために、サーバからモバイルデバイスに、複数のセルトランシーバのための周波数誤差特性を伝達するための技法が説明される。ダウンリンク信号のコヒーレント積分は、ロングタームエボリューション（ＬＴＥ）のための観測到着時間差（ＯＴＤＯＡ）方法など、ダウンリンク地上測位方法をサポートするためのものであり得、ダウンリンク信号は、測位基準信号（ＰＲＳ）であり得る。モバイルデバイスは、非コヒーレント積分を使用して、コヒーレント積分結果を結合することによって、コヒーレント積分のための最適な期間よりも長い期間にわたって、ダウンリンク信号積分を実行し得る。最適な期間は、最大またはほぼ最大の信号対雑音比を達成し得る。
2018525943.tif 000002
【特許請求の範囲】
【請求項１】
モバイルデバイスにおける方法であって、
ダウンリンク地上測位方法のための測位支援データを備える、サーバからの１つまたは複数のメッセージを取得することと、前記測位支援データが複数のセルトランシーバを識別し、前記測位支援データが、前記複数のセルトランシーバのうちの少なくとも１つのための１つまたは複数の周波数誤差特性をさらに備える、
前記ダウンリンク地上測位方法に従って、前記複数のセルトランシーバのうちの少なくとも１つのためのダウンリンク信号の特性を測定するために、前記周波数誤差特性のうちの少なくとも１つに基づいて、コヒーレント積分の使用を決定することと
を備える方法。
【請求項２】
前記コヒーレント積分の使用に少なくとも部分的に基づいて、前記ダウンリンク信号の前記特性を測定すること
をさらに備える、請求項１に記載の方法。
【請求項３】
前記複数のセルトランシーバのうちの前記少なくとも１つのための前記ダウンリンク信号の前記特性を測定することが、
１つまたは複数のコヒーレント積分結果を取得することと、ここにおいて、各コヒーレント積分結果が、前記コヒーレント積分の使用に従って、前記複数のセルトランシーバのうちの前記少なくとも１つのための前記ダウンリンク信号の連続サンプルをコヒーレント積分することによって取得される、
コヒーレント積分結果の数が１である場合、１つのコヒーレント積分結果を測定することと、
前記１つまたは複数のコヒーレント積分結果の数が１を超える場合、前記１つまたは複数のコヒーレント積分結果の結合を測定することと、ここにおいて、前記１つまたは複数のコヒーレント積分結果の前記結合が、非コヒーレント積分を使用して決定される
を備える、請求項２に記載の方法。
【請求項４】
前記コヒーレント積分の使用に従って、前記複数のセルトランシーバのうちの前記少なくとも１つのための前記ダウンリンク信号の連続サンプルを前記コヒーレント積分するための、周波数ソースを決定すること、ここにおいて、前記周波数ソースが、前記複数のセルトランシーバのうちの１つを備え、前記周波数ソースが、前記周波数ソースのための周波数誤差特性に少なくとも部分的に基づいて決定される
をさらに備える、請求項３に記載の方法。
【請求項５】
前記複数のセルトランシーバのうちの前記少なくとも１つのための前記ダウンリンク信号の前記測定された特性に少なくとも部分的に基づいて、前記モバイルデバイスの推定ロケーションを取得すること
をさらに備える、請求項４に記載の方法。
【請求項６】
前記ダウンリンク地上測位方法が、ロングタームエボリューション（ＬＴＥ）のための観測到着時間差（ＯＴＤＯＡ）方法を備え、ここにおいて、前記ダウンリンク信号が、測位基準信号（ＰＲＳ）を備える、請求項４に記載の方法。
【請求項７】
前記複数のセルトランシーバのうちの前記少なくとも１つのための前記ＰＲＳが、各ＰＲＳ測位機会において複数の２つ以上の連続サブフレームを備える、請求項６に記載の方法。
【請求項８】
前記コヒーレント積分の使用を決定することが、ＰＲＳ測位機会のためのコヒーレント積分のための連続サブフレームの最大数を決定することを備える、請求項６に記載の方法。
【請求項９】
前記支援データが、第１の基準セルトランシーバのための識別子をさらに備え、前記方法が、
第２の基準セルトランシーバを決定すること、ここにおいて、前記第２の基準セルトランシーバが、前記第１の基準セルトランシーバ、または前記複数のセルトランシーバ内の別のセルトランシーバのいずれかであり、ここにおいて、前記第２の基準セルトランシーバが前記第１の基準セルトランシーバとは異なる場合、前記第２の基準セルトランシーバの前記決定が、前記第２の基準セルトランシーバのための周波数誤差特性に少なくとも部分的に基づき、ここにおいて、前記支援データが、前記第２の基準セルトランシーバのための前記周波数誤差特性を備える
をさらに備える、請求項６に記載の方法。
【請求項１０】
前記周波数ソースが、前記第２の基準セルトランシーバを備える、請求項９に記載の方法。
【請求項１１】
前記複数のセルトランシーバのうちの前記少なくとも１つのための前記１つまたは複数の周波数誤差特性のうちの少なくとも１つが、予想キャリア周波数誤差を備える、請求項１に記載の方法。
【請求項１２】
前記複数のセルトランシーバのうちの前記少なくとも１つのための前記１つまたは複数の周波数誤差特性のうちの少なくとも１つが、キャリア周波数誤差のクラスを備える、請求項１に記載の方法。
【請求項１３】
モバイルデバイスであって、
ワイヤレス通信ネットワークにメッセージを送信し、前記ワイヤレス通信ネットワークからメッセージを受信するためのワイヤレストランシーバと、
前記ワイヤレストランシーバに結合され、
ダウンリンク地上測位方法のための測位支援データを備える、サーバから前記ワイヤレストランシーバにおいて受信された１つまたは複数のメッセージを取得することと、前記測位支援データが複数のセルトランシーバを識別し、前記測位支援データが、前記複数のセルトランシーバのうちの少なくとも１つのための１つまたは複数の周波数誤差特性をさらに備える、
前記ダウンリンク地上測位方法に従って、前記複数のセルトランシーバのうちの少なくとも１つのためのダウンリンク信号の特性を測定するために、前記周波数誤差特性のうちの少なくとも１つに基づいて、コヒーレント積分の使用を決定することと
を行うように構成されたプロセッサと
を備えるモバイルデバイス。
【請求項１４】
前記プロセッサが、前記決定されたコヒーレント積分の使用に基づいて、前記ダウンリンク信号の前記特性を測定するようにさらに構成される、請求項１３に記載のモバイルデバイス。
【請求項１５】
前記プロセッサが、
１つまたは複数のコヒーレント積分結果を取得することと、ここにおいて、各コヒーレント積分結果が、前記コヒーレント積分の使用に従って、前記複数のセルトランシーバのうちの前記少なくとも１つのための前記ダウンリンク信号の連続サンプルをコヒーレント積分することによって取得される、
コヒーレント積分結果の数が１である場合、１つのコヒーレント積分結果を測定することと、
前記１つまたは複数のコヒーレント積分結果の数が１を超える場合、前記１つまたは複数のコヒーレント積分結果の結合を測定することと、ここにおいて、前記１つまたは複数のコヒーレント積分結果の前記結合が、非コヒーレント積分を使用して決定される
を行うようにさらに構成される、請求項１４に記載のモバイルデバイス。
【請求項１６】
前記プロセッサが、
前記複数のセルトランシーバのうちの前記少なくとも１つのための前記ダウンリンク信号の前記測定された特性に少なくとも部分的に基づく測定値を備える、前記サーバへの、前記ワイヤレストランシーバを通した１つまたは複数のメッセージの送信を開始すること、ここにおいて、前記サーバが、前記測定値に少なくとも部分的に基づいて、前記モバイルデバイスのためのロケーション推定値を決定することが可能である
を行うようにさらに構成される、請求項１４に記載のモバイルデバイス。
【請求項１７】
前記測定値が、基準信号時間差（ＲＳＴＤ）測定値を備える、請求項１６に記載のモバイルデバイス。
【請求項１８】
前記ダウンリンク地上測位方法が、ロングタームエボリューション（ＬＴＥ）のための観測到着時間差（ＯＴＤＯＡ）方法を備え、ここにおいて、前記ダウンリンク信号が、測位基準信号（ＰＲＳ）を備える、請求項１３に記載のモバイルデバイス。
【請求項１９】
前記複数のセルトランシーバのうちの前記少なくとも１つのための前記ＰＲＳが、各ＰＲＳ測位機会において複数の２つ以上の連続サブフレームを備える、請求項１８に記載のモバイルデバイス。
【請求項２０】
前記プロセッサが、ＰＲＳ測位機会のためのコヒーレント積分のための連続サブフレームの最大数の決定に基づいて、前記コヒーレント積分の使用を決定するようにさらに構成される、請求項１９に記載のモバイルデバイス。
【請求項２１】
前記支援データが、第１の基準セルトランシーバのための識別子をさらに備え、ここにおいて、前記プロセッサが、
第２の基準セルトランシーバを決定すること、ここにおいて、前記第２の基準セルトランシーバが、前記第１の基準セルトランシーバ、または前記複数のセルトランシーバ内の別のセルトランシーバのいずれかであり、ここにおいて、前記第２の基準セルトランシーバが前記第１の基準セルトランシーバとは異なる場合、前記第２の基準セルトランシーバの前記決定が、前記第２の基準セルトランシーバのための周波数誤差特性に少なくとも部分的に基づき、ここにおいて、前記支援データが、前記第２の基準セルトランシーバのための前記周波数誤差特性を備える
を行うようにさらに構成される、請求項１８に記載のモバイルデバイス。
【請求項２２】
前記プロセッサが、少なくとも部分的に、コヒーレント積分の最大時間期間を決定することによって、前記コヒーレント積分の使用を決定するようにさらに構成される、請求項１３に記載のモバイルデバイス。
【請求項２３】
前記複数のセルトランシーバのうちの前記少なくとも１つのための前記１つまたは複数の周波数誤差特性のうちの少なくとも１つが、基準セルトランシーバとしての前記複数のセルトランシーバのうちの前記少なくとも１つの適合性または不適合性の指示を備える、請求項１３に記載のモバイルデバイス。
【請求項２４】
前記１つまたは複数のメッセージが、ロングタームエボリューション（ＬＴＥ）測位プロトコル（ＬＰＰ）に従って取得される、請求項１３に記載のモバイルデバイス。
【請求項２５】
非一時的記憶媒体であって、
ダウンリンク地上測位方法のための測位支援データを備える、サーバから受信された１つまたは複数のメッセージを取得することと、前記測位支援データが複数のセルトランシーバを識別し、前記測位支援データが、前記複数のセルトランシーバのうちの少なくとも１つのための１つまたは複数の周波数誤差特性をさらに備える、
前記ダウンリンク地上測位方法に従って、前記複数のセルトランシーバのうちの少なくとも１つのためのダウンリンク信号の特性を測定するために、前記周波数誤差特性のうちの少なくとも１つに基づいて、コヒーレント積分の使用を決定することと
を行うために、モバイルデバイスのプロセッサによって実行可能である、その上に記憶されたコンピュータ可読命令を備える、非一時的記憶媒体。
【請求項２６】
前記命令が、前記使用に基づいて、前記ダウンリンク信号の前記特性を測定するために、前記プロセッサによってさらに実行可能である、請求項２５に記載の記憶媒体。
【請求項２７】
前記命令が、
１つまたは複数のコヒーレント積分結果を取得することと、ここにおいて、各コヒーレント積分結果が、前記コヒーレント積分の使用に従って、前記複数のセルトランシーバのうちの前記少なくとも１つのための前記ダウンリンク信号の連続サンプルをコヒーレント積分することによって取得される、
コヒーレント積分結果の数が１である場合、１つのコヒーレント積分結果を測定することと、
前記１つまたは複数のコヒーレント積分結果の数が１を超える場合、前記１つまたは複数のコヒーレント積分結果の結合を測定することと、ここにおいて、前記１つまたは複数のコヒーレント積分結果の前記結合が、非コヒーレント積分を使用して決定される
を行うために、前記プロセッサによってさらに実行可能である、請求項２６に記載の記憶媒体。
【請求項２８】
モバイルデバイスであって、
ダウンリンク地上測位方法のための測位支援データを備える、サーバからの１つまたは複数のメッセージを取得するための手段と、前記測位支援データが複数のセルトランシーバを識別し、前記測位支援データが、前記複数のセルトランシーバのうちの少なくとも１つのための１つまたは複数の周波数誤差特性をさらに備える、
前記ダウンリンク地上測位方法に従って、前記複数のセルトランシーバのうちの少なくとも１つのためのダウンリンク信号の特性を測定するために、前記周波数誤差特性のうちの少なくとも１つに基づいて、コヒーレント積分の使用を決定するための手段と
を備えるモバイルデバイス。
【請求項２９】
前記使用に基づいて、前記ダウンリンク信号の前記特性を測定するための手段
をさらに備える、請求項２８に記載のモバイルデバイス。
【請求項３０】
１つまたは複数のコヒーレント積分結果を取得するための手段と、ここにおいて、各コヒーレント積分結果が、前記コヒーレント積分の使用に従って、前記複数のセルトランシーバのうちの前記少なくとも１つのための前記ダウンリンク信号の連続サンプルをコヒーレント積分することによって取得される、
コヒーレント積分結果の数が１である場合、１つのコヒーレント積分結果を測定するための手段と、
前記１つまたは複数のコヒーレント積分結果の数が１を超える場合、前記１つまたは複数のコヒーレント積分結果の結合を測定するための手段と、ここにおいて、前記１つまたは複数のコヒーレント積分結果の前記結合が、非コヒーレント積分を使用して決定される
をさらに備える、請求項２９に記載のモバイルデバイス。
【発明の詳細な説明】
【技術分野】
【０００１】
関連出願
本ＰＣＴ出願は、その全体が参照により本明細書に組み込まれる、２０１５年８月２８日に出願された、「Ｓｕｐｐｏｒｔ  ｏｆ  ＯＴＤＯＡ  Ｐｏｓｉｔｉｏｎｉｎｇ  Ｕｓｉｎｇ  Ｃｏｈｅｒｅｎｔ  ａｎｄ  Ｎｏｎ−Ｃｏｈｅｒｅｎｔ  Ｓｉｇｎａｌ  Ａｃｑｕｉｓｉｔｉｏｎ」という名称の米国仮特許出願第６２／２１１，６１１号、および２０１６年４月１８日に出願された、「Ｓｕｐｐｏｒｔ  ｏｆ  Ｄｏｗｎｌｉｎｋ  Ｐｏｓｉｔｉｏｎｉｎｇ  Ｕｓｉｎｇ  Ｃｏｈｅｒｅｎｔ  Ａｎｄ  Ｎｏｎ−Ｃｏｈｅｒｅｎｔ  Ｓｉｇｎａｌ  Ａｃｑｕｉｓｉｔｉｏｎ」という名称の米国非仮特許出願第１５／１３１，８３８号の利益と優先権とを主張する。
【背景技術】
【０００２】
[0001]ワイヤレス通信システムは、第１世代アナログワイヤレス電話サービス（１Ｇ）、第２世代（２Ｇ）デジタルワイヤレス電話サービス（中間の２．５Ｇネットワークを含む）、ならびに第３世代（３Ｇ）および第４世代（４Ｇ）高速データ／インターネット対応ワイヤレスサービスを含む様々な世代を通じて発展してきた。
【０００３】
[0002]より最近では、モバイルフォンおよび他のモバイル端末向けの高速データおよびパケット化音声のワイヤレス通信用の無線アクセスネットワーク技術として、ロングタームエボリューション（ＬＴＥ（登録商標））が第３世代パートナーシッププロジェクト（３ＧＰＰ（登録商標））によって開発されている。ＬＴＥは、モバイル通信用グローバルシステム（ＧＳＭ（登録商標））システムから、ならびにＧＳＭ進化型高速データレート（ＥＤＧＥ）、ユニバーサルモバイル電気通信システム（ＵＭＴＳ）、および高速パケットアクセス（ＨＳＰＡ）などのＧＳＭの派生物から進化している。
【０００４】
[0003]北米では、ＬＴＥなどのワイヤレス通信システムは、緊急発呼者を適切な公共リソースとリンクさせる拡張９１１すなわちＥ９１１のためのソリューションを使用する。このソリューションは、発呼者すなわち発呼者のユーザ機器（ＵＥ）を、住所または地理的な座標などの特定のロケーションに自動的に関連付けようと試みる。高い精度（たとえば、５０メートル以下の距離誤差）で発呼者を自動的に位置特定し、公共安全応答ポイント（ＰＳＡＰ）にロケーションを提供することは、特に発呼者が彼／彼女のロケーションを通信できない（たとえば、ロケーションを知らないか、または十分に話をすることができない）ことがある場合、公共安全側が緊急の間に必要なリソースを位置特定できるスピードを引き上げることができる。
【０００５】
[0004]ＵＥを地理的に位置特定するために、いくつかの手法がある。１つは、ワイヤレスネットワーク基地局およびアクセスポイント（ＡＰ）によって送信された信号の、ＵＥによって行われた測定に基づく、ある形態の地上波無線位置特定を使用することである。測定される基地局がＵＥから遠くにある（たとえば、数マイル以上遠い）、または、他の基地局からの送信からの強力な干渉がある場合には、ＵＥは、基地局から好適な基準信号を捕捉し、測定するために、ある時間期間（たとえば、１ミリ秒（ｍｓ）から最大１００ｍｓ）にわたるコヒーレントまたは非コヒーレント積分を採用し得る。当技術分野でよく知られているように、信号の位相と振幅の両方が経時的に累積される、コヒーレント積分は、たとえば、弱い信号、または強い干渉を伴う信号の、より良い信号対雑音比（Ｓ／Ｎ）と、より正確な測定とを可能にすることができる。しかし、観測され得るように、コヒーレント積分は、測定される信号の周波数およびコーディングの正確な知識に依存することがあり、周波数および／またはコーディングが正確に知られていないとき、信号の電力のみが経時的に累積される非コヒーレント積分よりも悪い性能を発揮することがある。たとえば、コヒーレント積分は、（たとえば、数パーツパーミリオン（ｐｐｍ）だけ）測定されている基地局のキャリア周波数とは異なる測定値を積分するための、周波数（またはクロック）ソースを使用するＵＥでは、非コヒーレント積分よりも悪い性能を発揮することがある。状況によっては、ＵＥは、その周波数ソースが、コヒーレント積分を有効にするために十分な精度のものであるか否か、または、非コヒーレント積分を使用することによって、より高い測定精度が達成され得るか否かを知らないことがある。したがって、ＵＥが、改善された、または最適な測定精度を達成するために、いつ非コヒーレント積分に対してコヒーレント積分を使用するべきかを決定することを可能にする、システムおよび方法が利益になり得る。
【発明の概要】
【０００６】
[0005]手短に言えば、本明細書で説明される特定の実装形態は、ダウンリンク地上測位方法のための測位支援データを備える、サーバからの１つまたは複数のメッセージを取得することと、測位支援データが複数のセルトランシーバを識別し、測位支援データが、複数のセルトランシーバのうちの少なくとも１つのための１つまたは複数の周波数誤差特性をさらに備える、ダウンリンク地上測位方法に従って、複数のセルトランシーバのうちの少なくとも１つのためのダウンリンク信号の特性を測定するために、周波数誤差特性のうちの少なくとも１つに基づいて、コヒーレント積分の使用を決定することとを備える、モバイルデバイスにおける方法に向けられる。
【０００７】
[0006]別の特定の実装形態は、ワイヤレス通信ネットワークにメッセージを送信し、ワイヤレス通信ネットワークからメッセージを受信するためのワイヤレストランシーバと、ワイヤレストランシーバに結合され、ダウンリンク地上測位方法のための測位支援データを備える、サーバからワイヤレストランシーバにおいて受信された１つまたは複数のメッセージを取得することと、測位支援データが複数のセルトランシーバを識別し、測位支援データが、複数のセルトランシーバのうちの少なくとも１つのための１つまたは複数の周波数誤差特性をさらに備える、ダウンリンク地上測位方法に従って、複数のセルトランシーバのうちの少なくとも１つのためのダウンリンク信号の特性を測定するために、周波数誤差特性のうちの少なくとも１つに基づいて、コヒーレント積分の使用を決定することとを行うように構成された、プロセッサとを備える、モバイルデバイスに向けられる。
【０００８】
[0007]別の特定の実装形態は、ダウンリンク地上測位方法のための測位支援データを備える、サーバから受信された１つまたは複数のメッセージを取得することと、測位支援データが複数のセルトランシーバを識別し、測位支援データが、複数のセルトランシーバのうちの少なくとも１つのための１つまたは複数の周波数誤差特性をさらに備える、ダウンリンク地上測位方法に従って、複数のセルトランシーバのうちの少なくとも１つのためのダウンリンク信号の特性を測定するために、周波数誤差特性のうちの少なくとも１つに基づいて、コヒーレント積分の使用を決定することとを行うために、モバイルデバイスのプロセッサによって実行可能である、その上に記憶されたコンピュータ可読命令を備える、非一時的記憶媒体に向けられる。
【０００９】
[0008]別の特定の実装形態は、ダウンリンク地上測位方法のための測位支援データを備える、サーバからの１つまたは複数のメッセージを取得するための手段と、測位支援データが複数のセルトランシーバを識別し、測位支援データが、複数のセルトランシーバのうちの少なくとも１つのための１つまたは複数の周波数誤差特性をさらに備える、ダウンリンク地上測位方法に従って、複数のセルトランシーバのうちの少なくとも１つのためのダウンリンク信号の特性を測定するために、周波数誤差特性のうちの少なくとも１つに基づいて、コヒーレント積分の使用を決定するための手段とを備える、モバイルデバイスに向けられる。
【００１０】
[0009]別の特定の実装形態は、測位支援データを備える、モバイルデバイスへの１つまたは複数のメッセージを送信すること、測位支援データが、ダウンリンク地上測位方法におけるダウンリンク信号の特性を測定することにおける、モバイルデバイスによる使用のためのものであり、複数のセルトランシーバを識別し、測位支援データが、複数のセルトランシーバのうちの少なくとも１つのための１つまたは複数の周波数誤差特性をさらに備える、を備える、サーバにおける方法に向けられる。
【００１１】
[0010]別の特定の実装形態は、通信サブシステムと、通信サブシステムに結合された１つまたは複数のプロセッサと、１つまたは複数のプロセッサが、測位支援データを備える、モバイルデバイスへの、通信サブシステムを通した１つまたは複数のメッセージの送信を開始すること、測位支援データが、ダウンリンク地上測位方法におけるダウンリンク信号の特性を測定することにおける、モバイルデバイスによる使用のためのものであり、複数のセルトランシーバを識別し、測位支援データが、複数のセルトランシーバのうちの少なくとも１つのための１つまたは複数の周波数誤差特性をさらに備える、を行うように構成される、を備える、サーバに向けられる。
【００１２】
[0011]別の特定の実装形態は、測位支援データを備える、モバイルデバイスへの１つまたは複数の第１のメッセージの送信を開始すること、測位支援データが、ダウンリンク地上測位方法におけるダウンリンク信号の特性を測定することにおける、モバイルデバイスによる使用のためのものであり、複数のセルトランシーバを識別し、測位支援データが、複数のセルトランシーバのうちの少なくとも１つのための１つまたは複数の周波数誤差特性をさらに備える、を行うために、サーバの１つまたは複数のプロセッサによって実行可能である、その上に記憶されたコンピュータ可読命令を備える、記憶媒体に向けられる。
【００１３】
[0012]別の特定の実装形態は、測位支援データを備える、モバイルデバイスへの１つまたは複数のメッセージを送信するための手段、測位支援データが、ダウンリンク地上測位方法におけるダウンリンク信号の特性を測定することにおける、モバイルデバイスによる使用のためのものであり、複数のセルトランシーバを識別し、測位支援データが、複数のセルトランシーバのうちの少なくとも１つのための１つまたは複数の周波数誤差特性をさらに備える、を備える、サーバに向けられる。
【００１４】
[0013]上述の実装形態は例示的な実装形態にすぎず、請求される主題は、必ずしもこれらの例示的な実装形態の特定の態様に限定されるとは限らないことを理解されたい。
【図面の簡単な説明】
【００１５】
【図１】[0014]ユーザ機器の一実施形態の構成要素のブロック図。
【図２】[0015]３ＧＰＰロングタームエボリューション（ＬＴＥ）アクセスを用いた地上測位のための例示的なアーキテクチャの図。
【図３】[0016]いくつかの実施形態による、測位のサポートのための例示的なワイヤレス通信ネットワークの高レベルアーキテクチャの図。
【図４】[0017]ＯＴＤＯＡ測位のための例示的なＰＲＳデューティサイクルを示す図。
【図５】[0018]ＯＴＤＯＡ測位のためのコヒーレント積分された信号の一例を示す図。
【図６】[0019]ＯＴＤＯＡ測位のためのコヒーレント積分を使用する最大信号利得の一例を示す図。
【図７】[0020]ＯＴＤＯＡ測位のための信号対雑音比を最適化する一例を示す図。
【図８】[0021]一実施形態による、ＯＴＤＯＡ測位のための非コヒーレント信号積分の一例を示す図。
【図９Ａ】[0022]一実施形態による、ＯＴＤＯＡを使用する例示的な測位手順のメッセージフロー図。
【図９Ｂ】[0023]一実施形態による、信号の捕捉におけるコヒーレント積分の使用を決定するためのプロセスのフロー図。
【図９Ｃ】[0024]一実施形態による、モバイルデバイスのロケーションを示す測定を容易にするためのプロセスのフロー図。
【図１０】[0025]コヒーレントおよび／または非コヒーレント積分を使用する、ＵＥにおけるダウンリンク測位を実行するための例示的なプロセスのブロックフロー図。
【図１１】[0026]一実施形態による、図１０における段階のいくつかを実行するための例示的なプロセスのブロックフロー図。
【図１２】[0027]コヒーレントおよび／または非コヒーレント積分を使用する、サーバにおけるダウンリンク測位をサポートするための例示的なプロセスのブロックフロー図。
【図１３】[0028]測位における使用のためのコンピュータシステムの一実施形態の構成要素のブロック図。
【発明を実施するための形態】
【００１６】
[0029]異なる図における同様の番号は、ある図におけるいかなる要素についての説明も、別の図における同じ番号を付けられた要素に等しく適用されるように、同様の要素を示すために使用される。
【００１７】
[0030]セルラーテレフォニーシステムにおいて地理的にＵＥを位置特定するために、いくつかの手法がある。１つは、ワイヤレスネットワーク基地局およびアクセスポイント（ＡＰ）によって送信された信号の、ＵＥによって行われた測定に基づく、ならびに／またはＵＥによって送信された信号の、ネットワーク要素（たとえば、基地局および／またはＡＰ）によって行われた測定に基づく、ある形態の地上波無線位置特定を使用することである。別の手法は、ＵＥ自体に内蔵された全地球測位システム（ＧＰＳ）受信機、またはグローバルナビゲーション衛星システム（ＧＮＳＳ）受信機を使用することである。
【００１８】
[0031]発展型ノードＢ（ｅノードＢまたはｅＮＢ）と呼ばれるＬＴＥ基地局の測定に適用可能であり、３ＧＰＰによって３ＧＰＰ技術仕様（ＴＳ）３６．２１１、３６．３０５、および３６．３５５において標準化されている、１つの地上波無線位置特定方法は、観測到着時間差（ＯＴＤＯＡ：Observed Time Difference of Arrival）である。ＯＴＤＯＡは、ＵＥが、１つの基準ｅノードＢおよび１つまたは複数の近隣ｅノードＢから受信された、基準信号と呼ばれる特定の信号の間の時間差を測定する、マルチラテレーション方法である。次いで、ＵＥは、それらの測定値からそれ自体でロケーション推定値を算出するか、または、ＵＥのロケーションの推定値を次いで算出する、拡張サービングモバイルロケーションセンター（Ｅ−ＳＭＬＣ）もしくはセキュアユーザプレーンロケーション（ＳＵＰＬ）ロケーションプラットフォーム（ＳＬＰ）などのロケーションサーバに、測定された時間差を報告するかのいずれかを行い得る。いずれの場合も、測定された時間差、ならびに測定されたｅノードＢのロケーションおよび相対的送信タイミングの知識が、ＵＥの位置を計算するために使用される。
【００１９】
[0032]（ＵＥにおける異なる基地局間の時間差を測定する際の）ＯＴＤＯＡと同様である別の位置方法は、第３世代パートナーシッププロジェクト２（３ＧＰＰ２）によって規定されるように、ＣＤＭＡ２０００ネットワークにアクセスしているＵＥを位置特定するために使用され得る、アドバンストフォワードリンク三辺測量（ＡＦＬＴ：Advanced Forward Link Trilateration）として知られている。ＯＴＤＯＡとＡＦＬＴの両方は、（たとえば、ＵＥが基準信号を捕捉および測定することを助けるため、ならびに／または、測定値からＵＥのためのロケーション推定値を算出することを助けるために）測定される基地局およびＡＰについての情報を利用し得る。この情報は、測定される基地局およびＡＰのロケーション（たとえば、ロケーション座標）および送信特性（たとえば、送信タイミング、送信電力、信号コンテンツ、および信号特性）に関する情報を含み得、アルマナック、基地局アルマナック（ＢＳＡ：base station almanac）、アルマナックデータ、またはＢＳＡデータと呼ばれることがある。ＵＥによって、またはＥ−ＳＭＬＣもしくはＳＬＰなどのロケーションサーバによってのいずれかで、ＵＥのための位置を計算するために、（たとえば、ＯＴＤＯＡまたはＡＦＬＴのために）ＵＥによって測定される観測時間差が、測定される基地局（たとえば、ｅノードＢ）および／またはＡＰのための知られているＢＳＡとともに使用され得る。
【００２０】
[0033]コヒーレントおよび非コヒーレント信号積分技法を使用する、ダウンリンク無線信号の捕捉および測定による、ＯＴＤＯＡおよびＡＦＬＴなどのダウンリンク測位方法（位置方法とも呼ばれる）をサポートするための技法が、本明細書で説明される。当技術分野でよく知られているように、コヒーレント積分は、信号の位相と振幅の両方の積分を含む積分であるのに対して、非コヒーレント積分は、信号の電力の積分のみを含む積分である。コヒーレント積分は、典型的には、（たとえば、信号タイミングの）より高い測定精度を可能にすることができる、より高い信号対雑音比（Ｓ／Ｎ）を達成することができるが、また、測定されている信号のタイミングおよび周波数の正確な知識に対して、（たとえば、本明細書で以下に示されるように）非コヒーレント積分よりも敏感である。
【００２１】
[0034]一実施形態によれば、ワイヤレス通信ネットワークは、異なる周波数もしくは異なるセットの周波数、異なる符号化、異なる送信時間、またはこれらの何らかの組合せの使用のために、他の近くのセルラートランシーバによってブロードキャストされたＰＲＳとは別個であり得る、測位基準信号（ＰＲＳ）を各々がブロードキャストする、１つまたは複数のセルラートランシーバを含み得る。受信機を備えるＵＥは、近くのセルトランシーバによって送信されたＰＲＳを測定し、たとえば、到着時間（ＴＯＡ）および／または基準信号時間差（ＲＳＴＤ：reference signal time difference）測定値を取得し得る。ＲＴＳＤの場合、測定値は、測定されるセルトランシーバ（本明細書では近隣セルと呼ばれる）によって送信されたＰＲＳと、ある基準セルトランシーバ（本明細書では基準セルと呼ばれる）によって送信されたＰＲＳとの間の到着時間における差を提供し得る。基準セルは、ＰＲＳが典型的に、サービングネットワークからのいかなる特殊な支援もなしに正確および迅速に測定され得るように、ＵＥにおいて良好な信号強度を提供するために、ＵＥによって、またはサーバによって選定され得る。いくつかの実施形態では、基準セルは、ＵＥのためのサービングセルであり得る。
【００２２】
[0035]任意の近隣セルのためのＰＲＳを捕捉および測定する際に、ＵＥは、ＰＲＳ捕捉および測定において支援し得るサービングネットワークによって（たとえば、サービングネットワークにおけるロケーションサーバによって）、支援データを提供され得る。たとえば、測定される必要があり得る各近隣セルについて、および基準セルについて、支援データは、セル識別情報（ＩＤ）と、セルキャリア周波数（または中心周波数）と、セルのためのＰＲＳ信号のために使用される１つまたは複数の周波数と、ＰＲＳ信号のための任意の周波数ホッピングシーケンスと、ＰＲＳコードシーケンス（たとえば、ＰＲＳのためのシンボルまたはビットのシーケンス）と、ＰＲＳ送信時間とを提供し得る。近隣セルについて、支援データはまた、基準セルからのＰＲＳ送信に対する近隣セルによるＰＲＳ送信のための時間オフセットと、ＵＥのサービングセルから推論されたものなどの近似ＵＥロケーションに基づく、予想される近似ＲＳＴＤ測定値とを提供し得る。次いで、ＵＥは、典型的には、提供された、ＰＲＳ信号のための１つまたは複数の周波数と、提供されたＰＲＳ送信時間のシーケンスとに従って、近隣セルキャリア周波数における受信信号を積分することによって、任意の近隣セルのためのＰＲＳ（たとえば、ＰＲＳのためのＴＯＡ）を測定し得る。ＵＥは、事前に厳密なＴＯＡを知らないことになるので、ＵＥは、異なる可能なＴＯＡのために測定されているセルのための提供されたＰＲＳ符号化と、積分信号を相関させ得、マルチパス信号によって引き起こされる後の相関ピークを除去するために、最も早い受信相関ピークに対応するＴＯＡを測定し得る。そのような信号積分および測定は、部分的にブラインド測定に対応し、その理由は、ＵＥが、測定されるセルの信号に対する直接視界を有していないことがある（たとえば、測定されるセルのキャリア周波数を直接検出すること、または信号コンテンツを復調および復号することができないことがある）からである。測定されるセルのキャリア周波数は、任意のＰＲＳ信号のための基礎を形成し、積分技法を使用してＰＲＳ信号を捕捉および測定するために正確に知られなければならないので、ＵＥは、キャリア周波数を予測するために、何らかの他の周波数またはクロックソースに依拠しなければならないことがある。ＵＥ自体のクロックソースは、典型的には不正確および不安定であるので、ＵＥは、好都合なことに、周波数ロックループを介して正確な周波数のソースとして、基準セル、または基準セルとは異なる場合はサービングセルを使用し得る。次いで、ＵＥは、基準セルまたはサービングセル周波数を近隣セル周波数に、これらの２つが異なる場合は変換し、近隣セルを測定することができる。しかしながら、基準（またはサービング）セルおよび／または近隣セルにおける周波数誤差が、この技法に制限を課すことがある。同様に、ＵＥのいかなる動きも、受信周波数においてドップラーシフトの形態で誤差を導入し得る。本明細書で説明される技法は、そのような周波数誤差が存在するとき、ＵＥが、改善された、さらには最適な方法で、コヒーレントおよび／または非コヒーレント積分を使用することを可能にし得る。
【００２３】
[0036]ＵＥが、ＯＴＤＯＡのために、いくつかの近隣セルのＰＲＳを正確に測定することを支援するために、サービングネットワーク（たとえば、ロケーションサーバ）は、基準セルのための周波数精度、および／または各近隣セルのための周波数精度に関して、ＵＥに情報を提供し得る。次いで、ＵＥは、ＵＥによって好まれる場合（たとえば、ネットワークによって、またはロケーションサーバによって最初に選定された任意の基準セルが、ＵＥにおける不十分な信号受信を提供する場合）、新しい基準セルを決定することを助けるために、そのような情報を使用し得る。ＵＥはまた、近隣セルからＰＲＳを測定しながら、コヒーレントおよび／または非コヒーレント積分を使用するための最適な期間を決定することを助けるためにも、そのような情報を使用し得る。サービングネットワークによって（たとえば、ロケーションサーバによって）各セルのために提供される周波数精度情報は、（ｉ）セルのための（たとえば、ｐｐｍの単位における）最大予想周波数誤差、（ｉｉ）（たとえば、ｐｐｍの単位における周波数誤差のある範囲に対応し得る）周波数誤差のクラス、または（ｉｉｉ）（たとえば、基準セルとしての使用のための適合性が、ある最大しきい値よりも低い周波数誤差を有することに対応するという理解の上で）特定のセルが基準セルとして使用され得るか否かを示す単一のフラグを備え得る。
【００２４】
[0037]コヒーレントおよび非コヒーレント積分を使用する、異なる基準信号の測定をサポートするための方法および技法についての、本明細書の後続の説明では、別段に明記されていない限り、３ＧＰＰ技術仕様（ＴＳ）３６．２１１、３６．３０５、および３６．３５５において、ＬＴＥについて３ＧＰＰによって規定されたＯＴＤＯＡ位置方法が仮定される。しかしながら、この方法および技法はまた、基地局およびＡＰから受信された基準信号または他のダウンリンク信号の態様の正確な測定に依拠する、ＵＥによってサポートされる他の位置方法にも適用可能であり得ることが諒解されよう。これらの他の方法は、ＡＦＬＴ、拡張セルＩＤ（ＥＣＩＤ）、ＷｉＦｉ（登録商標）測位（たとえば、ＩＥＥＥ８０２．１１ｘ規格によるダウンリンク信号に基づく）、およびＢｌｕｅｔｏｏｔｈ（登録商標）低エネルギー（ＢＴＬＥ）ビーコンなど、短距離ノード（ＳＲＮ）のための測位を含み得る。
【００２５】
[0038]本明細書で後でより詳細に説明されるようなＯＴＤＯＡでは、ＰＲＳ信号は、各々が１ｍｓの持続時間である１つまたは複数の連続ＬＴＥサブフレームにおいて送信される。ＰＲＳ信号がセル内で送信される、連続ＬＴＥサブフレームのセットは、測位機会と呼ばれる。３ＧＰＰ  ＴＳ３６．３５５においてＬＴＥ測位プロトコル（ＬＰＰ）について規定されているような、ＯＴＤＯＡの現行バージョンでは、ＰＲＳ測位機会は、１つと６つとの間の連続サブフレームを備え得る。しかしながら、より多くのサブフレーム（たとえば、最大１６０個の連続サブフレーム）が、ＬＰＰの後のバージョンにおいて可能にされ得る。
【００２６】
[0039]一実施形態によれば、ロケーションサーバ（たとえば、Ｅ−ＳＭＬＣまたはＳＬＰ）は、どのセルがより大きい誤差に対して小さいキャリア周波数誤差を有するかを、新しいＯＴＤＯＡ支援データを介して、ＵＥに示し得る。これは、いくつかの代替方法において、たとえば、（ｉ）各セルトランシーバのためのキャリア周波数最大誤差値を提供すること、（ｉｉ）各セルトランシーバのためのキャリア周波数誤差クラスを提供すること、または（ｉｉｉ）どのセルトランシーバが基準セルとして使用され得るか、および使用され得ないかを示すことによって行われ得る。次いで、ＵＥは、可能なときはいつでも、キャリア周波数ソース（たとえば、基準セル）として使用されるセルトランシーバが低いキャリア周波数誤差を有することを保証し得る。ＵＥはまた、隣接セルトランシーバのための任意の提供されたキャリア周波数誤差と、近隣セルが特定のＰＲＳ測位機会において送信し得る連続ＰＲＳサブフレームの数とに少なくとも部分的に基づいて、隣接セルトランシーバから送信されたＰＲＳのための改善された、または最適なコヒーレント積分時間を決定することもできる。よく知られているように、コヒーレント積分を使用することは、信号品質（たとえば、Ｓ／Ｎ）を改善することができ、コヒーレント積分条件が好適（たとえば、正確に知られているキャリア周波数）である場合、ＰＲＳ信号を測定するために、非コヒーレント積分を使用することと比較して、より高い位置特定精度をもたらし得る、（たとえば、ＴＯＡまたはＲＳＴＤ測定のための）より高い測定精度につながる。したがって、本明細書で説明される特定の実装形態は、以下でより詳細に説明されるように、基準セルおよび各近隣セルのためのキャリア周波数における示された最大誤差によって許容されるときはいつでも、コヒーレントＰＲＳ積分を使用するように試みることによって、ＯＴＤＯＡ性能を改善し得る。
【００２７】
[0040]本明細書でユーザ機器（ＵＥ）と呼ばれるクライアントデバイスは、モバイルまたは固定であり得、無線アクセスネットワーク（ＲＡＮ）と通信し得る。本明細書で使用される「ＵＥ」という用語は、「アクセス端末」または「ＡＴ」、「ワイヤレスデバイス」、「加入者デバイス」、「モバイルデバイス」、「加入者端末」、「加入者局」、「ユーザ端末」またはＵＴ、「モバイル端末」、「移動局」、ＳＵＰＬ対応端末（ＳＥＴ：SUPL enabled terminal）、ターゲットデバイス、ターゲットＵＥ、およびそれらの変形と互換的に呼ばれることがある。ＵＥは、セルフォン、スマートフォン、ラップトップ、タブレット、アセットタグ、ＰＤＡ、ＰＣカード、コンパクトフラッシュ（登録商標）デバイス、外部または内部モデム、マシンツーマシン（Ｍ２Ｍ）通信のために設計されたデバイス、あるいは直接の手段を介して、および／または１つもしくは複数のネットワーク、または１つもしくは複数のネットワーク要素を介して、他のＵＥおよび／または他のエンティティとワイヤレスに通信することを可能にされる、任意の他のデバイスであり得る。概して、ＵＥは、ＲＡＮを介してコアネットワークと通信することができ、コアネットワークを通じて（また、時にはＲＡＮを通じて）、ＵＥは、インターネットなどの外部ネットワークと接続され得る。ＲＡＮは、３ＧＰＰによって規定されるようなＧＳＭ、ＵＭＴＳ、およびＬＴＥ、または３ＧＰＰ２によって規定されるようなＣＤＭＡ２０００などのセルラーベースの無線技術を使用して、ＵＥからのワイヤレス通信をサポートし得る。ＵＥはまた、ワイヤードアクセスネットワーク、（たとえば、ＩＥＥＥ８０２．１１などに基づく）ＷｉＦｉネットワーク、Ｂｌｕｅｔｏｏｔｈネットワークなどを介してコアネットワークおよび／またはインターネットに接続するための、他の機構を採用し得る。ＵＥがそれを通じてＲＡＮに信号を送ることができる通信リンクは、アップリンクチャネル（たとえば、逆方向トラフィックチャネル、逆方向制御チャネル、アクセスチャネルなど）と呼ばれる。それを通じてＲＡＮが信号をＵＥへ送ることができる通信リンクは、ダウンリンクまたは順方向リンクチャネル（たとえば、ページングチャネル、制御チャネル、ブロードキャストチャネル、順方向トラフィックチャネルなど）と呼ばれる。
【００２８】
[0041]ＵＥについて決定または推定されるロケーションは、ロケーション推定値、位置、位置推定値、位置定位もしくは定位と呼ばれることがあるか、または何らかの他の名称によって呼ばれることがあり、緯度、経度、および場合によっては高度などのロケーション座標を備え得る。場合によっては、ロケーション座標は局所的であり得、次いで、ｘ、ｙ、およびｚ（またはＸ、Ｙ、およびＺ）座標と時には呼ばれることがあり、ただし、ｘ（または、Ｘ）座標は、特定の方向における水平距離（たとえば、所与の知られている原点の東または西の距離）を指し、ｙ（または、Ｙ）座標は、ｘ（または、Ｘ）方向に対する直角における水平距離（たとえば、所与の知られている原点の北または南の距離）を指し、ｚ（または、Ｚ）座標は、垂直距離（たとえば、局所的な地上レベルの上または下の距離）を指す。ＵＥのロケーションを算出するとき、局所的なｘ、ｙ、および場合によってはｚ座標の値を求め、次いで、必要な場合、局所的な座標を（たとえば、緯度、経度、および平均海面の上または下の高度に対する）絶対的な座標に変換することが一般的である。ＵＥのロケーションはまた、都市のロケーションとして提供されることもあり、次いで、郵便宛先（たとえば、国、州、市、通り、および通りの番号）、ならびに／または、ビルの名称、よく知られている敷地またはランドマークの名称、ルーム番号、アパート番号もしくは部屋番号など、何らかの他の言葉および／もしくは数値の識別情報を備え得る。
【００２９】
[0042]図１を参照すると、そのために本明細書の様々な技法が利用され得るユーザ機器（ＵＥ）１００が示される。ＵＥ１００は、プロセッサ１１１（または、プロセッサコア）とメモリ１４０とを含む。ＵＥ１００は、随意に、パブリックバス１０１またはプライベートバス（図示されず）によってメモリ１４０に動作可能に接続された、信頼できる環境を含み得る。ＵＥ１００はまた、通信インターフェース１２０と、ワイヤレスネットワーク上でワイヤレスアンテナ１２２を介してワイヤレス信号１２３を送り受信するように構成されたワイヤレストランシーバ１２１とを含み得る。ワイヤレストランシーバ１２１は、通信インターフェース１２０を介してバス１０１に接続されている。ここで、ＵＥ１００は、単一のワイヤレストランシーバ１２１を有するものとして示される。しかしながら、ＵＥ１００は、代替として、Ｗｉ−Ｆｉ（登録商標）、符号分割多元接続（ＣＤＭＡ）、ワイドバンドＣＤＭＡ（ＷＣＤＭＡ（登録商標））、ロングタームエボリューション（ＬＴＥ）、ＢＬＵＥＴＯＯＴＨ（登録商標）短距離ワイヤレス通信技術などの複数の通信規格をサポートするために、複数のワイヤレストランシーバ１２１および／または複数のワイヤレスアンテナ１２２を有することができる。いくつかの実装形態では、ワイヤレスアンテナ１２２は、複数のアンテナ素子またはアンテナアレイを備え得る。
【００３０】
[0043]通信インターフェース１２０および／またはワイヤレストランシーバ１２１は、複数のキャリア（異なる周波数の波形信号）上での動作をサポートし得る。マルチキャリア送信機は、複数のキャリア上で同時に被変調信号を送信することができる。各被変調信号は、符号分割多元接続（ＣＤＭＡ）信号、時分割多元接続（ＴＤＭＡ）信号、直交周波数分割多元接続（ＯＦＤＭＡ）信号、シングルキャリア周波数分割多元接続（ＳＣ−ＦＤＭＡ）信号などであり得る。各被変調信号は、異なるキャリア上で送られ得、パイロット、オーバーヘッド情報、制御情報、データなどを搬送し得る。ワイヤレストランシーバ１２１および／または通信インターフェース１２０は、本明細書で説明される技法に従って、受信されたワイヤレス信号１２３のコヒーレントおよび非コヒーレント積分を実行するため、または実行を助けるために使用され得る。
【００３１】
[0044]ＵＥ１００はまた、ユーザインターフェース１５０（たとえば、ディスプレイ、グラフィカルユーザインターフェース（ＧＵＩ））と、（たとえば、ワイヤレスアンテナ１２２と同じであり得る）ＳＰＳアンテナ１５８を介して、（たとえば、ＧＰＳまたは他のＧＮＳＳ衛星から）ＳＰＳ信号１５９を受信する、衛星測位システム（ＳＰＳ：Satellite Positioning System）受信機１５５とを含み得る。ＳＰＳ受信機１５５は、単一のグローバルナビゲーション衛星システム（ＧＮＳＳ）から、または複数のそのようなシステムから信号を受信および測定することができる。ＧＮＳＳは、限定はしないが、全地球測位システム（ＧＰＳ）、Ｇａｌｉｌｅｏ、Ｇｌｏｎａｓｓ、Ｂｅｉｄｏｕ（Ｃｏｍｐａｓｓ）などを含むことができる。ＳＰＳ衛星は、衛星、スペースビークル（ＳＶ）などとも呼ばれられる。ＳＰＳ受信機１５５は、ＳＰＳ信号１５９を測定し、ＵＥ１００のロケーションを決定するためにＳＰＳ信号１５９の測定値を使用し得る。プロセッサ１１１、メモリ１４０、デジタル信号プロセッサ（ＤＳＰ）１１２、および／または専用プロセッサ（図示されず）も、ＳＰＳ受信機１５５とともに、ＳＰＳ信号１５９を全体的もしくは部分的に処理するために、および／またはＵＥ１００のロケーションを計算するために利用され得る。代替として、ＵＥ１００は、代わりにＵＥロケーションを算出するロケーションサーバ（たとえば、Ｅ−ＳＭＬＣまたはＳＬＰ）へのＳＰＳ測定値の転送をサポートし得る。ＳＰＳ信号１５９または他のロケーション信号からの情報の記憶は、メモリ１４０またはレジスタ（図示されず）を使用して実行される。１つのプロセッサ１１１、１つのＤＳＰ１１２、および１つのメモリ１４０しか図１に示されないが、これらの構成要素のいずれか、ペア、またはすべてのうちの２つ以上が、ＵＥ１００によって使用されてよい。ＵＥ１００に関連するプロセッサ１１１およびＤＳＰ１１２は、バス１０１に接続されている。
【００３２】
[0045]メモリ１４０は、ＤＳＰ１１２、汎用プロセッサ１１１、または両方による実行のために取出し可能である１つまたは複数の命令またはコードとして、手順（たとえば、本明細書で説明される技法をサポートするための手順）を記憶する、非一時的コンピュータ可読記憶媒体（または、複数の非一時的コンピュータ可読記憶媒体）を含み得る。メモリ１４０を構成することができる媒体は、限定はしないが、ＲＡＭ、ＲＯＭ、ＦＬＡＳＨ、ディスクドライブなどを含む。概して、メモリ１４０によって記憶される機能は、汎用プロセッサ１１１、専用プロセッサ、またはＤＳＰ１１２によって実行される。したがって、メモリ１４０は、説明される機能をプロセッサ１１１および／またはＤＳＰ１１２に実行させるように構成されたソフトウェア（プログラミングコード、命令など）を記憶する、プロセッサ可読メモリおよび／またはコンピュータ可読メモリである。代替として、ＵＥ１００の１つまたは複数の機能は、全体的または部分的にハードウェアで実行されてもよい。
【００３３】
[0046]ＵＥ１００は、他の通信エンティティのために、もしくは他の通信エンティティから取得された情報（たとえば、他のエンティティのための信号測定値、および／または他のエンティティによって明示的に提供された情報）、および／またはＵＥ１００にとって利用可能な情報（たとえば、慣性センサー測定値）に基づいて、様々な技法を使用して、関連付けられたシステム内のその現在の位置を推定することができる。たとえば、ＵＥ１００は、基地局（たとえば、ＬＴＥ  ｅノードＢ）、１つまたは複数のワイヤレスローカルエリアネットワーク（ＷＬＡＮ）に関連付けられたアクセスポイント（ＡＰ）、ＢＬＵＥＴＯＯＴＨまたはＺＩＧＢＥＥ（登録商標）などの短距離ワイヤレス通信技術を利用するパーソナルエリアネットワーク（ＰＡＮ）、グローバルナビゲーション衛星システム（ＧＮＳＳ）または他の衛星測位システム（ＳＰＳ）衛星のために取得された信号測定値、および／あるいはマップサーバまたはロケーションサーバから取得されたマップデータを使用して、その位置を推定することができる。場合によっては、Ｅ−ＳＭＬＣ、ＳＬＰ、またはスタンドアロンサービングモバイルロケーションセンター（ＳＡＳ）であり得る、ロケーションサーバは、ＵＥ１００がロケーション関連測定値（たとえば、ＷＬＡＮ  ＡＰ、セルラー基地局、ＧＮＳＳ衛星の測定値）を作成することを可能にするかまたは支援するために、ＵＥ１００に支援データを提供し得る。ＵＥ１００は、次いで、ロケーション推定値を算出するためにロケーションサーバに測定値を提供し得るか（「ＵＥ支援型」測位として知られることがある）、または測定値に基づいて、場合によってはロケーションサーバによって提供される（たとえば、ＯＴＤＯＡプロセスおよびＡＦＬＴプロセスにおける使用のための、ＧＮＳＳ衛星のための軌道データおよびタイミングデータ、またはＷＬＡＮ  ＡＰおよび／もしくはセルラー基地局の精密なロケーション座標などの）他の支援データにも基づいて、ロケーション推定値をそれ自体で算出し得る（「ＵＥベース」測位として知られることがある）。
【００３４】
[0047]一実施形態では、ＵＥ１００は、たとえば、適切なレンズ構成を有する相補型金属酸化物半導体（ＣＭＯＳ）イメージセンサーなどのカメラ１３０（たとえば、前面および／または背面の）を含み得る。電荷結合デバイス（ＣＣＤ）および裏側照光型ＣＭＯＳなどの他のイメージング技術が使用されてよい。カメラ１３０は、ＵＥ１００の測位を支援するための画像情報を取得および提供するように構成され得る。一例では、画像認識プロセスと位置推定プロセスとを実行するために、１つまたは複数の外部の画像処理サーバ（たとえば、リモートサーバ）が使用され得る。ＵＥ１００は、同様にＵＥ１００のためのロケーションを算出するために使用され得るか、またはＵＥ１００のためのロケーションを算出することを支援するために使用され得る、他のセンサー１３５を含み得る。センサー１３５は、慣性センサー（たとえば、加速度計、ジャイロスコープ、磁力計、コンパス）、ならびに気圧計、温度計、湿度計、および／または他のセンサーを含み得る。
【００３５】
[0048]図１をさらに参照しながら、図２を参照すると、ネットワーク２５０のための３ＧＰＰ  ＬＴＥアクセスを用いたＵＥ１００の測位をサポートするためのアーキテクチャ２００が示される。ネットワーク２５０は、（たとえば、ＵＥ１００による）ＬＴＥアクセスと、場合によってはＣＤＭＡ２０００、ワイドバンドＣＤＭＡ（ＷＣＤＭＡ）、および／またはＷｉＦｉなどの他のアクセスタイプ（図２に図示されず）とをサポートする、発展型パケットシステム（ＥＰＳ）であり得る。ＵＥ１００は、ネットワーク２５０から通信サービスを取得するために、無線アクセスネットワーク（ＲＡＮ）の中のサービングｅノードＢ２０２と通信し得る。ＲＡＮは、簡単のために図２に示されない他のネットワークエンティティを含み得、発展型ユニバーサル地上波無線アクセスネットワーク（Ｅ−ＵＴＲＡＮ）と呼ばれることもある。ｅＮＢ２０２は、ノードＢ、基地局、アクセスポイントなどと呼ばれることもある。ＵＥ１００は、（ｉ）ｅＮＢ２０２から、ならびにネットワーク２５０の中の他の基地局（たとえば、他のｅＮＢ）およびＡＰ（図示されない図２）から、信号を受信すること、（ｉｉ）受信信号から、ソースｅＮＢ、ならびに他の基地局およびＡＰの、またはソースセルの、識別情報を取得すること、ならびに／あるいは（ｉｉｉ）ＯＴＤＯＡ測位のためのＴＯＡ、ＲＳＴＤ、ＡＦＬＴ測位のためのパイロット位相、ならびに／またはＥＣＩＤ測位のための信号強度（たとえば、受信信号強度表示（ＲＳＳＩ））、信号品質（たとえば、Ｓ／Ｎ）、到来角（ＡＯＡ）、および／もしくは信号ラウンドトリップ伝搬時間（ＲＴＴ）の測定値など、受信信号の測定値を取得することを行い得る。ｅＮＢ、基地局、ＡＰ、および／またはセル識別情報、ならびに異なる信号測定値が、（たとえば、ＵＥ１００によって、またはＥ−ＳＭＬＣ２０８もしくはＳＬＰ２３２などのロケーションサーバによって）ＵＥ１００のためのロケーション推定値を導出するために使用され得る。１つのｅＮＢ２０２のみが図２に示されるが、アーキテクチャ２００（たとえば、ネットワーク２５０）は、１つまたは複数のアンテナ素子を各々が有する、複数のｅＮＢならびに／または他の基地局および／もしくはＡＰを含み得る。
【００３６】
[0049]ｅＮＢ２０２は、ＵＥ１００のためのサービングＭＭＥ２０４と通信し得、サービングＭＭＥ２０４は、モビリティ管理、ゲートウェイ選択、認証、ベアラ管理などの様々な制御機能を実行し得る。ＭＭＥ２０４は、Ｅ−ＳＭＬＣ２０８と、およびゲートウェイモバイルロケーションセンター（ＧＭＬＣ）２０６と通信し得る。Ｅ−ＳＭＬＣ２０８は、ＵＥ１００を含むＵＥのためのＵＥベース、ＵＥ支援型、ネットワークベース、および／またはネットワーク支援型の測位方法をサポートし得、１つまたは複数のＭＭＥをサポートし得（たとえば、それに接続され得）る。Ｅ−ＳＭＬＣ２０８は、３ＧＰＰ  ＴＳ２３．２７１および３６．３０５において規定されるようなＬＴＥアクセスのための３ＧＰＰ制御プレーン位置特定ソリューションをサポートし得る。Ｅ−ＳＭＬＣ２０８は、ロケーションサーバ（ＬＳ）、スタンドアロンＳＭＬＣ（ＳＡＳ）などと呼ばれることもある。ＧＭＬＣ２０６は、ロケーションサービスをサポートするための様々な機能を実行し得、加入者プライバシー、許可、認証、課金などのサービスを提供し得る。ロケーション取出し機能（ＬＲＦ）２３０は、ＧＭＬＣ２０６と通信し得、米国緊急連絡用電話番号協会（ＮＥＮＡ：National Emergency Number Association）によって規定されたｉ３緊急サービスＩＰネットワーク（ＥＳＩｎｅｔ）２４２およびｉ３  ＰＳＡＰ２４４、ならびに、レガシー緊急サービス（ＥＳ）ネットワーク２４６およびレガシーＰＳＡＰ２４８などのレガシーシステムなど、緊急サービスネットワークおよび緊急応答機関（ＰＳＡＰ：Public Safety Answering Point）に、またはそれらに向けて、（たとえば、ＵＥ１００からの）インターネットプロトコル（ＩＰ）ベースの緊急呼を経路指定するか、または経路指定することを助け得る。ＬＲＦ２３０はまた、緊急呼を行っているＵＥ（たとえば、ＵＥ１００）に対するＰＳＡＰ（たとえば、ＰＳＡＰ２４４および２４８）からの、またはそのためにロケーション要求をサポートし得、これらのＵＥのためのロケーションを取得し、要求しているＰＳＡＰに、またはそれらに向けてロケーションを戻し得る。
【００３７】
[0050]ＬＲＦ２３０が実行する経路指定機能と位置特定機能とをサポートするために、ＬＲＦ２３０は、ＧＭＬＣ２０６などのＧＭＬＣに、異なるターゲットＵＥ（たとえば、ＵＥ１００）のロケーションを要求するように構成され得る。その場合、ＧＭＬＣ２０６は、ターゲットＵＥ（たとえば、ＵＥ１００）のための任意のロケーション要求をＭＭＥ２０４などのＭＭＥに転送し得、ＭＭＥ２０４は、Ｅ−ＳＭＬＣ２０８などのＥ−ＳＭＬＣに要求を転送し得る。次いで、Ｅ−ＳＭＬＣ（たとえば、Ｅ−ＳＭＬＣ２０８）は、ターゲットＵＥのためのサービングｅＮＢ（たとえば、ｅＮＢ２０２）から、および／またはターゲットＵＥ（たとえば、ＵＥ１００）から、ターゲットＵＥのためのロケーション関連測定値を取得し、ターゲットＵＥのための任意のロケーション推定値を算出または確認し、ＭＭＥおよびＧＭＬＣ（たとえば、ＭＭＥ２０４およびＧＭＬＣ２０６）を介してＬＲＦ２３０にロケーション推定値を戻し得る。ＬＲＦ２３０は同じく、または代わりに、ＳＬＰ２３２などのＳＬＰに、異なるターゲットＵＥ（たとえば、ＵＥ１００）のロケーションを要求するように構成され得る。ＳＬＰ２３２は、ＳＵＰＬ測位センター（ＳＰＣ）２３４とＳＵＰＬロケーションセンター（ＳＬＣ）２３６とを含み得、ＬＲＦ２３０を用いてロケーション情報を通信するとともに、ＵＥ１００などのＵＥのロケーションを取得するためにオープンモバイルアライアンス（ＯＭＡ）によって規定されるＳＵＰＬユーザプレーン位置特定ソリューションをサポートするように構成され得る。
【００３８】
[0051]ＵＥ１００などのＵＥの測位をサポートするために、Ｅ−ＳＭＬＣ２０８およびＳＬＰ２３２は各々、３ＧＰＰ  ３６．３５５において規定されるＬＴＥ測位プロトコル（ＬＰＰ）および／またはＯＭＡによって規定されるＬＰＰ拡張（ＬＰＰｅ）プロトコルを使用し得、ＬＰＰおよび／またはＬＰＰｅメッセージが、Ｅ−ＳＭＬＣ２０８またはＳＬＰ２３２と、測位されているターゲットＵＥ（たとえば、ＵＥ１００）との間で交換される。Ｅ−ＳＭＬＣ２０８の場合には、ターゲットＵＥと交換されるＬＰＰおよび／またはＬＰＰｅメッセージは、ターゲットＵＥのためのサービングＭＭＥおよびサービングｅＮＢを介して（たとえば、ターゲットＵＥがＵＥ１００である場合、ｅＮＢ２０２およびＭＭＥ２０４を介して）、シグナリングとして転送され得る。ＳＬＰ２３２の場合には、ターゲットＵＥと交換されるＬＰＰおよび／またはＬＰＰｅメッセージは、ターゲットＵＥのためのパケットデータネットワーク（ＰＤＮ）ゲートウェイ、サービングゲートウェイ、およびサービングｅＮＢ（たとえば、両方が次に説明されるＰＤＮゲートウェイ２１８、サービングゲートウェイ２１６、およびターゲットＵＥがＵＥ１００である場合にはｅＮＢ２０２）を介して、ＩＰトランスポートを使用してデータとして転送され得る。ＬＰＰｅメッセージが交換される場合には、両方のプロトコルが組合せで使用されるように、１つのＬＰＰｅメッセージが１つのＬＰＰメッセージの内側に埋め込まれ得る。次いで、組み合わせられたプロトコルは、ＬＰＰ／ＬＰＰｅと呼ばれることがある。
【００３９】
[0052]サービングゲートウェイ２１６は、データ経路指定および転送、モビリティアンカリングなど、ＵＥのためのＩＰデータ転送に関係する様々な機能を実行し得る。ＰＤＮゲートウェイ２１８は、ＵＥのためのデータ接続性の維持、ＩＰアドレス割振り、ＩＰアンカリング、他のＩＰネットワークへのアクセスの提供など、様々な機能を実行し得る。ネットワーク２５０のためのＩＰマルチメディアサブシステム（ＩＭＳ）２６０は、ボイスオーバーＩＰ（ＶｏＩＰ）呼およびＶｏＩＰ緊急呼などのＩＭＳサービスをサポートするための様々なネットワークエンティティを含み得る。ＩＭＳ２６０は、プロキシ呼セッション制御機能（Ｐ−ＣＳＣＦ：Proxy Call Session Control Function）２２０と、サービング呼セッション制御機能（Ｓ−ＣＳＣＦ：Serving Call Session Control Function）２２２と、緊急呼セッション制御機能（Ｅ−ＣＳＣＦ：Emergency Call Session Control Function）２２４と、ブレークアウトゲートウェイ制御機能（ＢＧＣＦ）２４０と、メディアゲートウェイ制御機能（ＭＧＣＦ：Media Gateway Control Function）２３８と、相互接続境界制御機能（ＩＢＣＦ：Interconnection Border Control Function）２２６と、経路指定決定機能（ＲＤＦ：Routing Determination Function）２２８と、ＬＲＦ２３０とを含み得る。
【００４０】
[0053]動作において、ネットワーク２５０は、制御プレーン位置特定のためにＬＴＥインターフェースとＬＴＥプロトコルとを利用し得る。ＬＰＰまたは組み合わせられたＬＰＰ／ＬＰＰｅプロトコルは、Ｅ−ＳＭＬＣ２０８によるＵＥ１００の測位のために、ＵＥ１００とｅＮＢ２０２との間でＵｕインターフェースを介して使用され得る。ＬＰＰ／ＬＰＰｅメッセージは、３ＧＰＰ  ＴＳ２３．２７１および３６．３０５に記載されるように、ＵＥ１００のためのＭＭＥ２０４およびｅＮＢ２０２を介して、ＵＥ１００とＥ−ＳＭＬＣ２０８との間で（前に説明されたように）転送され得る。Ｅ−ＳＭＬＣ２０８は、信号測定値（たとえば、ＲＳＳＩ、ＲＴＴ、ＲＳＴＤ測定値）と、可視のセルの識別情報とを、（たとえば、ＬＰＰ／ＬＰＰｅロケーション情報要求メッセージをＵＥ１００に送ることによって）要求するように構成され得、ＵＥ１００は、それらを（たとえば、ＬＰＰ／ＬＰＰｅロケーション情報提供メッセージをＥ−ＳＭＬＣ２０８に送ることによって）提供するように構成され得る。
【００４１】
[0054]代替実施形態では、Ｅ−ＳＭＬＣ２０８によるＵＥ１００の測位のために、（ｉ）ＬＰＰｅなしのＬＰＰプロトコル単独、または（ｉｉ）３ＧＰＰ  ３６．３３１において規定されるＲＲＣプロトコルのいずれかが、ＵＥ１００とサービングｅＮＢ２０２との間で、Ｕｕインターフェースを介して使用され得る。ＬＰＰ（代替（ｉ））の場合、３ＧＰＰ  ＴＳ２３．２７１および３６．３０５に記載されるように、ＬＰＰメッセージが、ＵＥ１００のためのＭＭＥ２０４およびサービングｅＮＢ２０２を介して、ＵＥ１００とＥ−ＳＭＬＣ２０８との間で転送され得る。ＲＲＣ（代替（ｉｉ））の場合、３ＧＰＰ  ＴＳ２３．２７１および３６．３０５に記載されるように、ＲＲＣメッセージが、ＵＥ１００とサービングｅＮＢ２０２との間で転送され得、（３ＧＰＰ  ＴＳ３６．４５５において規定される）ＬＴＥ測位プロトコルＡ（ＬＰＰａ）メッセージが、ＵＥ１００のためのＭＭＥ２０４を介して、ｅＮＢ２０２とＥ−ＳＭＬＣ２０８との間で転送され得る。一例では、Ｅ−ＳＭＬＣ２０８は、信号測定値（たとえば、ＲＳＴＤ測定値）と、可視のセルの識別情報とを、（たとえば、ＬＰＰロケーション情報要求メッセージをＵＥ１００に送ることによって、またはｅＮＢ２０２がＵＥ１００にＲＲＣ要求メッセージを送ることを引き起こし得るＬＰＰａ要求メッセージを、ｅＮＢ２０２に送ることによって）要求するように構成され得、ＵＥ１００は、それらを（たとえば、ＬＰＰロケーション情報提供メッセージをＥ−ＳＭＬＣ２０８に送ることによって、またはｅＮＢ２０２がＥ−ＳＭＬＣ２０８にＬＰＰａ応答を送ることを引き起こすＲＲＣ応答を、ｅＮＢ２０２に送ることによって）提供するように構成され得る。
【００４２】
[0055]ＭＭＥ２０４が３ＧＰＰ制御プレーンソリューションを使用して、Ｅ−ＳＭＬＣ２０８にＵＥ１００のためのロケーション情報を要求することを可能にするために、３ＧＰＰ  ＴＳ２９．１７１において規定されるロケーションサービス（ＬＣＳ：Location Services）アプリケーションプロトコル（ＬＣＳ−ＡＰ）が、ＭＭＥ２０４とＥ−ＳＭＬＣ２０８との間で、ＳＬｓインターフェースを介して使用され得る。ＧＭＬＣ２０６が３ＧＰＰ制御プレーンソリューションを使用して、ＵＥ１００のためのロケーション情報を要求および取得することを可能にするために、３ＧＰＰ  ＴＳ２９．１７２において規定される発展型パケットコア（ＥＰＣ）ロケーションサービス（ＬＣＳ）プロトコル（ＥＬＰ）が、ＭＭＥ２０４とＧＭＬＣ２０６との間で、ＳＬｇインターフェースを介して使用され得る。
【００４３】
[0056]ネットワーク２５０は同じく、または代わりに、ＳＵＰＬユーザプレーン位置特定のためのインターフェースとプロトコルとを利用し得る。ＯＭＡ  ＳＵＰＬユーザプレーンソリューションを使用するＵＥ１００の測位をサポートするために、ＯＭＡ刊行物ＯＭＡ−ＡＤ−ＳＵＰＬ−Ｖ２＿０において規定されるようなＬｕｐインターフェースが、（ＳＵＰＬ対応端末（ＳＥＴ）と呼ばれる）ＵＥ１００とＳＬＰ２３２との間で使用され得る。Ｌｕｐインターフェースは、ＵＥ１００とＳＬＰ２３２との間で、ＯＭＡ  ＴＳ  ＯＭＡ−ＴＳ−ＵＬＰ−Ｖ２＿０＿３において規定されるユーザプレーン位置特定プロトコル（ＵＬＰ：UserPlane Location Protocol）メッセージの交換を可能にする。ＳＬＰ２３２は、ＵＥ１００のためのホームＳＬＰ（Ｈ−ＳＬＰ）であり得、ＵＥのホームネットワークの中に存在し（たとえば、ネットワーク２５０がＵＥ１００のためのホームネットワークである場合、ＵＥ１００にとって適用可能であり）得、または発見ＳＬＰ（Ｄ−ＳＬＰ）もしくは緊急ＳＬＰ（Ｅ−ＳＬＰ）であり得る。Ｄ−ＳＬＰは、任意のネットワークの中のＵＥ１００を測位するために使用され（たとえば、ネットワーク２５０がＵＥ１００のためのホームネットワークでない場合、適用可能であり）得、Ｅ−ＳＬＰは、ＵＥ１００が緊急呼（たとえば、ｉ３  ＰＳＡＰ２４４またはレガシーＰＳＡＰ２４８への、ＩＭＳ２６０を介したＶｏＩＰ緊急呼）を確立しつつあるかまたは確立している場合、ＵＥ１００を測位するために使用され得る。ＳＬＰ２３２は、単一の物理的なＳＬＰ２３２、または別個の物理エンティティの別個の論理機能であり得る、ＳＬＣ２３６およびＳＰＣ２３４に分割される。ＳＬＣ２３６は、ＵＥ１００とのＳＵＰＬセッションを確立および制御するように構成される。ＳＰＣ２３４は、ＵＥ１００のロケーションを取得するように構成される。次いで、任意のＵＬＰメッセージが制御およびサービス提供のために使用されるか、測位のために使用されるかに応じて、任意のＵＬＰメッセージのための１つのエンドポイントは、ＳＬＣ２３６またはＳＰＣ２３４のいずれかである。ＵＥ１００（たとえば、ＬＴＥアクセスを有する）の場合には、測位のために使用されるＵＬＰメッセージは各々、通常、１つまたは複数のＬＰＰメッセージをカプセル化する。各カプセル化されたＬＰＰメッセージは、１つのＬＰＰｅメッセージをさらにカプセル化することができ、それによって、前に説明されたようなＵＥ１００とＳＬＰ２３２との間のＬＰＰおよび／またはＬＰＰ／ＬＰＰｅ測位プロトコルメッセージの交換を可能にする。ＵＥ１００の位置特定をサポートするために、制御プレーン位置特定について上記で説明されたものと同じ情報（たとえば、セル識別情報およびＲＳＴＤ測定値）をＳＰＣ２３４が要求し、ＵＥ１００が戻すことを可能にするために、ＬＰＰまたはＬＰＰ／ＬＰＰｅが使用され得る。
【００４４】
[0057]図３は、ＬＴＥアクセスと、ＯＴＤＯＡ位置方法を使用してＵＥを位置特定するために使用され得る、同期信号送信（たとえば、同期ＰＲＳ送信）とを採用する、ワイヤレス通信システム３００を示す。ワイヤレス通信システム３００は、ロケーションサーバ３０２と、アルマナック３０４とを含む。ロケーションサーバ３０２およびアルマナック３０４は、サービングネットワーク３０６の一部として含まれてよく、またはサービングネットワーク３０６に接続され得るか、もしくはサービングネットワーク３０６から到達可能であり得る。たとえば、サービングネットワーク３０６は、図２におけるネットワーク２５０に対応し得、ロケーションサーバ３０２は、ネットワーク２５０の中のＥ−ＳＭＬＣ２０８もしくはＳＬＰ２３２に対応し得るか、またはＳＡＳなどの別のロケーションサーバであり得る。サービングネットワーク３０６は、セル１  ３１０−１、セル２  ３１０−２、セルＷ、３１０−Ｗ、およびセルＲ３１２と標示された、１つまたは複数のセルトランシーバを含み得る。３とＷ−１との間のｎを伴うセルトランシーバｎ３１０−ｎなど、図３に明示的に示されない他のセルトランシーバがあり得る。セルトランシーバは、１つの特定のセル内で送信および受信をサポートする、基地局またはＡＰ（たとえば、ｅノードＢ）を備えると、本明細書では考えられる。時々、基地局またはＡＰ（たとえば、ｅＮＢ）は、同じトランシーバと、場合によっては同じアンテナとを使用して、いくつかのセル（たとえば、セルセクタ）内で送信および受信をサポートすることになる。その場合、サポートされるセルの各々は、それ自体の論理的に別個のセルトランシーバを有すると考えられる。セルという用語は、たとえば、セルトランシーバｎ３１０−ｎをセルｎ３１０−ｎと呼ぶときなど、セルトランシーバを指すために本明細書で使用されることがある。セルトランシーバのうちのいずれか１つ（たとえば、セルＲ３１２）は、図２におけるｅＮＢ２０２に対応し（または、その一部であり）得る。セルトランシーバの各々は、１つまたは複数のアンテナに動作可能に接続され得る。アンテナは、それぞれ、セルトランシーバ３１０−１、３１０−２．．．３１０−Ｗの場合、Ａ１、Ａ２、．．．ＡＷと、セルトランシーバＲ３１２の場合、ＡＲとを備える。各アンテナは、１つまたは複数のアンテナ素子を備え得る。
【００４５】
[0058]アルマナック３０４は、サービングネットワーク３０６および／またはロケーションサーバ３０２に属し得るとともに、いくつかの実施形態では、ロケーションサーバ３０２の一部であり（たとえば、ロケーションサーバ３０２における非一時的記憶媒体内に含まれ）得る、データベースまたはデータベース構造を表す。アルマナック３０４は、サービングネットワーク３０６内のセルトランシーバおよびアンテナのための識別情報とロケーションパラメータとを記憶するように構成され、本明細書で前に説明されたタイプのＢＳＡを備え得る。
【００４６】
[0059]同期信号送信の場合、サービングネットワーク３０６は、アンテナＡ１、Ａ２、．．．、ＡＷ、およびＡＲごとに１つずつ、（図３において小さい円によって例示される）同期点のセットを採用することができる。各同期点は、すべての同期点に適用可能である共通時間（たとえば、共通ＧＰＳ時間）に厳密またはほぼ厳密に信号タイミングがそこで同期される、１つのアンテナに供給され、それによって送信される、任意の信号のための信号送信経路に沿ったロケーションに対応する。ＬＴＥの場合には、セルが、同じ信号の複製をブロードキャストするために、複数の無線アンテナを使用する場合、各信号のための同期は、セルごとに、および各セル内の無線アンテナごとに、１０２４個のＬＴＥダウンリンクシステムフレームの各新しいセットの開始、各１０ｍｓのＬＴＥ無線フレームの開始、または各新しい１．０ｍｓのＬＴＥサブフレームの開始のみを、同じ時間（たとえば、同じ地球時間）に同期させることができる。同期点は、セルトランシーバまたは中間信号増幅器から信号出力ジャックのようなアンテナに到達する前のいくつかの点を過ぎた、アンテナにおける信号送信、または信号伝搬に対応し得る。
【００４７】
[0060]以下で説明されるような特定の実装形態では、ＵＥ１００は、たとえば、（たとえば、セル１、セル２、．．．、セルＷ、およびセルＲを含む）複数のセルトランシーバのための識別子を含む、測位支援データを備える、ロケーションサーバ３０２からのメッセージを受信し得る。さらに、識別されたセルトランシーバのうちの１つまたは複数について、測位支援データは、周波数誤差特性をさらに指定し得る。特定の実装形態では、周波数誤差特性は、対応するセルトランシーバから送信されているＰＲＳのキャリア周波数のための精度、誤差または不確実性を示し得る。次いで、ＵＥ１００は、セルトランシーバに対応する（たとえば、ダウンリンク信号の予想キャリア周波数の）周波数誤差特性に少なくとも部分的に基づいて、セルトランシーバによって送信されたＰＲＳを捕捉するために、コヒーレントおよび／または非コヒーレント積分を適用するか否かを決定し得る。
【００４８】
[0061]図３における例では、ロケーションサーバ３０２は、セルＲ３１２を基準セルとして、およびセル３１０−１、３１０−２、．．．、３１０−Ｗを近隣セルとして使用して、ＯＴＤＯＡ測定を実行するように、ならびに、ロケーションサーバ３０２にＯＴＤＯＡ  ＲＳＴＤ測定値を戻すように、ＵＥ１００に命令し得る。各アンテナからＵＥ１００までの見通し線（ＬＯＳ）信号伝搬時間は、各アンテナＡｎについてはＴｎ、基準セルアンテナＡＲについてはＴＲと示される。次いで、ＵＥ１００は、基準セルＲ３１２とＷ個の近隣セル（たとえば、セル３１０−１、３１０−２、．．．、３１０−Ｗ）の各々との間の最大Ｗ個のＲＳＴＤを測定し得る。Ｗ個のＲＳＴＤは（精密に正しく測定される場合、およびマルチパスがない場合）、（図３に示される配置から推論され得る）次式によって、異なるアンテナからＵＥ１００までの信号伝搬遅延、および異なるアンテナまでのネットワークの内側の信号伝搬遅延に関係付けられることになる。
【００４９】
[0062]
【００５０】
【数１】
2018525943.tif 000003
【００５１】
[0063]ここで、ＲＳＴＤｎは、基準セルＲのためのアンテナＡＲと、各近隣セルｎのためのアンテナＡｎとの間のＲＳＴＤ測定値である。Ｋｎは、（たとえば、アンテナＡｎまでの送信経路における任意の送信フィーダ、信号増幅器、および他の要素に沿った伝搬を含む）アンテナＡｎのためのネットワーク信号同期の点からアンテナＡｎまでの、アンテナＡｎに対する付加内部信号伝搬遅延である。アンテナＡｎにとっての同期点がアンテナＡｎである場合、Ｋｎは０である。典型的には、Ｋｎは定数として扱われ得、サービングネットワーク３０６のための事業者によって測定および／または計算され得る。同様に、ＫＲは、アンテナＡＲのためのネットワーク信号同期の点からアンテナＡＲまでの、アンテナＡＲに対する付加内部信号伝搬遅延である。ＫＲもまた、通常は定数として使われ、ネットワーク事業者によって測定および／または計算されることが可能であり得る。ＯＴＤＯＡ（たとえば、ＰＲＳ）信号が同期されないが、異なるアンテナ間の送信時間差が測定または計算され得るネットワークでは、パラメータＫｎおよびＫＲは、各アンテナＡｎおよびＡＲからの送信時間と、ＵＴＣ時間またはＧＰＳ時間のようないくつかの世界時とにおける差分を表すことができる。
【００５２】
[0064]（たとえば、Ｘを緯度、Ｙを経度、およびＺを高度、またはＸ、Ｙ、Ｚを局所的な直交座標として）ＵＥのロケーションのＸ、Ｙ、Ｚ座標の値を求めるために、次式が使用され得る。
【００５３】
[0065]
【００５４】
【数２】
2018525943.tif 000004
【００５５】
[0066]ただし、
[0067]ｃ＝エアインターフェースを介した信号伝搬速度（すなわち、光速）、
[0068]Ｘｎ、Ｙｎ、Ｚｎ＝アンテナＡｎ（１≦ｎ≦Ｗ）のＸ、Ｙ、Ｚ座標、
[0069]ＸＲ、ＹＲ、ＺＲ＝アンテナＡＲのＸＹＺ座標、
[0070]ｘ、ｙ、ｚ＝ＵＥのＸ、Ｙ、Ｚ座標である。
【００５６】
[0071]式（２）は、ＲＳＴＤ測定値から式（２）における（Ｔｎ−ＴＲ）項のための値を与えるために、式（１）を使用することによって、ＵＥ１００のｘ、ｙ、ｚ座標について解かれ得る。少なくとも３つの無関係なＲＳＴＤ測定値が利用可能である場合、ｘ、ｙ、ｚ座標が取得され得る。場合によっては簡略化のために、（たとえば、すべてのＺ座標が等しいと仮定することによって）Ｚ座標が無視され得、それによって、ＵＥ１００ｘ、ｙ座標のための値が、２つの無関係なＲＳＴＤ測定値から取得されることが可能になる。最小数よりも多いＲＳＴＤ測定値が利用可能であるとき、最小誤差を伴うＵＥ１００のためのｘ、ｙ、ｚまたはｘ、ｙ座標を取得するために、最小２乗法または何らかの同様の方法が使用され得る。上記で説明されたような技法は、ロケーションサーバ３０２によって適用され得るが、ロケーションサーバ３０２および／または他のネットワークエンティティ（たとえば、基地局）が、（たとえば、ＢＳＡなどの支援データの形態で）基準および近隣ｅＮＢのロケーション座標、ならびに内部信号伝搬遅延ＫｎおよびＫＲなど、ロケーション算出を実行することを可能にするための情報をＵＥ１００に提供する場合、技法がまた、ＵＥ１００においてそのロケーションを計算するためにも使用され得ることに留意されたい。得られるｘ、ｙ、ｚまたはｘ、ｙ座標の精度を制限する、ロケーション決定技法の重要な部分は、ＵＥ１００によって取得されるＲＳＴＤ測定値の精度である。このために、十分に長い期間にわたるＲＳＴＤ測定値のためのコヒーレントおよび／または非コヒーレント積分の使用が重要であり得る。
【００５７】
[0072]図４は、ＯＴＤＯＡ測位のための例示的なＰＲＳデューティサイクルの時間シーケンス４００を示す。図４は、システムフレーム番号（ＳＦＮ）０をもつシステムフレームにおけるサブフレーム０における送信で開始し、（図４のはるかに右側にあり、図４に具体的に示されていない）１０２３に等しいＳＦＮをもつシステムフレームの最後のフレームからの送信にまで延びる、１つのセルトランシーバ（たとえば、ｅＮＢ２０２、セルＲ３１２、セルｎ３１０−ｎ）からのＬＴＥサブフレーム送信のシーケンスを示す。周波数分割複信（ＦＤＤ）モードのＬＴＥでは、各ＬＴＥサブフレームは、１ミリ秒（１ｍｓ）の持続時間を有し、各システムフレームは、１０個のサブフレームからなり、１０ｍｓの持続時間を有する。システムフレームはまた、無線フレームと呼ばれることもあり、または単にフレームと呼ばれることもある。連続システムフレームは、０から１０２３の番号を付けられ、その後、この番号付けは、後続のシステムフレームに対して０から再び再開する。したがって、図４は、ＬＴＥのために（たとえば、サブフレームおよびシステムフレームの番号付けを介して）個別に、および明確に参照され得る、サブフレームの最長のセットにわたる送信を示す。図４では、左から右に向かう水平線によって、増大する時間が表される。ＰＲＳを送信するために使用され、３ＧＰＰ  ＴＳにおいて（たとえば、３ＧＰＰ  ＴＳ３６．２１１および３６．３５５において）「ＰＲＳ測位機会」と呼ばれる、連続サブフレームのグループが、対角方向に縞のある長方形によって図４において表される。
【００５８】
[0073]３ＧＰＰによって（たとえば、ＴＳ３６．２１１において）規定されているように、ＯＴＤＯＡのためのＰＲＳを送信するために使用されるサブフレームのシーケンスは、（ｉ）帯域幅（ＢＷ）の予約されたブロックと、（ｉｉ）構成インデックスＩPRS（ＳＦＮ０のためのサブフレーム０の開始から最初のＰＲＳ測位機会までのオフセットΔPRSと、連続ＰＲＳ測位機会のためのサブフレーム単位の周期ＴPRSの両方を定義する）と、（ｉｉｉ）持続時間ＮPRS（各ＰＲＳ測位機会における連続ＰＲＳサブフレームの数を定義する）と、（ｉｖ）オプションのミューティングパターン（その中でミューティングパターンに従ってＰＲＳ信号が送信されるかまたはミュートされるかのいずれかである、連続ＰＲＳ測位機会のシーケンスを定義する）と、（ｖ）存在するとき、（ｉｖ）におけるミューティングパターンの一部として暗黙的に含まれ得るミューティングシーケンス周期ＴREPとを備える、いくつかのパラメータによって特徴づけられ、定義される。場合によっては、かなり低いＰＲＳデューティサイクルでは、ＮPRS＝１であり、ＴPRS＝１６０サブフレームであり（１６０ｍｓと等価である）、ＢＷ＝１．４、３、５、１０、１５、または２０ＭＨｚである。ＰＲＳデューティサイクルを上げるために、ＮPRS値は、６まで上げられ得（すなわち、ＮPRS＝６）、帯域幅（ＢＷ）値は、ＬＴＥシステム帯域幅まで上げられ得る（すなわち、ＢＷ＝ＬＴＥシステム帯域幅）。最高で全デューティサイクル（すなわち、ＮPRS＝ＴPRS）までの、より大きいＮPRS（たとえば、６よりも大きい）および／またはより短いＴPRS（たとえば、１６０ｍｓよりも短い）をもつ拡大されたＰＲＳが、たとえば、３ＧＰＰ  ＴＳ３６．３５５におけるＯＴＤＯＡの既存の規定を修正することによっても使用され得る。
【００５９】
[0074]時分割複信（ＴＤＤ）モードを使用するＬＴＥの場合、システムフレームは各々、持続時間がやはり１０ｍｓであり、各システムフレームは、アップリンク送信またはダウンリンク送信のために８つの利用可能なサブフレームを備える。ＦＤＤについて上記で説明されたＰＲＳパラメータが次いで、どのダウンリンクサブフレーム内でＰＲＳ送信が発生するかを定義するために使用される。具体的には、オフセットΔPRSは、システムフレーム０における最初のダウンリンクサブフレームから最初のＰＲＳサブフレームまでのダウンリンクサブフレームの数を与え、持続時間ＮPRSは、各ＰＲＳ測位機会における連続するダウンリンクＰＲＳサブフレームの数を与え、周期ＴPRSは、連続するＰＲＳ測位機会の始点間のダウンリンクサブフレームの数を与える。ＦＤＤモードと同様に、拡大されたＰＲＳは、最高で全デューティサイクルまで定義され得る。
【００６０】
[0075]図５〜図８は、ＵＥ１００においてＲＳＴＤ値を測定するための、コヒーレントおよび非コヒーレント積分の使用に関する、いくつかの例を提供する。これらの例は、コヒーレントおよび非コヒーレント積分の期間が、測定されるセルトランシーバのための知られている誤差特性に、および／またはＵＥ１００の移動に、どのように有用に関係付けられ得るかを示す。これらの例は、限定であると意図されず、たとえば、干渉状態と、信号フェージングと、（一定とは反対の）変動する周波数誤差とを克服するために、コヒーレントまたは非コヒーレント積分を使用する効果を検討する、他の同様の例で置き換えられ得る。
【００６１】
[0076]ＵＥ１００は、図３における任意のセルｎ３１０−ｎ（ただし、１≦ｎ≦Ｗ）またはセルＲ３１２など、あるセルトランシーバから受信されたＰＲＳ信号のコヒーレント積分を実行すると仮定される。この例では、ＰＲＳ信号は、一定振幅Ａとキャリア（または、中心）周波数ｆとを有すると仮定され、ＵＥ１００は、コヒーレント積分を実行するために、ｆに対する固定部分誤差ｅをもつ周波数ソースを使用すると仮定される。たとえば、周波数ソースは、図３における基準セルＲ３１２へのＵＥ１００の周波数ロックループから取得され得る。したがって、ＰＲＳ信号は、ＩおよびＱ個の積分サンプルを取得するために、約１／ｆの間隔で、ＵＥによってサンプリングされ得る。Ｎ個の信号サンプルＳnが、初期位相オフセットαとともにサンプルＳ0で開始して、ＵＥ１００によって取得されると仮定し、ただし、Ｓn＝Ｉn＋ｊＱn（０≦ｎ≦Ｎ−１）であるが、複素数として表される。Ｎ個のサンプルと振幅における対応する利得ＧNとをコヒーレント積分することによって取得される結合信号ＳN＊は、当技術分野で知られている次式によって与えられる（すべての角度はラジアンの単位であり、ただし、ｊは虚数√−１である）。
【００６２】
【数３】
2018525943.tif 000005
【００６３】
[0077]要約すると、特定の実施形態では、信号サンプル値のシーケンスＳnは、Ｓnの成分の和を取得することと、次いで、和の絶対値から、コヒーレント積分された和のための利得を決定することとによって、「コヒーレント積分」され得る。たとえば、式（２Ａ）および（３）に記載されているコヒーレント積分では、Ｎ個のサンプルの同相成分Ｉnが、直角位相サンプルＱnとは別個に結合される。次いで、加算されたＩn成分と加算されたＱn成分との結合の絶対値が、決定される。一方、「非コヒーレント積分」では、Ｓnのサンプルの振幅が、次のように式（５）に従って加算され得る。
【００６４】
【数４】
2018525943.tif 000006
【００６５】
[0078]ただし、式（２Ａ）、（３）、および（５）は、どのように信号がコヒーレントまたは非コヒーレント積分され得るかの例にすぎず、請求される主題は、この点について限定されないことを理解されたい。
【００６６】
[0079]図５は、コヒーレント積分を使用する、４つの信号サンプル（Ｓ0、Ｓ1、Ｓ2、およびＳ3）の加算から取得された複素（Ｉ／Ｑ）平面における結合信号Ｓ4＊５０２のＮ＝４の場合の、例示５００を提供する。図５に示された複素Ｉ／Ｑ平面は、原点５０８と、（同相信号サンプル成分のための）実軸５０６と、（直角位相信号サンプル成分のための）虚軸５０４とを含む。結合信号Ｓ4＊５０２のための利得Ｇ4は、信号振幅Ａで除算された複素平面におけるＳ4＊５０２の長さに等しくなる。図５における連続信号サンプル（各々が長さＡである）は、（負のｅについて図５において示された）β＝２πｅによって与えられる一定の角度β５１０のシーケンスを通して回転することになる。Ｎ＝２｜１／２ｅ｜では、利得ＧNは、ゼロまたはほぼゼロになり、その理由は、ｎ＜Ｎ／２である各サンプルＳnについて、等しいが反対の同相（Ｉ）成分と直角位相（Ｑ）成分とをもつ別のサンプルＳn+N/2があるからである。
【００６７】
[0080]図６は、図６に示された円６０２によって小さいｅについて近似され得る複素Ｉ／Ｑ平面における正多角形を形成することになる、ゼロで開始して最大２｜１／２ｅ｜まで増加するｎについての、連続信号サンプルＳnの例示６００を提供する。図６における最大信号利得Ｇｍａｘは、最適結合信号ＳM＊について発生し、ただし、Ｍ＝｜１／２ｅ｜である。最適結合信号ＳM＊は、図６において、中心Ｃ６０４を通過し、終点ＯおよびＱをもつ、円６０２の直径６０６として表され得、ただし、Ｏは座標系の原点５０８である。Ｍは、雑音がない場合のＮのための最適値を表し得る。雑音が存在する場合、Ｍよりも低いＮの値が、結合信号ＳN＊のためのＳ／Ｎを最適化するために必要とされ得、その理由は、Ｍ未満であるがＭに近いＮについて、ＧNは、累積される雑音がそうなるよりも、Ｎとともにより遅く増加し得るからである。図６における円６０２によって近似された、積分されている信号サンプルＳnのセットとともに、図６に示された幾何学的形状を使用すると、最大信号利得Ｇｍａｘは、次式によって与えられる。
【００６８】
【数５】
2018525943.tif 000007
【００６９】
[0081]雑音が存在する場合に最適なＮを決定するために、バックグラウンドの白色雑音が、振幅分散σとともに仮定される。Ｎ個の信号サンプル（Ｓ0、Ｓ1、Ｓ2、最大ＳN-1まで）のコヒーレント積分に続く信号対雑音（Ｓ／Ｎ）比ＲNは、白色雑音と結合された信号のコヒーレント積分のための知られている結果を使用する次式によって与えられる。
【００７０】
【数６】
2018525943.tif 000008
【００７１】
[0082]図７は、どのように式（７）が幾何学的に解かれ得るかを例示し、図６からの直径ＯＱ６０６に沿った雑音がない場合の最適結合信号ＳM＊と、弦ＯＰ７０２に沿った別の結合信号ＳN＊とを示す。図７は、図７に示された、それぞれ線ＯＱ６０６およびＯＰ７０２の長さ（Ｇｍａｘ  Ａ）および（ＧNＡ）に対応する、結合信号ＳM＊およびＳN＊の振幅を示す。図７はまた、コヒーレント積分されるＮ個の信号サンプル（Ｓ0、Ｓ1、Ｓ2、最大ＳN-1まで）の振幅の和（ＮＡ）によって近似的に与えられる、円６０２のための弧ＯＰの長さを示す。次いで、次式は、中心Ｃ６０４において弦ＯＰ７０２によって定められた角度２θと、点Ｑにおいて定められた角度θとを含む、図７において示された幾何学的形状から推論され得る。
【００７２】
【数７】
2018525943.tif 000009
【００７３】
【数８】
2018525943.tif 000010
【００７４】
[0083]式（８）と（９）とを組み合わせると、以下が与えられる。
【００７５】
【数９】
2018525943.tif 000011
【００７６】
[0084]式（１０）の右辺の式は、θ＝０について、およびθ＝πについてゼロに等しくなり、０＜θ＜πについて正である。したがって、それについてθに対するこの式の微分がゼロである０とπとの間のθの任意の値θ＊は、（ただ１つのそのようなθ＊がある場合）この式を最大化することになる。θ＊は、次式を使用して取得され得る。
【００７７】
【数１０】
2018525943.tif 000012
【００７８】
[0085]式（１１）は、次のように、θ＊を与えるために解かれ得る。
【００７９】
θ＊≒６６．８度
【００８０】
[0086]θ＊は（ＧN2／Ｎ）を最大化するので、θ＊はまた、式（７）におけるＳ／Ｎ比ＲNをも最大化することになる。θ＊に対応するＮの値Ｍ＊は、以下によって与えられる。
【００８１】
【数１１】
2018525943.tif 000013
【００８２】
[0087]特定の実装形態では、図８は、図８における複素平面における線ＯＰ７０２に対応する、図７に関連して前に導出されたような、最大Ｓ／Ｎ利得をもつ結合信号ＳM*＊を示す。図８はまた、図８における複素平面における線ＯＲ８０２に対応する、結合信号ＳM*/r＊を示す。結合信号ＳM*/r＊は、Ｍ＊／ｒ個の連続信号サンプル（Ｓ0、Ｓ1、Ｓ2、最大Ｓ(M*/r)-1まで）をコヒーレント積分することによって取得され、ただし、ｒはｒ≧２である整数であり、ｒはＭ＊の係数であると仮定する。ＳM*＊を取得するために、Ｍ＊個の連続信号サンプル（Ｓ0、Ｓ1、Ｓ2、最大ＳM*-1まで）をコヒーレント積分することの代替として、Ｍ＊／ｒ個の連続信号サンプルの各々である、ｒ個の連続シーケンスは、各々、コヒーレント積分を使用して別個に結合され得、ｒ個の別個の結合結果が次いで、非コヒーレント積分を使用して結合される。一例として、ｒ＝２であり、Ｍ＊が偶数であると仮定する場合、雑音を除くＭ＊／２個の連続信号サンプルの第１のシーケンス（Ｓ0、Ｓ1、Ｓ2、最大Ｓ(M*/2)-1まで）のコヒーレント積分は、図８における線ＯＲ８０２に対応し、Ｍ＊／２個の連続信号サンプルの第２のシーケンス（ＳM*/2、Ｓ(M*/2)+1、最大ＳM*-1まで）の結合は、図８における線ＲＰ８０４に対応する。次いで、これらの２つの積分結果が（雑音成分とともに）、非コヒーレント積分を使用して結合され得る。ＲM*（ｒ）と示される、得られた非コヒーレント積分結果のためのＳ／Ｎ比は、Ｓ／Ｎが改善されるか否かを決定するために、完全コヒーレント積分信号ＳM*＊のためのＳ／Ｎ比ＲM*と比較され得る。前に取得された式（７）および（１０）、ならびに図８に示された幾何学的形状から、次式が導出され得る。
【００８３】
【数１２】
2018525943.tif 000014
【００８４】
[0088]ｒ個の等しいサンプルの非コヒーレント積分では、Ｓ／Ｎ利得は、√ｒ（最小）およびｒ（最大）によって通常は制限される係数によって増加することが、当技術分野で知られている。通常、増加はｒ未満であり、その理由は、ｒがコヒーレント積分のための利得を表すからである。これは、すべてのＭ＊個の信号サンプルにわたってコヒーレント積分を使用することと比較して、（各々Ｍ＊／ｒ個の連続信号サンプルのｒ個の連続シーケンスにわたる）コヒーレント積分と、非コヒーレント積分との混合を使用して、Ｍ＊個の信号サンプルを結合することによって取得された、Ｓ／Ｎ利得における改善Ｉ（ｒ）＝（ＲM*（ｒ）／ＲM*）について、以下で示される不等式（１５）につながる。
【００８５】
【数１３】
2018525943.tif 000015
【００８６】
[0089]不等式（１５）における下限および上限は、次式において示されるように表され得る。
【００８７】
【数１４】
2018525943.tif 000016
【００８８】
[0090]ｒ≧１についての式（１６）に示された下限のための最大値は、ｒが非整数であることが可能にされる（これは代数的に正当であるが、積分の目的のためには実現可能ではない）とき、ｒに対する下限のゼロ微分を与えるｒの値ｒ＊から取得され得る。ｒ＊の値は、次式を使用して取得される。
【００８９】
【数１５】
2018525943.tif 000017
【００９０】
[0091]表１は、式（１６）、（１７）、および（１８）から取得され、下限と上限の両方が１．０に等しい場合のｒ＝１を含む、ｒの異なる値のための下限と上限とを示す。
【００９１】
【表１】
2018525943.tif 000018
【００９２】
[0092]表１におけるＩ（ｒ）のための上限は、大きいｒについて１．６０９を超えることができないのに対して、下限は、大きいｒについてゼロになる傾向があるので、ｒの最適値は、ｒ＊（１．３８）または２と見なされ得、その両方が、ｒ＝１よりも高いＳ／Ｎを与えることになる。ｒ＝２は、より高い上限と、わずかにより小さいだけの下限を与えるので、ｒ＝２は、一実装形態では、ｒのための可能な最適値を与えるが、１．３８などのｒの他の値もまた可能である。これは、コヒーレント積分を実行するための連続信号サンプルの有用な最大（または最適）数が、Ｍ＊／２（または、ｒ＝１．３８など、ｒの別の値ではＭ＊／ｒ）であり得ることを意味する。Ｍ＊／２（または、ｒ＝１．３８など、ｒの別の値ではＭ＊／ｒ）よりも多くの信号サンプルでは、（Ｍ＊／２個の信号サンプル、またはＭ＊／ｒ個の信号サンプルのための）コヒーレント積分結果は、非コヒーレントに結合され得る。周波数誤差およびＵＥ速度への影響が、次に例示される。以前に導出された式（１２）は、以下を示す。
【００９３】
【数１６】
2018525943.tif 000019
【００９４】
[0093]ｍ個のＬＴＥサブフレーム（各々が１ｍｓの持続時間のもの）にわたって、（前に説明されたような）誤差ｅをもつ周波数ソースを使用してコヒーレント積分される、キャリア周波数ｆをもつＰＲＳでは、ただし、ｍ個のサブフレームは、合計（Ｍ＊／２）個の連続信号サンプルを備え、ｍおよびｅは、式（１９）から導出され得る従う式によって関係付けられる。
【００９５】
【数１７】
2018525943.tif 000020
【００９６】
[0094]これは、
【００９７】
【数１８】
2018525943.tif 000021
【００９８】
【数１９】
2018525943.tif 000022
【００９９】
を与える。
【０１００】
[0095]式（２０）は、コヒーレント積分のためのＬＴＥサブフレームの最大（または最適）数ｍが、所与の周波数ｆおよび所与の周波数誤差ｅからどのように取得され得るかを示す。式（２１）は、所与の周波数ｆのためのｍ個の連続ＬＴＥサブフレームにわたる有用なコヒーレント積分を可能にする最大周波数誤差ｅが、どのようにｍから取得され得るかを示す。表２は、２つの代替周波数ｆおよびサブフレームの異なる数ｍについて、式（２１）を使用して取得された、ｐｐｍ単位のｅのいくつかの例示的な値を示す。
【０１０１】
【表２】
2018525943.tif 000023
【０１０２】
[0096]表２において示されたｅの値は、ＬＴＥサブフレームの数ｍにわたって有用なコヒーレント積分を可能にするための最大誤差値になり、その理由は、ｅのいかなるより高い値についても、Ｍ＊／２よりも多い結合するべき信号サンプルがあることになるからである。たとえば、ｍ＝１０の場合、表２は、最大周波数誤差ｅが、７００ＭＨｚのキャリア周波数ｆでは０．０２７ｐｐｍになり、２１００ＭＨｚのキャリア周波数ｆでは０．００８９ｐｐｍになることを示す。典型的には、ＬＴＥサブフレームの数ｍは、特定のセルのための各ＰＲＳ測位機会における（図４について説明されたような）サブフレームの数ＮPRSに等しくなり得る。ｍの任意の値について表２において与えられるものよりもわずかに高いのみである周波数誤差ｅでは、コヒーレント積分は、依然として、得られるＳ／Ｎの大幅な低減なしに、ｍ個のＬＴＥサブフレームにわたって採用され得る。ＵＥ１００が、近隣セルからの連続信号サンプルを積分するための周波数ソースとして、基準セルを使用する場合、（両方のセルが同じ周波数を有する）最悪の場合には、周波数ｅは、両方のセルのための周波数誤差の和を表し得、各セルのための最大周波数誤差を示すために、両方のセルが等しい誤差を有するとき、表２に示されたｅの値が次いで、２で除算され得る。ただし、基準セル周波数誤差が、近隣セルのものよりもはるかに小さい場合、または、ＵＥ１００が、近隣セルからのＰＲＳ信号をコヒーレント積分するために、何らかの他の正確な周波数ソース（たとえば、ＧＰＳ、または何らかの他のＧＮＳＳなど）を使用する場合、表２に示されたｅの値は、単に近隣セルにおける最大周波数誤差を表し得る。
【０１０３】
[0097]近隣セルのための、および／または基準セルのための周波数誤差ｅに関連付けられた情報が、ＵＥ１００にとって利用可能である、たとえば、Ｅ−ＳＭＬＣ２０８、ＳＬＰ２３２、またはロケーションサーバ３０２などのロケーションサーバによってＵＥ１００に提供される場合、表２における情報、またはＵＥ１００において構成されるか、もしくはＵＥによって（たとえば、式（２１）と同様または同じ式を使用して）導出される同様の情報は、基準セルまたは近隣セルからのＰＲＳ信号のコヒーレント積分のための最適な期間（たとえば、サブフレームの最適数）を決定するために、ＵＥ１００によって使用され得る。前に説明されたように、近隣セルのための、および／または基準セルのための周波数誤差ｅに関連付けられた情報は、誤差ｅのための数値（たとえば、表２に示されたｅのための数値など）、誤差ｅのための誤差クラス（たとえば、誤差ｅのための値の範囲、または誤差ｅのための最大もしくは最小値を定義する誤差クラスなど）、または、近隣セルが（たとえば、誤差ｅのための、それぞれ、ある構成された最大値または最小値と同等に扱われ得る）基準セルとして使用されるのに好適であるか、もしくは好適でないという指示を備え得る。
【０１０４】
[0098]３ＧＰＰ  ＴＳ３６．１０４において規定されているような、異なるタイプのｅＮＢのための周波数誤差最小要件が、表３に示され、表３は、異なるタイプのｅノード基地局（ＢＳ）に対して可能にされた最大周波数誤差を示す。ＰＲＳ測位機会が複数のサブフレーム（たとえば、ｍ≧５）を備えるとき、３ＧＰＰによって規定されたすべてのタイプのｅＮＢが、ＵＥによる周波数ソースとしての使用のために潜在的に不適当であり得、その理由は、表３における最大周波数誤差が、表２に示されたものを典型的に超えるからであることは、表２および表３の比較から明らかであり得る。また、ＰＲＳ信号のための（たとえば、ｍ≧１０の場合の）コヒーレント積分の長い期間は、（たとえば、表３におけるホームＢＳに対応し得るスモールセルではなく）近隣セルと基準セルの両方をサポートする正確なｅＮＢでのみ可能であり得ることも、表２および表３から明らかであり得る。３ＧＰＰ最大周波数誤差が、（たとえば、２１００ＭＨｚキャリア周波数をもつワイドエリアＢＳのための最大ｍ＝２個のサブフレームの）最適コヒーレントＰＲＳ積分の短い期間のみを可能にし得るという事実は、任意のｅノードＢのための厳密または近似の実際の周波数誤差ｅを知ることが、異なるセルからのＰＲＳ信号を捕捉および測定することにおいて価値があり得ることを意味し得る。上記で示されたように、ＰＲＳ信号が、コヒーレントＰＲＳ積分のための最適期間よりも長い期間にわたって積分される必要がある場合、ＵＥ１００は、より短くなり得る最後の期間を除いて、各々が最適期間に対応する、別個の連続期間にわたって、ＰＲＳ信号のコヒーレント積分を実行し得、次いで、非コヒーレント積分を使用して、（別個の連続期間の各々にわたる）別個のコヒーレント積分結果を結合し得る。上記で示されたように、これは、通常、得られるＳ／Ｎのための最大またはほぼ最大を達成することになり、したがって、ＴＯＡまたはＲＳＴＤのより正確な、または最も正確な測定値を生じ得る。
【０１０５】
【表３】
2018525943.tif 000024
【０１０６】
[0099]速度Ｖで移動するＵＥ１００の場合、任意のセルの周波数ｆは、ドップラー効果のためにある量（ｖ  ｆ  ｃｏｓ  δ／ｃ）だけ見掛けで増加するように、ＵＥ１００によって見られ得、ただし、ｃは信号速度（たとえば、光速）であり、δは、速度ｖの方向と、ＵＥ１００から見られるときのセルアンテナの方向との間の角度である。したがって、ｖのための見掛けの周波数誤差ｅは、すべての方向が水平であるとき、そのための符号なし最大値が（ｖ／ｃ）であり、符号なし平均が（２ｖ／ｃπ）である、（ｖ  ｃｏｓ  δ／ｃ）である。基準セル（たとえば、セルＲ３１２）が、近隣セル（たとえば、任意のセルｎ３１０−ｎ）のための周波数ソースとして使用されるとき、後者の見掛けの周波数誤差は、速度ｖのために、ＵＥ１００が２つのセルを結ぶ線上で一方のセルの方に向かって、他方のセルから離れるように移動中であるとき、（ｖ／ｃ）の２乗平均値と（２ｖ／ｃ）の最大符号なし値とを有し得る、２つのセルのための２つの見掛けの周波数誤差の間の差分に等しくなる。上記でｅについて導出された式（２１）において、ｅの代わりに（２ｖ／ｃ）を用いることは、次式を与える。
【０１０７】
【数２０】
2018525943.tif 000025
【０１０８】
[00100]表４は、２つの代替周波数ｆおよびＬＴＥサブフレームの異なる数ｍについて、式（２２）を使用して、およびメートル／秒単位で取得されるような、ｖのいくつかの例示的な値を示す。
【０１０９】
【表４】
2018525943.tif 000026
【０１１０】
[00101]表２と同様に、表４に示されたｖの値は、そのためのｍ個のＰＲＳサブフレームにわたるコヒーレント積分がＳ／Ｎを最大化し得る最悪の場合の最大値を表し得る。たとえば、表４は、ｍ＝５個のサブフレームにわたるコヒーレントＰＲＳ積分を可能にする（最悪の場合の）最大速度ｖが、７００ＭＨｚの周波数ｆでは８．０メートル／秒、および２１００ＭＨｚの周波数ｆでは２．７メートル／秒であり得ることを示す。表４は、コヒーレント積分の使用が、ＵＥの動きに極めて敏感であり得ることを示す。１つのＬＴＥサブフレームにわたってコヒーレント積分を実行することでさえ、高速で移動中の車内のＵＥにとって有効でないことがあり、コヒーレント積分の長い期間（たとえば、ｍ≧１０）では、ＵＥ１００のユーザが静止状態であるかまたはせいぜい歩行中であることを必要とし得る。
【０１１１】
[00102]ＵＥ１００は、ＵＥ１００のためのセンサー（たとえば、図１におけるセンサー１３５）を使用して、および／または、（たとえば、ロケーションサーバによってＵＥ１００に提供され得る、本明細書の他の場所で説明されるタイプの周波数誤差関連情報から）２つ以上のセル（たとえば、図３におけるセルｎ３１０−ｎおよびセルＲ３１２）の周波数が正確であることが知られている場合、２つ以上のセルのための見掛けの周波数における差分を測定することによって、その速度ｖを決定することができる。ＵＥ１００のための速度ｖによって引き起こされた同じ周波数ｆの２つのセルの間の周波数における見掛けの差分の２乗平均は、（典型的に、およびほぼ、大部分の環境における場合であり得る）２つのセル、ＵＥ１００、およびＵＥ１００速度ｖの方向がすべて同じ水平面にあるとき、（ｖ  ｆ／ｃ）であり得る。したがって、ＵＥ１００が、知られている正確な周波数ｆをもつセルの２つ以上のペアの間の見掛けの周波数差分を測定し、（（ｖ  ｆ／ｃ）を近似し得る）これらの差分の平方の平均の平方根Ｓを取得する場合、速度ｖは、（Ｓ  ｃ／ｆ）として推定され得る。
【０１１２】
[00103]共通の正確な周波数ｆをもつペアのセルの間の周波数における見掛けの差分から、より正確にＵＥ速度ｖを取得するために、ＵＥ１００は、ＵＥ１００から各測定されるセルアンテナへの方向を提供し得る、各セルからの信号到来角（ＡＯＡ）を（たとえば、複数のアンテナ素子１２２またはアンテナアレイ１２２を使用して）測定することができる。次式は、ＵＥ１００が、図３におけるセルｎ３１０−ｎのうちのいくつかのための見掛けの周波数差分とＡＯＡとを測定する、図３に示された例について、速度ｖがどのように取得され得るかを示す。これらの式は、すべての方向が同じ水平面にあると仮定する。ＵＥ１００によって任意のＡＯＡを測定するための基準方向は、任意（たとえば、ＵＥ１００の現在の向きによって定義される基準方向、または、絶対方向そのような真北もしくは磁北）であり得る。次いで、（たとえば、ＡＯＡについて測定されるような）任意の他の方向は、基準方向と他の方向との間の時計回り（または、反時計回り）の角度を使用して定義され得る。
【０１１３】
[00104]γ＝速度ｖの方向とする
[00105]εp＝ＵＥ１００から見られるときの任意のセルアンテナＡpの方向とする
[00106]Δｆp＝ＵＥ１００によって見られる任意のセルｐの見掛けの周波数増加とする
[00107]次いで、
[00108]
【０１１４】
【数２１】
2018525943.tif 000027
【０１１５】
[00109]は、２つの異なるセルｐおよびｑについて、以下を与える。
【０１１６】
[00110]
【０１１７】
【数２２】
2018525943.tif 000028
【０１１８】
[00111]式（２３）の左辺は、２つのセルｐおよびｑの周波数ｆにおける見掛けの差分であり、ＵＥ１００によって測定され得る。同様に、それぞれ、セルｐおよびｑのためのアンテナの２つの方向εpおよびεqは、ＡＯＡ方法を使用して、ＵＥ１００によって測定され得る。それは、式（２３）における未知数として、ＵＥ１００速度の大きさｖと方向γとを残すのみであり、ＵＥ１００が、３つの異なるセルのためのＡＯＡと、それらのうちの任意の２つのペアの間の見掛けの周波数差分とを測定する場合、および、ＡＯＡ（すなわち、方向εpおよびεq）がすべての３つのセルについて異なるとすれば、両方が決定され得ることを暗示する。式（２３）に関連付けられた導出は、異なる周波数を有するセルに拡張され得、たとえば、ＵＥ１００が、知られている変換係数による乗算を通して、各セルの周波数をある共通周波数に変換する場合である。
【０１１９】
[00112]ＵＥ１００は、１つまたは複数のセルのためのコヒーレントＰＲＳ積分のための最適期間を決定するために、（たとえば、上記で説明されたように導出される）速度ｖを使用することができる。（ｉ）ＵＥ１００の速度ｖ、（ｉｉ）近隣セルを測定するために周波数ソースとして使用されるセル（たとえば、サービングセルまたは基準セル）における周波数誤差、および／または（ｉｉｉ）近隣セルにおける周波数誤差のために、周波数誤差ｅが発生する場合、ＵＥ１００は、前に説明されたように（ｉ）、（ｉｉ）および／または（ｉｉｉ）のための別個の周波数誤差を最初に取得し得、次いで、（たとえば、加算によって）周波数誤差を結合し得る。次いで、ＵＥ１００は、表２におけるものと同様もしくは同じ情報を使用して、および／または、式（２０）におけるものと同様もしくは同じ関係を使用して、近隣セルからのＰＲＳ信号のコヒーレント積分のための最適期間（たとえば、連続ＬＴＥサブフレームの最適数ｍ）を決定するために、結合周波数誤差を使用し得る。
【０１２０】
[00113]本明細書で説明される項目および／または技法は、以下の機能のうちの１つまたは複数、ならびに言及されていない他の機能を提供し得る。複数のセルトランシーバのうちの１つまたは複数のための関連付けられた周波数誤差特性とともに、それらのセルトランシーバの指示を含む測位支援データが、ロケーションサーバからＵＥに提供され得る。ＵＥは、測位支援データに基づいて、ＲＳＴＤ測定値を決定し得る。この文脈において、「測位支援データ」は、モバイルデバイスの推定ロケーションを取得することにおいて、または、モバイルデバイスのロケーションを示す１つもしくは複数の測定値を取得することにおいて、モバイルデバイス（たとえば、ＵＥ１００）によって適用され得る、１つまたは複数の値、パラメータ、指示、推論などを備える。一実装形態では、測位支援データは、ロケーションサーバからの１つまたは複数のメッセージ内でモバイルデバイス（たとえば、ＵＥ１００）に提供され得る。ただし、これは、モバイルデバイスが測位支援データをどのように取得し得るかの例にすぎず、請求される主題は、この点について限定されない。特定の実装形態では、測位支援データは、ダウンリンク信号の予想キャリア周波数を備え得る。これは、たとえば、モバイルデバイスが、測位動作を実行するためにダウンリンク信号をサンプリングするためのレートを正確に決定することを可能にし得る。一実施形態によれば、測位支援データはまた、ダウンリンク信号の実際のキャリア周波数と、ダウンリンク信号の予想または定義されたキャリア周波数との間の差分を示す、１つまたは複数の値、パラメータ、推論などを備え得る、「周波数誤差特性」を備え得る。上記で指摘されたように、セルトランシーバの周波数誤差特性は、（ｉ）セルトランシーバのためのキャリア周波数誤差値、（ｉｉ）セルトランシーバのためのキャリア周波数誤差クラス、または（ｉｉｉ）セルトランシーバが基準セルとして使用されるのに好適もしくは不適当であるという指示を備え得る。ただし、これらは、周波数誤差特性の例にすぎず、請求される主題は、この点について限定されないことを理解されたい。
【０１２１】
[00114]図１〜図８をさらに参照しながら、図９Ａを参照すると、ＬＰＰプロトコルとともに、ＯＴＤＯＡのためのコヒーレントおよび非コヒーレント積分を使用する測位をサポートするための例示的な手順のメッセージフロープロセス９００が示される。メッセージフロープロセス９００におけるエンティティは、ＵＥ９０２と、ロケーションサーバ９０４とを含む。ＵＥ９０２は、図１〜図３におけるＵＥ１００に対応し得、ロケーションサーバ９０４は、図２におけるＥ−ＳＭＬＣ２０８もしくはＳＬＰ２３２、および／または図３におけるロケーションサーバ３０２に対応し得る。図９Ａにおいて例示されるようなＵＥ９０２の測位は、ＵＥ９０２とロケーションサーバ９０４との間のＬＰＰメッセージの交換を介してサポートされる。ＬＰＰメッセージは、ネットワーク２５０またはネットワーク３０６など、１つまたは複数の中間ネットワークを介して、ならびに／あるいは、ワイヤレス通信システム３００内のセルトランシーバ３１０−１〜３１０−Ｗおよび３１２Ｒ、またはネットワーク２５０内のｅＮＢ２０２のうちのいずれかなど、基地局またはＡＰを介して、ＵＥ９０２とロケーションサーバ９０４との間で交換され得る。ＬＰＰメッセージ、およびそれらがサポートする手順が、３ＧＰＰ  ＴＳ３６．３５５に記載されている。図９Ａに示される手順は、ＵＥ９０２のための（または、ＵＥ９０２のユーザのための）ナビゲーションもしくは方向探知サポートのようなあるロケーション関連サービスをサポートするために、または（たとえば、図２に関連して説明されたように）ＵＥ９０２からＰＳＡＰへの緊急呼に関連する、ＰＳＡＰへの正確なロケーションの経路指定もしくは供給のために、または何らかの他の理由のために、ＵＥ９０２を測位するために使用され得る。
【０１２２】
[00115]最初に、およびプロセス９００におけるオプションの段階として、ＵＥ９０２は、段階９０６で、ＬＰＰを使用してＵＥ９０２によってサポートされる位置方法とこれらの位置方法の特徴とを示すＬＰＰ機能提供メッセージをロケーションサーバ９０４に送ることによって、ＬＰＰプロトコルに関してロケーションサーバ９０４にその測位機能を提供し得る。一実装形態では、段階９０６におけるＬＰＰ機能提供メッセージは、ロケーションサーバ９０４によってＵＥ９０２（図９Ａに図示されない）に送られたＬＰＰ機能要求メッセージに応答して、ＵＥ９０２によって送られ得る。段階９０６におけるＬＰＰ機能提供メッセージにおいて示された機能は、いくつかの実施形態では、ＵＥ９０２がＯＴＤＯＡ測位をサポートすることを示し得、および／または、ＵＥ９０２がセルトランシーバのキャリア周波数精度に関係する支援データの受信をサポートすることを示し得る。次いで、ロケーションサーバ９０４は、たとえば、段階９０６で送られたＵＥ９０２機能がＵＥ９０２によるＯＴＤＯＡのサポートを示すので、および／または、ＵＥ９０２が現在ロケーションサーバ９０４を含むサービングネットワークへのＬＴＥワイヤレスアクセスを有し得るので、ＬＴＥアクセスのためのＯＴＤＯＡを使用してＵＥ９０２を測位することを決定し得る。
【０１２３】
[00116]次いで、ロケーションサーバ９０４は、段階９０８で、ＬＰＰ支援データ提供メッセージをＵＥ９０２に送り得る。いくつかの実装形態では、段階９０８におけるＬＰＰ支援データ提供メッセージは、ＵＥ９０２によってロケーションサーバ９０４に送られたＬＰＰ支援データ要求メッセージ（図９Ａに図示されない）に応答して、ロケーションサーバ９０４によってＵＥ９０２に送られ得る。いくつかの実装形態では、段階９０８におけるＬＰＰ支援データ提供メッセージは、段階９１０におけるメッセージ後に送られ得る。段階９０８におけるＬＰＰ支援データ提供メッセージは、ＵＥ９０２がＯＴＤＯＡ  ＲＳＴＤ測定値を取得および戻すことを可能にするか、または可能にすることを助けるために、ＯＴＤＯＡ支援データの形態で測位支援データを含み得、基準セルのためのグローバルＩＤと、基準セルのための物理セルＩＤと、キャリア周波数情報と、ＰＲＳ信号情報（たとえば、帯域幅、周波数、ＰＲＳ測位機会当たりのサブフレーム数、ＰＲＳ測位機会の開始点および周期性、ミューティングシーケンス）とを含み得る、基準セル（たとえば、セルＲ３１２）についての情報を含み得る。段階９０８におけるＬＰＰ支援データ提供メッセージはまた、近隣セル（たとえば、セル３１０−１〜３１０−Ｗのうちの１つまたは複数）のためのＯＴＤＯＡ支援データを含み得る。一例では、ＵＥ９０２が周波数間ＲＳＴＤ測定のためのサポートを示す場合、近隣セル支援データが、最大３つの周波数レイヤのために提供され得る。段階９０８におけるＬＰＰ支援データ提供メッセージにおいて各近隣セルのために提供された情報は、基準セルのために提供されたものと同様であり得（たとえば、セルＩＤと、セル周波数と、ＰＲＳ信号情報とを含み得）、ほんの数例を提供すると、近隣セルと基準セルとの間のスロット数および／またはサブフレームオフセットと、予想された近似ＲＳＴＤ値と、ＲＳＴＤ不確実性とをさらに含み得る。
【０１２４】
[00117]特定の実装形態では、ロケーションサーバ９０４は、段階９０８におけるＬＰＰ支援データ提供メッセージ内に、たとえば、（たとえば、基準セルおよび／または各近隣セルのための）複数のセルトランシーバの識別子と、それにおいてそれぞれのセルトランシーバがダウンリンク信号においてＰＲＳを送信中である、予想キャリア（または中心）周波数とを含め得る。ロケーションサーバ９０４は、ＬＰＰ支援データ提供メッセージ内に、測位支援データの一部として、予想キャリア周波数のうちの１つまたは複数に関連付けられた誤差を示す、複数のセルトランシーバのうちのもう１つのための周波数誤差特性をさらに含め得る。一実施形態では、段階９０６におけるメッセージ内で提供されたＵＥ機能が、ＵＥ９０２が周波数誤差特性の受信をサポートすることを示す場合、１つまたは複数の周波数誤差特性が、ロケーションサーバ９０４によって段階９０８におけるメッセージ内に含まれ得る。周波数誤差特性は、特定のセルトランシーバによって送信されたＰＲＳの予想キャリア周波数における不確実性または予想誤差を表し得る。次いで、ＵＥ９０２は、ＯＴＤＯＡ測位方法に従って、複数のセルトランシーバのうちの少なくとも１つのためのダウンリンクＰＲＳ信号のための特性（たとえば、ＴＯＡまたはＲＳＴＤ）を測定するために、周波数誤差特性のうちの少なくとも１つに少なくとも部分的に基づいて、コヒーレント積分および／または非コヒーレント積分の使用を決定し得る。特定の実装形態では、周波数誤差特性は、ＯＴＤＯＡのための基準セルトランシーバとしての関連付けられたセルトランシーバの適合性の指示を備え得る。別の特定の実装形態では、周波数誤差特性は、周波数誤差特性のクラスの指示（たとえば、図５〜図８に関連して説明された誤差ｅのための値の上限、下限、または範囲）、または周波数誤差特性のための最大もしくは予想される値を備え得る。一実装形態では、周波数誤差特性は、（たとえば、ｐｐｍ単位で表される）関連付けられたセルトランシーバのためのキャリア周波数における部分誤差に対応し得る。
【０１２５】
[00118]次いで、ロケーションサーバ９０４は、段階９０８で示された基準セルおよび近隣セルのためのＯＴＤＯＡ  ＲＳＴＤ測定値を要求するために、ＵＥ９０２に、段階９１０でＬＰＰロケーション情報要求メッセージを送り得る。段階９１０におけるＬＰＰロケーション情報要求メッセージは、現在のエリアにおける予想マルチパスおよび／または非見通し（ＬＯＳ）についての情報をＵＥ９０２に提供するために、環境特性づけデータを含み得る。段階９１０におけるＬＰＰロケーション情報要求メッセージはまた、（たとえば、ＵＥ９０２によって提供されるＲＳＴＤ測定値に基づくロケーション推定値の）所望の精度と、応答時間（たとえば、ＵＥ９０２による段階９１０におけるＬＰＰロケーション情報要求メッセージの受信と、ＵＥ９０２による段階９１４におけるＬＰＰロケーション情報提供メッセージの送信の時間との間の最大時間）とを含み得る。オプションの周期報告期間も、段階９１０におけるメッセージ内に含められ得る。
【０１２６】
[00119]上記で指摘されたように、段階９０８で受信された測位支援データは、特定のセルトランシーバが、ＵＥ９０２によってＯＴＤＯＡ  ＲＳＴＤ測定のための基準セルとして使用されるべきであることを示し得る。段階９０８で受信された測位支援データは、セルのためのダウンリンク信号の予想キャリア周波数と、関連付けられた周波数誤差特性とを備え得る。加えて、または代わりに、段階９０８におけるＬＰＰ支援データ提供メッセージ内で受信された測位支援データは、任意の基準セルのための、および／あるいは１つまたは複数の近隣セルのための周波数誤差特性を提供し得る。ＬＰＰ支援データ提供メッセージ内で提供された周波数誤差特性は、特定のセルが基準セルとして使用され得るか、基準セルとして使用され得ないか、基準セルとして使用されてはならないかを示し得る。周波数誤差特性は同じく、または代わりに、基準セルまたは近隣セルのためのキャリア周波数における予想または最大誤差の指示を提供し得る。次いで、ＵＥ９０２は、基準セルを変更することなしに、ＯＴＤＯＡ  ＲＳＴＤ測定値を取得するために、段階９０８で示された任意の基準セルを利用し得、たとえば、ＵＥが、長い信号積分の必要なしに、基準セルから強い信号を受信し、ＰＲＳ信号を正確に測定することが可能である場合である。その場合、ＵＥ９０２は、プロセス９００において段階９１１を実行しなくてよい。代替的に、ＵＥ９０２は、段階９１１でＯＤＴＯＡ測位のための基準セルを決定し得、たとえば、基準セルが、段階９０８で受信された測位支援データにおいてサーバ９０４によって提供されない場合、または、基準セルが提供される場合である。段階９１１における基準セルの決定は、段階９０８で送られたＬＰＰ支援データ提供メッセージ内の支援データにおいてロケーションサーバ９０４によって提供された、１つまたは複数の周波数誤差特性に部分的に基づき得る。たとえば、ロケーションサーバ９０４によって提供された周波数誤差特性が、どの近隣セルが基準セルとしての使用のために好適であるか、および／または好適でないかを示す場合、ＵＥ９０２は、特定のセルを、基準セルとして好適であるとして示される（または、基準セルとして不適当であるとして示されない）基準セルであるように決定し得る。ＵＥ９０２は、基準セルの決定を、基準セルとして好適であるとして示される（または、基準セルとして不適当であるとして示されない）各セルの信号レベルおよび／または信号品質（たとえば、Ｓ／Ｎ）にさらに基づかせ得る。場合によっては、ＵＥ９０２は、（たとえば、基準セルとして好適であるかまたは不適当でないとして示された他のセルが、より低い信号強度および／またはより低いＳ／Ｎを有するので）段階９０８におけるＬＰＰ支援データ提供メッセージ内でサーバ９０４によって示された同じ基準セルを使用するように決定し得る。他の場合、ＵＥ９０２は、（たとえば、決定された異なるセルが、段階９０８におけるメッセージ内で基準セルとして好適であるかまたは不適当でないとして示されており、段階９０８で示された基準セルよりも高い信号強度および／またはより高いＳ／Ｎを有するので）段階９０８でサーバ９０４によって示されたものとは異なる基���セルを使用するように決定し得る。
【０１２７】
[00120]段階９１２で、ＵＥ９０２は、１つの周波数ソース、または２つ以上の周波数ソースを決定し得る。周波数ソースは、段階９１３で、ＵＥ９０２が、そのダウンリンクＰＲＳ信号が捕捉および測定されるべきである任意のセルトランシーバのダウンリンク信号の予想キャリア周波数を正確に決定することを可能にすることによって、コヒーレント信号捕捉（または積分）を実行するために、後で説明されるように使用され得る。周波数ソースは、段階９１１で決定された基準セル、段階９０８におけるＬＰＰ支援データ提供メッセージ内で示された基準セル、ＵＥ９０２のためのサービングセル、または段階９０８で伝達された支援データ内で示されたある近隣セルを備え得る。周波数ソースは、周波数ソースが低いキャリア周波数誤差またはある最大キャリア周波数誤差を有することを示す、周波数ソースのための段階９０８で提供された周波数誤差特性を使用して決定され得る（たとえば、図５〜図８に関して説明された誤差ｅと同様または同じであるキャリア周波数誤差のための値または最大値であり、ただし、誤差ｅは、表２に関連する検討において例示されたようなコヒーレント積分の長い期間または好ましい期間を可能にするために十分小さい）。一例として、周波数ソースは、最低のキャリア周波数誤差をもつセルとして、あるいは、その受信信号強度（たとえば、ＲＳＳＩ）および／または受信信号品質（たとえば、Ｓ／Ｎ）もある最小しきい値を超える、最低のキャリア周波数誤差をもつセルとして選定され得る。いくつかの実装形態では、周波数ソースは、サービングセル、基準セル、または近隣セルではないことがあり、代わりに、そのためのいかなる誤差情報もゼロに近い誤差を示し得る、知られている、高度に正確な予想キャリア周波数をもつ、ＧＮＳＳ（たとえば、ＧＰＳ）スペースビークルなどの何らかの他のソースであり得る。
【０１２８】
[00121]段階９１３で、ＵＥ９０２は、ＯＴＤＯＡ位置方法のためのＲＳＴＤ測定を実行するために、段階９０８で受信されたＯＴＤＯＡ測位支援情報と、段階９１０で受信された任意の追加のデータ（たとえば、ロケーション推定値の所望の精度）とを利用する。ＲＳＴＤ測定は、基準セル（たとえば、９１１で決定された基準セル、または段階９０８で示された基準セル）と、段階９０８で示された近隣セルのうちの１つまたは複数との間で行われ得る。基準セルと任意の近隣セルとの間のＲＳＴＤ測定値を取得することにおいて、ＵＥ９０２は、基準セルと近隣セルとの間のＲＳＴＤを測定するために、コヒーレントおよび／または非コヒーレント積分の使用（ｕｓｅ）（または使用（ｕｓａｇｅ））を決定するために、基準セルについて、および／または近隣セルについて提供された任意の周波数誤差特性を使用し得る。いくつかの実装形態では、ＲＳＴＤは、基準セルのＰＲＳのための到着時間（ＴＯＡ）と、近隣セルのＰＲＳのためのＴＯＡとを最初に測定することと、次いで、２つのＴＯＡ測定値における差分からＲＳＴＤ測定値を決定することとによって測定され得る。これらの実装形態では、近隣セルのためのＴＯＡは、コヒーレントおよび／または非コヒーレント積分の決定された使用を使用して測定され得る。図５〜図８に関連して示されたように、ＵＥ９０２は、その間に任意の測定されるセルからのＰＲＳ信号のコヒーレント信号積分が高いまたは最大Ｓ／Ｎを達成し得る、最大時間期間（または、連続ＰＲＳサブフレームの最大数）を決定し得る。この最大時間期間（または、連続ＰＲＳサブフレームの最大数）は、測定されるセルのための周波数誤差特性に関係付けられ得、測定されるセルのための周波数誤差特性は、次に、（ｉ）段階９１２で決定されたか、もしくは段階９０８で提供された周波数ソースにおける予想周波数誤差、（ｉｉ）測定されるセルのための予想周波数誤差、および／または（ｉｉｉ）ＵＥ９０２のための推定速度に関係付けられ得る。（ｉ）および（ｉｉ）のための予想周波数誤差は、段階９０８における測位支援データ内でサーバ９０４によって提供された任意の周波数誤差特性によって直接または間接的に提供され得、あるいは、（たとえば、キャリア周波数ソースとしてＧＮＳＳを使用する場合は）ＵＥ９０２にすでに知られており、ＵＥ９０２において構成され得る。段階９０８でサーバ９０４によって提供された任意の周波数誤差特性が、周波数誤差値または誤差クラスを含む場合、（ｉ）および（ｉｉ）のための予想周波数誤差は、直接的に提供され得る。段階９０８でサーバ９０４によって提供された任意の周波数誤差特性が、基準セルとしての使用のためのセルの適合性または不適合性を含む場合（たとえば、そのような適合性が、ある最大周波数誤差値と同等に扱われ得、そのような不適合性が、ある最小周波数誤差値と同等に扱われ得るので）、（ｉ）および（ｉｉ）のための周波数誤差情報は、間接的に提供され得る。たとえば、ＵＥ９０２における１つまたは複数の慣性センサーを使用して、および／あるいは（たとえば、式（２３）に関連して）前に説明されたものなど、他の技法によって、ＵＥ９０２がその速度を推定することが可能である場��、（ｉｉｉ）のための予想キャリア周波数誤差情報は、ＵＥ９０２によって推定され得る。
【０１２９】
[00122]その間に任意の近隣セルからのＰＲＳのコヒーレント信号積分が使用され得る最大時間期間を決定すると、ＵＥ９０２は、（ａ）この時間期間にわたって、もしくはより小さい時間期間にわたって、近隣セルからのＰＲＳ信号のコヒーレント積分を実行すること、または（ｂ）各々が、決定された最大時間期間以下であり、別個の時間期間のシーケンスのための別個のコヒーレント積分結果が、非コヒーレント積分を使用して結合されている、別個の時間期間のシーケンスにわたって、近隣セルからのＰＲＳ信号のコヒーレント積分を実行することの、いずれかを行うように決定し得る。近隣セルのための任意のＰＲＳ測位機会の持続時間が、決定された最大時間期間以下である場合、および、コヒーレント積分結果が、（たとえば、ＴＯＡまたはＲＳＴＤの）正確な測定値を許容するために十分に高いＳ／Ｎを有する場合、代替（ａ）が選択され得る。近隣セルのための任意のＰＲＳ測位機会の持続時間が、決定された最大時間期間を超えるとき、および／または、最大時間期間にわたる単一のコヒーレント積分結果が、正確な測定値を許容するために十分に高いＳ／Ｎを有していない場合、代替（ｂ）が使用され得る。ただし、提供された周波数誤差特性に基づくコヒーレントおよび非コヒーレント積分の決定は、異なる技法を使用して可能であり得る。ＵＥ９０２は、その間に基準セルからのＰＲＳのコヒーレント信号積分が使用され得る最大時間期間を決定することによって、基準セルのためのＰＲＳを同様に測定し得る。ただし、ＵＥ９０２は、基準セルキャリア周波数への周波数ロックループを実行し得るので、いかなる周波数誤差も信号捕捉および測定に影響を及ぼさないことがある。次いで、ＵＥ９０２は、たとえば、基準セルのためのＴＯＡ測定値と、近隣セルのためのＴＯＡ測定値との間の差分から、近隣セルのためのＲＳＴＤ測定値を取得し得る。このプロセスは、たとえば、ＵＥ９０２が、段階９０８でサーバ９０４によって提供されたすべての近隣セルのためのＲＳＴＤ測定値を取得するまで、または、ＵＥ９０２が、段階９１０でロケーション要求において示された任意の最大応答時間に達するまで、他の近隣セルについて段階９１３で繰り返され得る。
【０１３０】
[00123]次いで、ＵＥ９０２は、段階９１３で、および任意の最大応答（たとえば、段階９１０でロケーションサーバ９０４によって提供された最大応答時間）が満了する前または満了したときに取得された、ＲＳＴＤ測定値を伝達する、ＬＰＰロケーション情報提供メッセージを、段階９１４でロケーションサーバ９０４に送り得る。段階９１４におけるＬＰＰロケーション情報提供メッセージは、ＲＳＴＤ測定値が取得された時間（または、複数の時間）と、ＲＳＴＤ測定値のための基準セルの識別情報（たとえば、基準セルＩＤおよびキャリア周波数）とを含み得る。段階９１４におけるメッセージはまた、測定される近隣セルごとに、セルの識別情報（たとえば、物理セルＩＤ、グローバルセルＩＤ、および／またはセルキャリア周波数）と、セルのためのＲＳＴＤ測定値と、セルのためのＲＳＴＤ測定値の品質（たとえば、ＲＳＴＤ測定値における予想誤差）とを含む、近隣セル測定値リストを含み得る。近隣セル測定値リストは、１つまたは複数のセルのためのＲＳＴＤデータを含み得る。
【０１３１】
[00124]段階９１６は、段階９１４におけるＬＰＰロケーション情報提供メッセージ内で受信された測定値（たとえば、ＲＳＴＤ測定値）に少なくとも部分的に基づく、ＯＤＴＯＡ測位技法を使用する、ＵＥ９０２の推定ロケーションの、ロケーションサーバ９０４による算出を備え得る。一例として、ロケーションサーバ９０２は、ロケーション推定値を算出するために、図３に関連して本明細書で説明された技法を使用することができる。代替実施形態では、ロケーション算出段階９１６は、（図３について説明されたように）段階９１３に続いてＵＥ９０２によって実行され得、たとえば、段階９０８におけるメッセージ内で転送された測位支援データが、基準セルおよび近隣セルのためのＢＳＡ（たとえば、セルアンテナロケーション座標、およびタイミングまたは時間同期情報）を含む場合である。この実施形態では、ＵＥ９０２は、段階９１４におけるメッセージ内でロケーションサーバ９０４に任意の算出されたロケーション推定値を戻し得、段階９１６は実行されなくてよい。
【０１３２】
[00125]図９Ａは、ＬＰＰ測位プロトコルを使用するＯＴＤＯＡ測位のための例示的なサポートを示す。ただし、測位プロトコルおよび／または位置方法が異なり得る、他の例が存在する。たとえば、代替実施形態では、測位プロトコルは、ＬＰＰｅ、ＬＰＰ／ＬＰＰｅ、３ＧＰＰ  ＴＳ３６．３３１において規定されるＲＲＣプロトコル、または３ＧＰＰ２  ＴＳ  Ｃ．Ｓ００２２において規定されるＩＳ−８０１プロトコルであり得る。同様に、位置方法は、ＵＭＴＳアクセスのためのＯＴＤＯＡ、ＧＳＭのための強化観測時間差（Ｅ−ＯＴＤ）、またはＡＦＬＴであり得る。加えて、測定されるダウンリンク信号は、ＰＲＳ信号ではなく、何らかの他のダウンリンク基準信号またはパイロット信号（たとえば、ＬＴＥのための共通基準信号（ＣＲＳ））であり得、ダウンリンク信号の測定値は、ＲＳＴＤのものではなく、代わりに（または、加えて）ＴＯＡ、ＡＯＡ、ＲＳＳＩ、ＲＴＴ、Ｓ／Ｎなどの何らかの他の量のものであり得る。測位プロトコル、位置方法、および／または測定される量は異なり得るが、そのダウンリンク信号が測定されるべきであるセルの一部または全部のための、ロケーションサーバ９０４によるＵＥ９０２への周波数誤差情報（たとえば、周波数誤差特性）の提供、および、コヒーレント信号積分の最適または好ましい期間を決定するための、ＵＥ９０２による周波数誤差情報の使用は、メッセージフロープロセス９００について説明されたものと同じまたは同様であり得る。
【０１３３】
[00126]図９Ｂは、ＵＥ９０２で実行された段階９０８〜９１３の部分のために使用され得る一実装形態によるプロセスである。特定の実装形態では、ブロック９２２および９２４の態様は、全体的にまたは部分的に、たとえば、メモリ１４０から取り出され、プロセッサ１１１またはＤＳＰ１１２によって実行される、コンピュータ可読命令の実行を通して実行され得る。しかしながら、ブロック９２２および９２４は、請求される主題からの逸脱なしに、他の構造によって実行され得ることを理解されたい。ブロック９２２は、ＯＴＤＯＡであり得る（が、ＥＣＩＤまたはＡＦＬＴなど、別の位置方法であり得る）ダウンリンク地上位置方法のための測位支援を備える、１つまたは複数のメッセージを取得し得る。１つまたは複数のメッセージは、段階９０８で受信されたメッセージであり得る。ブロック９２２で取得された測位支援データは、セル（たとえば、セル３１０−１〜３１０−Ｗおよび３１２）に対応する複数のセルトランシーバを識別し得、複数のセルトランシーバのうちの少なくとも１つのための、予想ダウンリンクキャリア周波数と１つまたは複数の周波数誤差特性とを備え得る。上記で説明されたように、セルトランシーバの周波数誤差特性は、実際のダウンリンク信号キャリア周波数と予想ダウンリンク信号キャリア周波数との間の差分を示し得、（ｉ）セルトランシーバのためのキャリア周波数誤差値、（ｉｉ）セルトランシーバのためのキャリア周波数誤差クラス、または（ｉｉｉ）セルトランシーバが基準セルとして使用されるのに好適もしくは不適当であるという指示であり得る。
【０１３４】
[00127]ブロック９２４で、コヒーレント積分の使用は、ブロック９２２で受信された周波数誤差特性のうちの少なくとも１つに少なくとも部分的に基づいて決定され得る。ダウンリンク信号に適用される、そのような決定されたコヒーレント積分の使用は、ダウンリンク地上測位方法（たとえば、ＯＴＤＯＡ）に従って、複数のセルトランシーバのうちの少なくとも１つのためのダウンリンク信号（たとえば、ＰＲＳ信号）の特性（たとえば、ＲＳＴＤまたはＴＯＡ）を測定するために使用され得る。位置方法がＯＴＤＯＡであり、前に説明されたように段階９１３の一部として実行され得る場合、ブロック９２４で決定されたコヒーレント積分の使用は、近隣セルに対するか、または基準セルに対するものであり得る。加えて、段階９１０、９１１、および／または９１２は、ブロック９２２に続いて、および、ブロック９２４でコヒーレント積分の使用を決定するより前に実行され得る。
【０１３５】
[00128]一例では、ブロック９２４で決定されたコヒーレント積分の使用は、第１のダウンリンク信号において送信された第１のＰＲＳ信号、および第２のダウンリンク信号において送信された少なくとも第２のＰＲＳ信号の、到着時間における差分を決定するために、第１のＰＲＳ信号を捕捉することにおいて使用され得る。この到着時間における差分は、段階９１３でＲＳＴＤ測定値を算出することにおいて使用され得る。段階９１３でＲＳＴＤ測定を実行するための特定のダウンリンク信号におけるＰＲＳの捕捉のために、ブロック９２４は、ブロック９２２で取得された測位支援データにおける関連付けられた周波数誤差特性に少なくとも部分的に基づいて、コヒーレント積分の使用を決定し得る。たとえば、周波数誤差特性は、表２について説明されたようなコヒーレント積分のためのしきい値を超えない。一方、周波数誤差特性がしきい値を超える場合、コヒーレント積分は、（たとえば、段階９１３で）使用されないことがあるか、または、（たとえば、図８および表１に関連して）本明細書で説明されたように、非コヒーレント積分と組み合わせられ得る。
【０１３６】
[00129]一実施形態によれば、受信機（たとえば、ＵＥ１００、ＵＥ９０２）は、いくつかの組合せのうちのいずれか１つにおけるダウンリンク信号のサンプルに、コヒーレントおよび非コヒーレント積分を適用し得る。たとえば、連続サンプルは、設定されたコヒーレント積分間隔にわたって別個にコヒーレント積分され得る。次いで、別個のコヒーレント積分間隔にわたってコヒーレント積分されたサンプルからの出力値が、非コヒーレント結合／積分され得る。さらに、受信機は、サンプリングされたダウンリンク信号に、非コヒーレント積分のみを適用し得る。また、本明細書で言及されるとき、「コヒーレント積分の使用」の決定は、サンプリングされたダウンリンク信号の少なくとも一部分へのコヒーレント積分の適用の１つまたは複数のパラメータの決定を意味する。これに関連して、「コヒーレント積分の使用」の決定は、１つまたは複数のファクタに少なくとも部分的に基づく、受信信号が、コヒーレント積分技法を使用して受信機において処理されるべきであるか、非コヒーレント積分技法を使用して受信機において処理されるべきであるか、両方の積分技法を使用して受信機において処理されるべきであるかについての決定を備え得る。たとえば、コヒーレント積分の使用の決定は、サンプリングされたダウンリンク信号の部分にわたってコヒーレント積分を適用するべきか、非コヒーレント積分を適用するべきかの決定を備え得る。コヒーレント積分の使用の決定は、それにわたってコヒーレント積分が適用されるべきである間隔の長さまたは持続時間（たとえば、時間、サンプルの数、信号サブフレームの数など）の決定を備え得る。コヒーレント積分の使用の決定はまた、ダウンリンク信号の別個のコヒーレント積分される部分が非コヒーレント積分または結合されるべきであると指定し得る。ただし、これらは、コヒーレント積分の使用の決定の例にすぎず、請求される主題は、この点について限定されないことを理解されたい。
【０１３７】
[00130]ブロック９２２におけるダウンリンク地上測位方法がＯＴＤＯＡである場合、ブロック９２４は、ＰＲＳの少なくとも一部分がコヒーレント積分されるべきであると決定し得る。次いで、ＵＥ９０２は、ダウンリンク信号の２つ以上の連続ＰＲＳサブフレームを積分し得る。さらに、コヒーレント積分を選択することに加えて、ブロック９２４は、コヒーレント積分のための最大時間期間を決定し得る。また、ブロック９２４は、ＲＳＴＤ測定値を決定するためのＰＲＳを捕捉するための試みにおいて、コヒーレント積分されるべき連続ＰＲＳサブフレームの最大数を決定し得る。サブフレームの最大数は、表２および表３に関連して本明細書で説明されたように決定され得る。
【０１３８】
[00131]ブロック９２２におけるダウンリンク地上測位方法がＯＴＤＯＡである場合、ブロック９２２で取得された測位支援データは、ＯＴＤＯＡのためのＲＳＴＤ測定値を取得するために、第１の基準セルトランシーバとして使用されるべき特定のセルトランシーバを識別し得る。一実施形態によれば、次いで、ブロック９２４は、第１の基準セルトランシーバ、またはブロック９２２における測位支援データにおいて識別された複数のセルトランシーバの中からの別の異なるセルトランシーバを備える、第２の基準セルトランシーバをさらに決定し得る。たとえば、ブロック９２２で取得された測位支援データは、決定された第２の基準セルトランシーバに関連付けられた周波数誤差特性と、オプションで第１の基準セルトランシーバに関連付けられた周波数誤差特性とをさらに備え得る。第２の基準セルトランシーバが、第１の基準セルトランシーバとは異なる場合、一実施形態では、ブロック９２４は、第２の基準セルトランシーバに関連付けられた周波数誤差特性に少なくとも部分的に基づいて、第２の基準セルトランシーバを決定し得る。たとえば、第１の基準セルトランシーバの周波数誤差特性（提供される場合）は、第２の基準セルトランシーバの周波数誤差特性によって示されるような、第２の基準セルトランシーバのダウンリンクキャリア周波数における予想誤差よりも大きい、第１の基準セルトランシーバのダウンリンクキャリア周波数における予想誤差を示し得る。（たとえば、ＵＥ９０２によって観測または測定されるような）決定された第２の基準セルトランシーバのキャリア周波数は、ＯＴＤＯＡのためのＴＯＡおよび／またはＲＳＴＤ測定値を取得することにおいて、ブロック９２２で識別された１つまたは複数の他のセルトランシーバ（たとえば、近隣セルトランシーバ）から受信されるＰＲＳ信号を、コヒーレントおよび／または非コヒーレント積分を使用して、捕捉および測定するための周波数ソースとして選定され得る。
【０１３９】
[00132]上記で指摘されたように、ブロック９２２で取得された測位支援データにおける周波数誤差特性は、異なる形態のいずれか１つにおいて表され得る。一実装形態では、周波数誤差特性は、予想周波数誤差値を備える。周波数誤差特性はまた、ＯＴＤＯＡのためのＲＳＴＤ測定値を取得することにおいて基準セルトランシーバとして使用されるためのセルトランシーバの適合性についての指示を備え得る。たとえば、セルトランシーバの周波数誤差特性が、セルトランシーバによって送信されたダウンリンク信号の予想キャリア周波数において、高い不正確さまたは不確実性を示す場合、異なるセルトランシーバが、基準セルトランシーバとして使用され得る。これは、たとえば、セルトランシーバから送信されたダウンリンク信号の関連付けられた予想キャリア周波数の予想精度または信頼性に基づき得る。加えて、ブロック９２２で測位支援データにおいて提供された周波数誤差特性は、ダウンリンク信号の予想キャリア周波数に関連付けられた周波数誤差の特定のクラスを示し得る。ただし、これらは、ダウンリンク信号のキャリア周波数に関連付けられた周波数誤差特性の例にすぎず、請求される主題は、この点について限定されないことを理解されたい。
【０１４０】
[00133]図９Ｃは、一実施形態による、ＵＥ１００またはＵＥ９０２などのＵＥと通信している、Ｅ−ＳＭＬＣ２０８、ＳＬＰ２３２、ロケーションサーバ３０２、またはロケーションサーバ９０４などのロケーションサーバにおいて実行され得るプロセスのフロー図である。特定の実装形態では、ブロック９３２および９３４の態様は、全体的にまたは部分的に、たとえば、（後で説明される）プロセッサ１３１０および通信サブシステム１３３０によって作業メモリ１３３５から取り出される、コンピュータ可読命令の実行を通して実行され得る。しかしながら、ブロック９３２および９３４は、請求される主題からの逸脱なしに、他の構造によって実行され得ることを理解されたい。
【０１４１】
[00134]ブロック９３２は、ダウンリンク地上測位方法（たとえば、ＯＴＤＯＡ）におけるダウンリンク信号（たとえば、ＰＲＳ）の特性（たとえば、ＴＯＡまたはＲＳＴＤ）を測定することにおける、ＵＥによる使用のための測位支援データを備える、１つまたは複数の第１のメッセージを送信し得る。測位支援データは、複数のセルトランシーバ（たとえば、セルトランシーバ３１０−１〜３１０−Ｗおよび３１２）を識別し得、複数のセルトランシーバのうちの少なくとも１つのための１つまたは複数の周波数誤差特性をさらに備え得る。段階９０８における１つまたは複数の第１のメッセージの送信は、メッセージフロープロセス９００における段階９０８および／または段階９１０に対応し得る。周波数誤差特性は、（ｉ）セルトランシーバのためのキャリア周波数誤差値、（ｉｉ）セルトランシーバのためのキャリア周波数誤差クラス、および／または（ｉｉｉ）セルトランシーバが基準セルとして使用されるのに好適もしくは不適当であるという指示を備え得る。
【０１４２】
[00135]ブロック９３４は、ブロック９３２で送信された第１のメッセージにおける位置支援データに少なくとも部分的に基づいて決定されたＵＥのロケーションを示す、１つまたは複数のパラメータを備える、１つまたは複数の第２のメッセージを受信し得る。ＵＥのロケーションを示す１つまたは複数のパラメータは、ダウンリンク地上測位方法がＯＴＤＯＡである場合、ＲＳＴＤ測定値であり得るか、または、ＥＣＩＤもしくはＡＦＬＴなど、他のダウンリンク地上測位方法のための他の測定値（たとえば、ＲＳＳＩ、ＲＴＴ、Ｓ／Ｎ、パイロット位相）であり得る。ブロック９３４は、メッセージフロープロセス９００における段階９１４に対応し得る。一実施形態では、ＵＥのロケーションを示す１つまたは複数のパラメータは、ブロック９３２でＵＥに送信された複数のセルトランシーバのうちの少なくとも１つのための１つまたは複数の周波数誤差特性に基づいて、ＵＥによって決定され得る。ＵＥによる決定は、段階９１１について説明されたようなものであり得る。ダウンリンク地上測位方法がＯＴＤＯＡである場合、プロセスメッセージフロー９００の９１２および／または９１３。一実施形態では、ブロック９３４は、ブロック９３４で受信されたＵＥのロケーションを示す１つまたは複数のパラメータに少なくとも部分的に基づいて、ＵＥのためのロケーション推定値を決定することをさらに備え得る。ダウンリンク地上測位方法がＯＴＤＯＡである場合、ロケーションを決定することは、プロセスメッセージフロー９００の段階９１６に対応し得る。
【０１４３】
[00136]図１〜図９Ａをさらに参照しながら、図１０を参照すると、モバイルデバイスによるコヒーレントおよび非コヒーレント信号捕捉を使用するダウンリンク測位のサポートのための例示的なプロセス１０００は、示された段階を含む。しかしながら、プロセス１０００は例にすぎず、限定するものではない。プロセス１０００は、たとえば、段階を追加させ、削除させ、並べ替えさせ、組み合わせ、および／または同時に実行させることによって改変され得る。たとえば、段階１００８および１０１０はオプションであり、破線を用いて示される。
【０１４４】
[00137]段階１００２で、ＵＥ１００またはＵＥ９０２であり得るモバイルデバイスは、ダウンリンク地上測位方法のための測位支援データを備える、サーバからの１つまたは複数のメッセージを受信するように構成され、そこで、測位支援データは、複数のセルトランシーバを識別し、複数のセルトランシーバのうちの１つまたは複数の各々のための周波数誤差特性をさらに備える。サーバは、Ｅ−ＳＭＬＣ２０８、ＳＬＰ２３２、Ｈ−ＳＬＰ、Ｄ−ＳＬＰ、またはロケーションサーバ９０４など、ロケーションサーバであり得る。段階１００２で受信された１つまたは複数のメッセージは、ＵＬＰ、ＬＰＰ、ＬＰＰｅ、および／またはＬＰＰ／ＬＰＰｅのためのメッセージであり得る。一実施形態では、段階１００２で受信された測位支援データは、（たとえば、メッセージフロープロセス９００の段階９０６におけるメッセージの場合のように）モバイルデバイスによって以前にサーバに送られたモバイルデバイスの測位機能に適合し得る。いくつかの実施形態では、ダウンリンク地上測位方法は、ＬＴＥのためのＯＴＤＯＡ、ＡＦＬＴ、ＥＣＩＤ、ＷｉＦｉ測位またはＳＲＮ測位であり得る。周波数誤差特性は、ダウンリンク信号の予想キャリア周波数における予想誤差（たとえば、図５〜図８に関連して説明された周波数誤差ｅのための予想値など）、キャリア周波数誤差のクラス（たとえば、図５〜図８に関連して説明された周波数誤差ｅのための値の上限、下限、または範囲）、または（たとえば、ＯＴＤＯＡ測位のための）基準セルトランシーバとして好適もしくは不適当であるとするセルトランシーバの指示を備え得る。段階１００２は、いくつかの実施形態では、メッセージフロープロセス９００における段階９０８でメッセージを受信することに対応し得る。
【０１４５】
[00138]段階１００４で、モバイルデバイスは、ダウンリンク地上測位方法に従って、段階１００２で識別された複数のセルトランシーバのうちの少なくとも１つのためのダウンリンク信号の特性を測定するために、段階１００２で受信された周波数誤差特性のうちの少なくとも１つに基づいて、コヒーレント積分の使用を決定するように構成される。いくつかの実装形態では、コヒーレント積分の使用は、コヒーレント積分の最大時間期間を使用することを備え得る。たとえば、最大時間期間は、式（１２）に関連して前に説明された信号サンプルの数Ｍ＊、表１に関連して前に説明された信号サンプルの数Ｍ＊／２、または表１に関連して前に説明された信号サンプルの数Ｍ＊／ｒなど、信号サンプルの最大数に対応し得る。ダウンリンク地上測位方法がＬＴＥのためのＯＴＤＯＡである場合、ダウンリンク信号は、ＰＲＳを備え得、ＰＲＳは、各ＰＲＳ測位機会において複数の２つ以上の連続サブフレームを備え得、および／または、使用は、ＰＲＳ測位機会のためのコヒーレント積分のための連続ＬＴＥサブフレームの最大数を使用することを備え得る。たとえば、連続ＬＴＥサブフレームの最大数は、式（２０）および表２に関連して説明されたサブフレームの数ｍに対応し得る。
【０１４６】
[00139]段階１００６で、モバイルデバイスは、段階１００４で決定された使用に基づいて、複数のセルトランシーバのうちの少なくとも１つのためのダウンリンク信号の特性を測定するように構成される。いくつかの実施形態では、測定されるダウンリンク信号の特性は、ＲＳＳＩ、ＲＴＴ、ＡＯＡ、ＴＯＡ、Ｓ／Ｎ、もしくはＲＳＴＤであり得るか、または、これらの測定値のうちの２つ以上（たとえば、Ｓ／ＮおよびＴＯＡ）を備え得る。たとえば、ダウンリンク測位地上測位方法がＯＴＤＯＡに対応する場合、ダウンリンク信号の特性は、ＴＯＡおよび／またはＲＳＴＤであり得る。いくつかの実施形態では、段階１００６は、メッセージフロープロセス９００における段階９１３に対応し得る。
【０１４７】
[00140]オプションの段階であり得る段階１００８で、モバイルデバイスは、段階１００６で測定される複数のセルトランシーバのうちの少なくとも１つのためのダウンリンク信号の特性に基づく測定値を、サーバに送る（または、戻す）ように構成され得る。測定値は、段階１００６で取得された、測定された特性と同じであり得るか、または測定された特性から決定され得る。たとえば、測定された特性が、ＰＲＳ信号のＴＯＡである場合、測定値は、ＴＯＡであり得、あるいは、メッセージフロープロセス９００の段階９１３について前に説明されたように、ＴＯＡと、基準セル（または近隣セル）について測定された別のＴＯＡとの間の差分として取得された、ＲＳＴＤであり得る。いくつかの実施形態では、段階１００８は、段階１００２で受信された１つまたは複数のメッセージ内に含まれた要求、あるいは、メッセージフロープロセス９００の段階９１０におけるメッセージなどの別個のメッセージ内に含まれた要求など、ロケーション測定値についてのサーバからの前の要求に応答して実行される。いくつかの実施形態では、段階１００８は、メッセージフロープロセス９００における段階９１４でメッセージを送ることに対応し得る。いくつかの実施形態では、段階１００８に続いて、サーバは、たとえば、メッセージフロープロセス９００の段階９１６について説明されたように、段階１００８で送られた測定値に少なくとも部分的に基づいて、モバイルデバイスのためのロケーション推定値を取得する。
【０１４８】
[00141]オプションの段階であり、段階１００８の代替であり得る段階１０１０で、モバイルデバイスは、段階１００６で測定された複数のセルトランシーバのうちの少なくとも１つのためのダウンリンク信号の特性に少なくとも部分的に基づいて、モバイルデバイスのためのロケーション推定値を取得する。たとえば、モバイルデバイスは、モバイルデバイスの推定ロケーションを決定することを助けるために、（たとえば、測位支援データの一部として）段階１００２で受信される複数のセルトランシーバについての情報を利用し得る。たとえば、段階１００２で受信された情報は、セルトランシーバの一部もしくは全部のロケーション、および／またはそれらの送信特性と、場合によってはアルマナック３０４の全部または一部などのＢＳＡとを含み得る。
【０１４９】
[00142]図１〜図１０をさらに参照しながら、図１１を参照すると、モバイルデバイスによるコヒーレントおよび非コヒーレント信号捕捉を使用するダウンリンク測位のサポートのための例示的なプロセス１１００は、示された段階を含む。プロセス１１００は、典型的には、プロセス１０００の拡張であり得、たとえば、プロセス１０００の段階１００６におけるような、ダウンリンク地上測位方法のためのダウンリンク信号の測定をサポートするために、モバイルデバイス（たとえば、ＵＥ１００、ＵＥ９０２）によって使用され得る。プロセス１１００は例にすぎず、限定するものではない。プロセス１１００は、たとえば、段階を追加させ、削除させ、並べ替えさせ、組み合わせ、および／または同時に実行させることによって改変され得る。
【０１５０】
[00143]段階１１０２で、モバイルデバイスは、ダウンリンク地上測位方法のためのものであり得る、基準セルトランシーバを決定し得る。段階１１０２は、プロセス１１００のすべての実施形態では、オプションのステップであり得、発生しないことがある。たとえば、段階１１０２は、ダウンリンク地上測位方法がＬＴＥのためのＯＴＤＯＡであるときに発生し得るが、いくつかの他のダウンリンク地上測位方法では発生しないことがある。段階１１０２で決定された基準セルは、プロセス１１００がプロセス１０００を拡張するとき、段階１００２で識別された複数のセルトランシーバのうちの１つであり得る。たとえば、段階１００２で受信された測位支援データは、第１の基準セルトランシーバのための識別子を備え得る。次いで、モバイルデバイスは、第２の基準セルトランシーバを決定し得、そこで、第２の基準セルトランシーバは、第１の基準セルトランシーバ、または段階１００２で識別された複数のセルトランシーバ内の別のセルトランシーバのいずれかである。第２の基準セルトランシーバが第１の基準セルトランシーバとは異なる場合、第２の基準セルトランシーバの決定は、第２の基準セルトランシーバのための周波数誤差特性に少なくとも部分的に基づき得る。第２の基準セルトランシーバのための周波数誤差特性は、段階１００２で受信された測位支援データの一部であり得る。いくつかの実施形態では、段階１１０２は、メッセージフロープロセス９００における段階９１１に対応し得る。
【０１５１】
[00144]段階１１０４で、モバイルデバイスは、コヒーレント積分のための１つの周波数ソースまたは２つ以上の周波数ソースを決定するように構成され得る。いくつかの実施形態では、周波数ソースは、（プロセス１１００がプロセス１０００を拡張するとき）段階１００２で識別された複数のセルトランシーバのうちの１つであり、段階１１０４における決定は、段階１００２で提供された周波数ソースのための周波数誤差特性に少なくとも部分的に基づき得る。たとえば、周波数誤差特性が、ダウンリンク信号の予想キャリア周波数における予想誤差に対応する場合、周波数ソースは、そのための予想周波数誤差が段階１００２で提供される複数におけるすべてのセルトランシーバの中の最低の関連する予想キャリア周波数誤差を有する、段階１００２で識別された複数のセルトランシーバにおけるセルトランシーバとして、モバイルデバイスによって決定され得る。オプションで、周波数ソースとしてのセルトランシーバの決定はまた、モバイルデバイスにおけるある最小ＲＳＳＩおよび／または最小Ｓ／Ｎを有するセルトランシーバが条件とされ得る。段階１１０４は、いくつかの実施形態では、メッセージフロープロセス９００における段階９１２に対応し得る。いくつかの実施形態では、段階１１０４で決定された周波数ソースは、段階１１０２で決定された基準セルトランシーバであり得る。
【０１５２】
[00145]段階１１０６で、モバイルデバイスは、１つまたは複数のコヒーレント積分結果を取得することによって、（たとえば、段階１００４および１００６で使用されたような）複数のセルトランシーバのうちの少なくとも１つのためのダウンリンク信号の特性を測定するように構成され、そこで、各コヒーレント積分結果は、段階１００４で決定されたコヒーレント積分の使用に従って、複数のセルトランシーバのうちの少なくとも１つのためのダウンリンク信号の連続サンプルをコヒーレント積分することによって取得される。たとえば、ダウンリンク地上測位方法がＯＴＤＯＡである場合、コヒーレント積分結果は、複数のセルトランシーバのうちの少なくとも１つからのＰＲＳ信号の捕捉のためのものであり得る。コヒーレント積分は、図５〜図８および式（１）〜（２３）に関連して説明されたような、ダウンリンク信号のキャリア周波数におけるダウンリンク信号のための同相（Ｉ）信号サンプル成分と直角位相（Ｑ）信号サンプル成分とを別個に積分することによって実行され得る。コヒーレント積分結果は、使用に従って、および図５〜図８に関連して説明されたように、最適またはほぼ最適数の信号サンプルのために取得されるせいで、使用に従って取得されないコヒーレント積分結果と比較して、最大またはほぼ最大のＳ／Ｎを有し得る。モバイルデバイスは、段階１１０６でコヒーレント積分を実行することを助けるために、段階１１０４で決定された、周波数ソース、または周波数ソースのうちの１つを使用し得、たとえば、そのためのダウンリンク信号の特性が測定されている複数のセルトランシーバのうちの少なくとも１つのための予想キャリア周波数を予測するために、周波数ソースを使用し得る。周波数ソースは、複数のセルトランシーバのうちの少なくとも１つと同じ予想キャリア周波数を有しても有していなくてもよい。等しいキャリア周波数が本明細書で仮定されていることがあるが、異なるキャリア周波数が可能であり、その場合、モバイルデバイスは、周波数ソースＡのためのキャリア周波数を、複数のセルトランシーバのうちの少なくとも１つＢのための予想キャリア周波数に（たとえば、（Ｂの予想周波数）／（Ａのための周波数）に等しい係数による乗算によって）変換し得る。
【０１５３】
[00146]段階１１０８で、モバイルデバイスは、段階１１０６で取得されたコヒーレント積分結果の数が１である場合、段階１１０６で取得された１つのコヒーレント積分結果を測定するように構成される。たとえば、モバイルデバイスは、メッセージフロープロセス９００における段階９１３におけるように、１つのコヒーレント積分結果のためのＴＯＡまたはＲＳＴＤを測定し得る。
【０１５４】
[00147]段階１１０８の代替であり得る段階１１１０で、モバイルデバイスは、段階１１０６で取得されたコヒーレント積分結果の数が１を超える場合、段階１１０６で取得された、結合されたコヒーレント積分結果を測定するように構成され、そこで、段階１１０６で取得されたコヒーレント積分結果が、非コヒーレント積分を使用して結合される。たとえば、結合は、図８および式（１３）〜（２１）に関連して前に説明されたものに対応し得る。非コヒーレント積分を使用してコヒーレント積分結果を結合することは、測定精度を向上させ得る、ダウンリンク地上信号の測定（たとえば、ＴＯＡまたはＲＳＴＤ測定）では、最大またはほぼ最大のＳ／Ｎを可能にし得る。
【０１５５】
[00148]図１〜図９Ａをさらに参照しながら、図１２を参照すると、サーバによるコヒーレントおよび非コヒーレント信号捕捉を使用するダウンリンク測位のサポートのための例示的なプロセス１２００は、示された段階を含む。サーバは、Ｅ−ＳＭＬＣ２０８、ＳＬＰ２３２、Ｄ−ＤＬＰ、Ｈ−ＳＬＰ、ロケーションサーバ３０２、またはロケーションサーバ９０４に対応し得る。しかしながら、プロセス１２００は例にすぎず、限定するものではない。プロセス１２００は、たとえば、段階を追加させ、削除させ、並べ替えさせ、組み合わせ、および／または同時に実行させることによって改変され得る。たとえば、段階１２０４および１２０６はオプションであり、破線を用いて示される。
【０１５６】
[00149]段階１２０２で、サーバは、ダウンリンク地上測位方法のための測位支援データを備える、モバイルデバイスへの１つまたは複数のメッセージを送信するように構成される。測位支援データは、複数のセルトランシーバを識別し得、複数のセルトランシーバのうちの１つまたは複数の各々のための周波数誤差特性をさらに備え得る。測位支援データは、ダウンリンク地上測位方法に従って、複数のセルトランシーバのうちの少なくとも１つのためのダウンリンク信号の特性を測定することにおける、モバイルデバイスによる使用のためのものであり得る。段階１２０２で送信される１つまたは複数のメッセージは、ＵＬＰ、ＬＰＰ、ＬＰＰｅ、および／またはＬＰＰ／ＬＰＰｅのためのメッセージであり得る。一実施形態では、段階１２０２で送信された測位支援データは、（たとえば、メッセージフロープロセス９００の段階９０６におけるメッセージにおいて受信されたように）サーバによって以前に受信されたモバイルデバイスの測位機能に適合し得る。いくつかの実施形態では、ダウンリンク地上測位方法は、ＬＴＥのためのＯＴＤＯＡ、ＡＦＬＴ、ＥＣＩＤ、ＷｉＦｉ測位またはＳＲＮ測位であり得る。周波数誤差特性は、予想キャリア周波数誤差（たとえば、図５〜図８に関連して説明された周波数誤差ｅのための予想値など）、キャリア周波数誤差のクラス（たとえば、図５〜図８に関連して説明された周波数誤差ｅのための値の上限、下限、または範囲）、または（たとえば、ＯＴＤＯＡ測位のための）基準セルトランシーバとして好適もしくは不適当であるとするセルトランシーバの指示を備え得る。段階１２０２は、いくつかの実施形態では、メッセージフロープロセス９００における段階９０８でメッセージを送ることに対応し得る。
【０１５７】
[00150]オプションの段階であり得る段階１２０４で、サーバは、複数のセルトランシーバのうちの少なくとも１つのためのダウンリンク信号の測定された特性に基づく測定値を、モバイルデバイスから受信するように構成され得る。ダウンリンク地上測位方法がＬＴＥのためのＯＴＤＯＡである場合など、いくつかの実施形態では、測定値は、複数のセルトランシーバのうちの少なくとも１つのためのＲＳＴＤ測定値であり得る。いくつかの実施形態では、段階１２０４は、段階１２０２で送信された１つまたは複数のメッセージ内に含まれた要求、あるいは、メッセージフロープロセス９００の段階９１０におけるＬＰＰロケーション情報要求メッセージなどの別個のメッセージ内に含まれた要求など、ロケーション測定値についてのサーバからモバイルデバイスに送信された前の要求に応答して実行される。いくつかの実施形態では、段階１２０４は、メッセージフロープロセス９００における段階９１４でメッセージを受信することに対応し得る。
【０１５８】
[00151]オプションの段階であり得る段階１２０６で、サーバは、段階１２０４で受信された測定値に少なくとも部分的に基づいて、モバイルデバイスのためのロケーション推定値を取得するように構成され得る。一実施形態では、段階１２０６は、メッセージフロープロセス９００における段階９１６に対応し得る。
【０１５９】
[00152]図１〜図１２をさらに参照しながら、図１３を参照すると、コンピュータシステム１３００は、図１、図２、図３、図９Ａ、図９Ｂ、図９Ｃ、図１０、図１１、および図１２における要素のうちのいくつかの機能の少なくとも一部を実装することによって、コヒーレントおよび／または非コヒーレント信号捕捉を使用するダウンリンク測位をサポートするかまたはサポートすることを助けるために利用され得る。図１３は、本明細書で説明されるような様々な他の実施形態によって提供される方法を実行することができ、および／またはモバイルデバイス（たとえば、ＵＥ１００、ＵＥ９０２）もしくは他のコンピュータシステムとして機能することができる、コンピュータシステム１３００の一実施形態の概略図を提供する。たとえば、Ｅ−ＳＭＬＣ２０８、ＳＬＰ２３２、ロケーションサーバ３０２、ロケーションサーバ９０４、およびアルマナック３０４は、１つまたは複数のコンピュータシステム１３００からなり得る。図１３は、様々な構成要素の一般化された例示を提供し、そのいずれかまたはすべてが適宜に利用され得る。したがって、図１３は、個々のシステム要素が、相対的に分離された方法、または相対的により統合された方法で、どのように実装され得るかを広く示す。
【０１６０】
[00153]バス１３０５を介して電気的に結合され得る（または、適宜に別の方法で通信していることがある）ハードウェア要素を備えるコンピュータシステム１３００が示される。ハードウェア要素は、限定はしないが、１つもしくは複数の汎用プロセッサおよび／または１つもしくは複数の専用プロセッサ（デジタル信号処理チップ、グラフィックス加速プロセッサなど）を含む１つまたは複数のプロセッサ１３１０と、限定はしないが、マウス、キーボードなどを含むことができる１つまたは複数の入力デバイス１３１５と、限定はしないが、ディスプレイデバイス、プリンタなどを含むことができる１つまたは複数の出力デバイス１３２０とを含み得る。プロセッサ１３１０は、たとえば、インテリジェントハードウェアデバイス、たとえば、Ｉｎｔｅｌ（登録商標）  ＣｏｒｐｏｒａｔｉｏｎまたはＡＭＤ（登録商標）によって作られるものなどの中央処理ユニット（ＣＰＵ）、マイクロコントローラ、ＡＳＩＣなどを含むことができる。他のプロセッサタイプも利用され得る。
【０１６１】
[00154]コンピュータシステム１３００は、１つまたは複数の非一時的記憶デバイス１３２５をさらに含み得（および／または、それらと通信していることがあり）、非一時的記憶デバイス１３２５は、限定はしないが、ローカルストレージおよび／またはネットワークアクセス可能ストレージを備えることができ、ならびに／あるいは、限定はしないが、ディスクドライブと、ドライブアレイと、光記憶デバイスと、プログラム可能、フラッシュアップデート可能などであり得る、ランダムアクセスメモリ（「ＲＡＭ」）および／または読取り専用メモリ（「ＲＯＭ」）などのソリッドステート記憶デバイスとを含むことができる。そのような記憶デバイスは、限定はしないが、様々なファイルシステム、データベース構造などを含む、任意の適切なデータストアを実装するように構成され得る。
【０１６２】
[00155]コンピュータシステム１３００はまた、限定はしないが、モデム、ネットワークカード（ワイヤレスまたはワイヤード）、赤外線通信デバイス、（Ｂｌｕｅｔｏｏｔｈ短距離ワイヤレス通信技術トランシーバ／デバイス、８０２．１１デバイス、ＷｉＦｉデバイス、ＷｉＭａｘ（登録商標）デバイス、セルラー通信施設などの）ワイヤレス通信デバイスおよび／またはチップセットなどを含むことができる、通信サブシステム１３３０を含み得る。通信サブシステム１３３０は、データが、（ネットワーク２５０または３０６などの）ネットワーク、他のコンピュータシステム、および／または本明細書で説明される任意の他のデバイスと交換されることを可能にし得る。多くの実施形態では、コンピュータシステム１３００は、上記で説明されたように、ＲＡＭまたはＲＯＭデバイスを含むことができる作業メモリ１３３５を、ここでのようにさらに備えることになる。
【０１６３】
[00156]コンピュータシステム１３００はまた、オペレーティングシステム１３４０、デバイスドライバ、実行可能ライブラリ、および／または１つもしくは複数のアプリケーションプログラム１３４５などの他のコードを含む、現在作業メモリ１３３５内に位置するものとして示されるソフトウェア要素を備えることができ、アプリケーションプログラム１３４５は、様々な実施形態によって提供されるコンピュータプログラムを備えてよく、ならびに／あるいは本明細書で説明されるように、他の実施形態によって提供される方法を実施し、および／または他の実施形態によって提供されるシステムを構成するように設計され得る。単に例として、本明細書で説明される１つまたは複数のプロセスは、コンピュータ（および／またはコンピュータ内のプロセッサ）によって実行可能なコードおよび／または命令として実装され得る。そのようなコードおよび／または命令は、説明された方法に従って１つまたは複数の動作を実行するように汎用コンピュータ（または他のデバイス）を構成し、および／または適合させるために使用され得る。
【０１６４】
[00157]これらの命令および／またはコードのセットは、上記で説明された記憶デバイス１３２５などのコンピュータ可読記憶媒体上に記憶され得る。場合によっては、記憶媒体は、コンピュータシステム１３００などのコンピュータシステム内に組み込まれ得る。他の実施形態では、記憶媒体は、コンピュータシステムとは別個（たとえば、コンパクトディスクなどのリムーバブル媒体）であってよく、ならびに／あるいは、記憶媒体が、その上に記憶された命令／コードを用いて汎用コンピュータをプログラムし、構成し、および／または適合させるために使用され得るようなインストールパッケージで提供され得る。これらの命令は、コンピュータシステム１３００によって実行可能である実行可能コードの形態をとり得、ならびに／あるいは、（たとえば、一般に利用可能な様々なコンパイラ、インストールプログラム、圧縮／解凍ユーティリティなどのいずれかを使用して）コンピュータシステム１３００上でコンパイルおよび／またはインストールしたときに次いで実行可能コードの形態をとる、ソースコードおよび／またはインストール可能コードの形態をとり得る。
【０１６５】
[00158]特定の要望に従って、大幅な変形が行われ得る。たとえば、カスタマイズされたハードウェアも使用され得、および／または、特定の要素が、ハードウェア、（アプレットなどのポータブルソフトウェアを含む）ソフトウェア、もしくは両方で実装され得る。さらに、ネットワーク入力／出力デバイスなど、他のコンピューティングデバイスへの接続が採用され得る。
【０１６６】
[00159]コンピュータシステム１３００は、本開示に従って方法を実行するために使用され得る。そのような方法の手順の一部または全部は、プロセッサ１３１０が、作業メモリ１３３５の中に含まれる（オペレーティングシステム１３４０、および／またはアプリケーションプログラム１３４５などの他のコードに組み込まれ得る）１つまたは複数の命令の１つまたは複数のシーケンスを実行したことに応答して、コンピュータシステム１３００によって実行され得る。そのような命令は、記憶デバイス１３２５のうちの１つまたは複数などの別のコンピュータ可読媒体から作業メモリ１３３５に読み取られ得る。単に例として、作業メモリ１３３５の中に含まれる命令のシーケンスの実行は、本明細書で説明された方法の１つまたは複数の手順をプロセッサ１３１０に実行させ得る。
【０１６７】
[00160]本明細書で使用される「機械可読媒体」および「コンピュータ可読媒体」という用語は、特定の様式で機械を動作させるデータを与えることに関与する任意の媒体を指す。ＵＥ１００および／またはコンピュータシステム１３００を使用して実施される実施形態では、様々なコンピュータ可読媒体が、実行のために命令／コードをプロセッサ１１１、１３１０に提供することに関与し得、ならびに／または、（たとえば、信号のような）そのような命令／コードを記憶および／もしくは搬送するために使用され得る。多くの実装形態では、コンピュータ可読媒体は、物理的および／または有形の記憶媒体である。そのような媒体は、限定はしないが、不揮発性媒体、揮発性媒体、および伝送媒体を含む、多くの形態をとり得る。不揮発性媒体は、たとえば、記憶デバイス１４０、１３２５などの光ディスクおよび／または磁気ディスクを含む。揮発性媒体は、限定はしないが、作業メモリ１４０、１３３５などのダイナミックメモリを含む。伝送媒体は、限定はしないが、同軸ケーブル、バス１０１、１３０５を備えるワイヤを含む銅線および光ファイバー、ならびに通信サブシステム１３３０の様々な構成要素（および／または、通信サブシステム１３３０がそれによって他のデバイスとの通信を行う媒体）を含む。したがって、伝送媒体は、（限定はしないが、無線波データ通信中および赤外線データ通信中に生成されるものなどの、無線波、音響波、および／または光波を含む）波の形態をとることもできる。
【０１６８】
[00161]一実施形態によれば、サーバにおける方法は、測位支援データを備える、モバイルデバイスへの１つまたは複数のメッセージを送信すること、測位支援データが、ダウンリンク地上測位方法におけるダウンリンク信号の特性を測定することにおける、モバイルデバイスによる使用のためのものであり、複数のセルトランシーバを識別し、測位支援データが、複数のセルトランシーバのうちの少なくとも１つのための１つまたは複数の周波数誤差特性をさらに備える、を備える。この方法は、複数のセルトランシーバのうちの少なくとも１つのためのダウンリンク信号の測定された特性に基づく測定値を、モバイルデバイスから受信することと、測定値に少なくとも部分的に基づいて、モバイルデバイスの推定ロケーションを取得することとをさらに備え得る。特定の一実装形態では、ダウンリンク地上測位方法は、ロングタームエボリューション（ＬＴＥ）のための観測到着時間差（ＯＴＤＯＡ）方法を備え、ここにおいて、ダウンリンク信号は、測位基準信号（ＰＲＳ）を備える。別の特定の実装形態では、測定値は、基準信号時間差（ＲＳＴＤ）測定値を備える。別の特定の実装形態では、複数のセルトランシーバのうちの少なくとも１つのためのＰＲＳは、各ＰＲＳ測位機会において複数の２つ以上の連続サブフレームを備える。別の特定の実装形態では、複数のセルトランシーバのうちの少なくとも１つのための周波数誤差特性のうちの少なくとも１つは、予想キャリア周波数誤差を備える。別の特定の実装形態では、複数のセルトランシーバのうちの少なくとも１つのための周波数誤差特性のうちの少なくとも１つは、キャリア周波数誤差のクラスを備える。別の特定の実装形態では、複数のセルトランシーバのうちの少なくとも１つのための周波数誤差特性のうちの少なくとも１つは、基準セルトランシーバとしての適合性または不適合性の指示を備える。別の特定の実装形態では、１つまたは複数のメッセージは、ロングタームエボリューション（ＬＴＥ）測位プロトコル（ＬＰＰ）に従って送信される。
【０１６９】
[00162]一実施形態によれば、サーバは、通信サブシステムと、通信サブシステムに結合された１つまたは複数のプロセッサと、１つまたは複数のプロセッサが、測位支援データを備える、モバイルデバイスへの、通信サブシステムを通した１つまたは複数のメッセージの送信を開始すること、測位支援データが、ダウンリンク地上測位方法におけるダウンリンク信号の特性を測定することにおける、モバイルデバイスによる使用のためのものであり、複数のセルトランシーバを識別し、測位支援データが、複数のセルトランシーバのうちの少なくとも１つのための１つまたは複数の周波数誤差特性をさらに備える、を行うように構成される、を備える。特定の実装形態では、１つまたは複数のプロセッサは、モバイルデバイスから受信された測定値を取得することと、測定値が、複数のセルトランシーバのうちの少なくとも１つのためのダウンリンク信号の測定された特性に基づく、測定値に少なくとも部分的に基づいて、モバイルデバイスの推定ロケーションを取得することと、を行うようにさらに構成される。特定の一実装形態では、ダウンリンク地上測位方法は、ロングタームエボリューション（ＬＴＥ）のための観測到着時間差（ＯＴＤＯＡ）方法を備え、ここにおいて、ダウンリンク信号は、測位基準信号（ＰＲＳ）を備える。別の特定の実装形態では、測定値は、基準信号時間差（ＲＳＴＤ）測定値を備える。別の特定の実装形態では、複数のセルトランシーバのうちの少なくとも１つのためのＰＲＳは、各ＰＲＳ測位機会において複数の２つ以上の連続サブフレームを備える。別の特定の実装形態では、複数のセルトランシーバのうちの少なくとも１つのための周波数誤差特性のうちの少なくとも１つは、予想キャリア周波数誤差を備える。別の特定の実装形態では、複数のセルトランシーバのうちの少なくとも１つのための周波数誤差特性のうちの少なくとも１つは、キャリア周波数誤差のクラスを備える。別の特定の実装形態では、複数のセルトランシーバのうちの少なくとも１つのための周波数誤差特性のうちの少なくとも１つは、基準セルトランシーバとしての適合性または不適合性の指示を備える。別の特定の実装形態では、１つまたは複数のメッセージは、ロングタームエボリューション（ＬＴＥ）測位プロトコル（ＬＰＰ）に従って送信される。
【０１７０】
[00163]一実施形態によれば、記憶媒体は、測位支援データを備える、モバイルデバイスへの１つまたは複数の第１のメッセージの送信を開始すること、測位支援データが、ダウンリンク地上測位方法におけるダウンリンク信号の特性を測定することにおける、モバイルデバイスによる使用のためのものであり、複数のセルトランシーバを識別し、測位支援データが、複数のセルトランシーバのうちの少なくとも１つのための１つまたは複数の周波数誤差特性をさらに備える、を行うために、サーバの１つまたは複数のプロセッサによって実行可能である、その上に記憶されたコンピュータ可読命令を備える。特定の実装形態では、命令は、複数のセルトランシーバのうちの少なくとも１つのためのダウンリンク信号の測定された特性に基づく、モバイルデバイスから受信された測定値を取得することと、測定値に少なくとも部分的に基づいて、モバイルデバイスの推定ロケーションを取得することとを行うために、１つまたは複数のプロセッサによってさらに実行可能である。特定の一実装形態では、ダウンリンク地上測位方法は、ロングタームエボリューション（ＬＴＥ）のための観測到着時間差（ＯＴＤＯＡ）方法を備え、ここにおいて、ダウンリンク信号は、測位基準信号（ＰＲＳ）を備える。別の特定の実装形態では、測定値は、基準信号時間差（ＲＳＴＤ）測定値を備える。別の特定の実装形態では、複数のセルトランシーバのうちの少なくとも１つのためのＰＲＳは、各ＰＲＳ測位機会において複数の２つ以上の連続サブフレームを備える。別の特定の実装形態では、複数のセルトランシーバのうちの少なくとも１つのための周波数誤差特性のうちの少なくとも１つは、予想キャリア周波数誤差を備える。別の特定の実装形態では、複数のセルトランシーバのうちの少なくとも１つのための周波数誤差特性のうちの少なくとも１つは、キャリア周波数誤差のクラスを備える。別の特定の実装形態では、複数のセルトランシーバのうちの少なくとも１つのための周波数誤差特性のうちの少なくとも１つは、基準セルトランシーバとしての適合性または不適合性の指示を備える。別の特定の実装形態では、１つまたは複数のメッセージは、ロングタームエボリューション（ＬＴＥ）測位プロトコル（ＬＰＰ）に従って送信される。
【０１７１】
[00164]一実施形態によれば、サーバは、測位支援データを備える、モバイルデバイスへの１つまたは複数のメッセージを送信するための手段、測位支援データが、ダウンリンク地上測位方法におけるダウンリンク信号の特性を測定することにおける、モバイルデバイスによる使用のためのものであり、複数のセルトランシーバを識別し、測位支援データが、複数のセルトランシーバのうちの少なくとも１つのための１つまたは複数の周波数誤差特性をさらに備える、を備える。特定の実装形態では、サーバは、複数のセルトランシーバのうちの少なくとも１つのためのダウンリンク信号の測定された特性に基づく測定値を、モバイルデバイスから受信するための手段と、測定値に少なくとも部分的に基づいて、モバイルデバイスの推定ロケーションを取得するための手段とをさらに備える。特定の一実装形態では、ダウンリンク地上測位方法は、ロングタームエボリューション（ＬＴＥ）のための観測到着時間差（ＯＴＤＯＡ）方法を備え、ここにおいて、ダウンリンク信号は、測位基準信号（ＰＲＳ）を備える。別の特定の実装形態では、測定値は、基準信号時間差（ＲＳＴＤ）測定値を備える。別の特定の実装形態では、複数のセルトランシーバのうちの少なくとも１つのためのＰＲＳは、各ＰＲＳ測位機会において複数の２つ以上の連続サブフレームを備える。別の特定の実装形態では、複数のセルトランシーバのうちの少なくとも１つのための周波数誤差特性のうちの少なくとも１つは、予想キャリア周波数誤差を備える。別の特定の実装形態では、複数のセルトランシーバのうちの少なくとも１つのための周波数誤差特性のうちの少なくとも１つは、キャリア周波数誤差のクラスを備える。別の特定の実装形態では、複数のセルトランシーバのうちの少なくとも１つのための周波数誤差特性のうちの少なくとも１つは、基準セルトランシーバとしての適合性または不適合性の指示を備える。別の特定の実装形態では、１つまたは複数のメッセージは、ロングタームエボリューション（ＬＴＥ）測位プロトコル（ＬＰＰ）に従って送信される。
【０１７２】
[00165]物理的および／または有形のコンピュータ可読媒体の一般の形態は、たとえば、フロッピー（登録商標）ディスク、フレキシブルディスク、ハードディスク、磁気テープ、または任意の他の磁気媒体、ＣＤ−ＲＯＭ、Ｂｌｕ−Ｒａｙ（登録商標）ディスク、任意の他の光媒体、パンチカード、紙テープ、穴のパターンを有する任意の他の物理媒体、ＲＡＭ、ＰＲＯＭ、ＥＰＲＯＭ、ＦＬＡＳＨ−ＥＰＲＯＭ、任意の他のメモリチップまたはカートリッジ、以下で説明されるような搬送波、あるいはコンピュータが命令および／またはコードをそこから読み取ることができる任意の他の媒体を含む。
【０１７３】
[00166]コンピュータ可読媒体の様々な形態は、実行のために１つまたは複数の命令の１つまたは複数のシーケンスをプロセッサ１１１、１３１０に搬送することに関与し得る。単に例として、命令は、最初に、リモートコンピュータの磁気ディスクおよび／または光ディスク上で搬送され得る。リモートコンピュータは、そのダイナミックメモリに命令をロードし得、ＵＥ１００および／またはコンピュータシステム１３００によって受信および／または実行されるように伝送媒体を介して信号として命令を送り得る。電磁信号、音響信号、光信号などの形態であり得るこれらの信号は、すべて、本発明の様々な実施形態による、命令がその上で符号化され得る搬送波の例である。
【０１７４】
[00167]上記で説明された方法、システム、およびデバイスは例である。様々な代替構成は、様々な手順または構成要素を、適宜に省略、置換、または追加し得る。たとえば、代替方法では、段階は、上記の説明とは異なる順序で実行され得、様々な段階が追加、省略、または組み合わせられ得る。また、いくつかの構成に関して説明された特徴は、様々な他の構成において組み合わせられ得る。構成の異なる態様および要素が、同様にして組み合わせられ得る。また、技術は発展し、したがって、要素の多くは例であり、本開示または特許請求の範囲を限定しない。
【０１７５】
[00168]説明では、（実装形態を含む）例示的な構成の完全な理解を与えるように、具体的な詳細が与えられる。しかしながら、構成はこれらの具体的な詳細を伴わずに実践され得る。たとえば、構成を不明瞭にすることを避けるために、よく知られている回路、プロセス、アルゴリズム、構造、および技法は、不要な詳細を伴わずに示されている。この説明は、例示的な構成を与えるにすぎず、特許請求の範囲の範囲、適用性、または構成を限定しない。そうではなく、構成の上記の説明は、説明された技法を実装することを可能にする説明を当業者に与えるものである。本開示の趣旨または範囲から逸脱することなく、要素の機能および構成において様々な変更が行われ得る。
【０１７６】
[00169]構成は、フロー図またはブロック図として示されるプロセスとして説明されることがある。各々は動作を逐次プロセスとして説明することがあるが、動作の多くは並行してまたは同時に実行され得る。さらに、動作の順序は並べ替えられ得る。プロセスは、図に含まれない追加のステップを有してよい。さらに、方法の例は、ハードウェア、ソフトウェア、ファームウェア、ミドルウェア、マイクロコード、ハードウェア記述言語、またはそれらの任意の組合せによって実装され得る。ソフトウェア、ファームウェア、ミドルウェア、またはマイクロコードで実装されるとき、必要なタスクを実行するためのプログラムコードまたはコードセグメントは、記憶媒体などの非一時的コンピュータ可読媒体に記憶され得る。プロセッサは、説明されたタスクを実行し得る。
【０１７７】
[00170]特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）、あるいは２つ以上の特徴をもつ組合せ（たとえば、ＡＡ、ＡＡＢ、ＡＢＢＣなど）を意味するような、選言的列挙を示す。
【０１７８】
[00171]特許請求の範囲を含めて、本明細書で使用される場合、別段に明記されていない限り、機能または動作が項目または状態「に基づく」という文は、その機能または動作が、述べられた項目または状態に基づき、述べられた項目または状態に加えて１つまたは複数の項目および／または状態に基づき得ることを意味する。
【０１７９】
[00172]いくつかの例示的な構成について説明したが、本開示の趣旨から逸脱することなく、様々な修正、代替構成、および均等物が使用され得る。たとえば、上記の要素は、より大きいシステムの構成要素であり得、ここにおいて、他のルールが、本発明の適用例よりも優先するかまたはさもなければ本発明の適用例を変更し得る。また、上記の要素が考慮される前に、考慮されている間に、または考慮された後に、いくつかのステップが行われ得る。したがって、上記の説明は特許請求の範囲を限定しない。
【図１】
2018525943.tif 000029
【図２】
2018525943.tif 000030
【図３】
2018525943.tif 000031
【図４】
2018525943.tif 000032
【図５】
2018525943.tif 000033
【図６】
2018525943.tif 000034
【図７】
2018525943.tif 000035
【図８】
2018525943.tif 000036
【図９Ａ】
2018525943.tif 000037
【図９Ｂ】
2018525943.tif 000038
【図９Ｃ】
2018525943.tif 000039
【図１０】
2018525943.tif 000040
【図１１】
2018525943.tif 000041
【図１２】
2018525943.tif 000042
【図１３】
2018525943.tif 000043
【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
モバイルデバイスにおける方法であって、
ダウンリンク地上測位方法のための測位支援データを備える、サーバからの１つまたは複数のメッセージを取得することと、前記測位支援データが複数のセルトランシーバを識別し、前記測位支援データが、前記複数のセルトランシーバのうちの少なくとも１つのための１つまたは複数の周波数誤差特性をさらに備える、
前記ダウンリンク地上測位方法に従って、前記複数のセルトランシーバのうちの少なくとも１つのためのダウンリンク信号の特性を測定するために、前記周波数誤差特性のうちの少なくとも１つに基づいて、コヒーレント積分の使用を決定することと
を備える方法。
【請求項２】
前記コヒーレント積分の使用に少なくとも部分的に基づいて、前記ダウンリンク信号の前記特性を測定すること
をさらに備える、請求項１に記載の方法。
【請求項３】
前記複数のセルトランシーバのうちの前記少なくとも１つのための前記ダウンリンク信号の前記特性を測定することが、
１つまたは複数のコヒーレント積分結果を取得することと、ここにおいて、各コヒーレント積分結果が、前記コヒーレント積分の使用に従って、前記複数のセルトランシーバのうちの前記少なくとも１つのための前記ダウンリンク信号の連続サンプルをコヒーレント積分することによって取得される、
コヒーレント積分結果の数が１である場合、１つのコヒーレント積分結果を測定することと、
前記１つまたは複数のコヒーレント積分結果の数が１を超える場合、前記１つまたは複数のコヒーレント積分結果の結合を測定することと、ここにおいて、前記１つまたは複数のコヒーレント積分結果の前記結合が、非コヒーレント積分を使用して決定される
を備える、請求項２に記載の方法。
【請求項４】
前記コヒーレント積分の使用に従って、前記複数のセルトランシーバのうちの前記少なくとも１つのための前記ダウンリンク信号の連続サンプルを前記コヒーレント積分するための、周波数ソースを決定すること、ここにおいて、前記周波数ソースが、前記複数のセルトランシーバのうちの１つを備え、前記周波数ソースが、前記周波数ソースのための周波数誤差特性に少なくとも部分的に基づいて決定される
をさらに備える、請求項３に記載の方法。
【請求項５】
前記複数のセルトランシーバのうちの前記少なくとも１つのための前記ダウンリンク信号の前記測定された特性に少なくとも部分的に基づいて、前記モバイルデバイスの推定ロケーションを取得すること
をさらに備える、請求項４に記載の方法。
【請求項６】
前記ダウンリンク地上測位方法が、ロングタームエボリューション（ＬＴＥ）のための観測到着時間差（ＯＴＤＯＡ）方法を備え、ここにおいて、前記ダウンリンク信号が、測位基準信号（ＰＲＳ）を備える、請求項４に記載の方法。
【請求項７】
前記複数のセルトランシーバのうちの前記少なくとも１つのための前記ＰＲＳが、各ＰＲＳ測位機会において複数の２つ以上の連続サブフレームを備える、請求項６に記載の方法。
【請求項８】
前記コヒーレント積分の使用を決定することが、ＰＲＳ測位機会のためのコヒーレント積分のための連続サブフレームの最大数を決定することを備える、請求項６に記載の方法。
【請求項９】
前記支援データが、第１の基準セルトランシーバのための識別子をさらに備え、前記方法が、
第２の基準セルトランシーバを決定すること、ここにおいて、前記第２の基準セルトランシーバが、前記第１の基準セルトランシーバ、または前記複数のセルトランシーバ内の別のセルトランシーバのいずれかであり、ここにおいて、前記第２の基準セルトランシーバが前記第１の基準セルトランシーバとは異なる場合、前記第２の基準セルトランシーバの前記決定が、前記第２の基準セルトランシーバのための周波数誤差特性に少なくとも部分的に基づき、ここにおいて、前記支援データが、前記第２の基準セルトランシーバのための前記周波数誤差特性を備える
をさらに備える、請求項６に記載の方法。
【請求項１０】
前記周波数ソースが、前記第２の基準セルトランシーバを備える、請求項９に記載の方法。
【請求項１１】
前記複数のセルトランシーバのうちの前記少なくとも１つのための前記１つまたは複数の周波数誤差特性のうちの少なくとも１つが、予想キャリア周波数誤差を備える、請求項１に記載の方法。
【請求項１２】
前記複数のセルトランシーバのうちの前記少なくとも１つのための前記１つまたは複数の周波数誤差特性のうちの少なくとも１つが、キャリア周波数誤差のクラスを備える、請求項１に記載の方法。
【請求項１３】
モバイルデバイスであって、
ワイヤレス通信ネットワークにメッセージを送信し、前記ワイヤレス通信ネットワークからメッセージを受信するためのワイヤレストランシーバと、
前記ワイヤレストランシーバに結合され、
ダウンリンク地上測位方法のための測位支援データを備える、サーバから前記ワイヤレストランシーバにおいて受信された１つまたは複数のメッセージを取得することと、前記測位支援データが複数のセルトランシーバを識別し、前記測位支援データが、前記複数のセルトランシーバのうちの少なくとも１つのための１つまたは複数の周波数誤差特性をさらに備える、
前記ダウンリンク地上測位方法に従って、前記複数のセルトランシーバのうちの少なくとも１つのためのダウンリンク信号の特性を測定するために、前記周波数誤差特性のうちの少なくとも１つに基づいて、コヒーレント積分の使用を決定することと
を行うように構成されたプロセッサと
を備えるモバイルデバイス。
【請求項１４】
前記プロセッサが、前記決定されたコヒーレント積分の使用に基づいて、前記ダウンリンク信号の前記特性を測定するようにさらに構成される、請求項１３に記載のモバイルデバイス。
【請求項１５】
前記プロセッサが、
１つまたは複数のコヒーレント積分結果を取得することと、ここにおいて、各コヒーレント積分結果が、前記コヒーレント積分の使用に従って、前記複数のセルトランシーバのうちの前記少なくとも１つのための前記ダウンリンク信号の連続サンプルをコヒーレント積分することによって取得される、
コヒーレント積分結果の数が１である場合、１つのコヒーレント積分結果を測定することと、
前記１つまたは複数のコヒーレント積分結果の数が１を超える場合、前記１つまたは複数のコヒーレント積分結果の結合を測定することと、ここにおいて、前記１つまたは複数のコヒーレント積分結果の前記結合が、非コヒーレント積分を使用して決定される
を行うようにさらに構成される、請求項１４に記載のモバイルデバイス。
【請求項１６】
前記プロセッサが、
前記複数のセルトランシーバのうちの前記少なくとも１つのための前記ダウンリンク信号の前記測定された特性に少なくとも部分的に基づく測定値を備える、前記サーバへの、前記ワイヤレストランシーバを通した１つまたは複数のメッセージの送信を開始すること、ここにおいて、前記サーバが、前記測定値に少なくとも部分的に基づいて、前記モバイルデバイスのためのロケーション推定値を決定することが可能である
を行うようにさらに構成される、請求項１４に記載のモバイルデバイス。
【請求項１７】
前記測定値が、基準信号時間差（ＲＳＴＤ）測定値を備える、請求項１６に記載のモバイルデバイス。
【請求項１８】
前記ダウンリンク地上測位方法が、ロングタームエボリューション（ＬＴＥ）のための観測到着時間差（ＯＴＤＯＡ）方法を備え、ここにおいて、前記ダウンリンク信号が、測位基準信号（ＰＲＳ）を備える、請求項１３に記載のモバイルデバイス。
【請求項１９】
前記複数のセルトランシーバのうちの前記少なくとも１つのための前記ＰＲＳが、各ＰＲＳ測位機会において複数の２つ以上の連続サブフレームを備える、請求項１８に記載のモバイルデバイス。
【請求項２０】
前記プロセッサが、ＰＲＳ測位機会のためのコヒーレント積分のための連続サブフレームの最大数の決定に基づいて、前記コヒーレント積分の使用を決定するようにさらに構成される、請求項１９に記載のモバイルデバイス。
【請求項２１】
前記支援データが、第１の基準セルトランシーバのための識別子をさらに備え、ここにおいて、前記プロセッサが、
第２の基準セルトランシーバを決定すること、ここにおいて、前記第２の基準セルトランシーバが、前記第１の基準セルトランシーバ、または前記複数のセルトランシーバ内の別のセルトランシーバのいずれかであり、ここにおいて、前記第２の基準セルトランシーバが前記第１の基準セルトランシーバとは異なる場合、前記第２の基準セルトランシーバの前記決定が、前記第２の基準セルトランシーバのための周波数誤差特性に少なくとも部分的に基づき、ここにおいて、前記支援データが、前記第２の基準セルトランシーバのための前記周波数誤差特性を備える
を行うようにさらに構成される、請求項１８に記載のモバイルデバイス。
【請求項２２】
前記プロセッサが、少なくとも部分的に、コヒーレント積分の最大時間期間を決定することによって、前記コヒーレント積分の使用を決定するようにさらに構成される、請求項１３に記載のモバイルデバイス。
【請求項２３】
前記複数のセルトランシーバのうちの前記少なくとも１つのための前記１つまたは複数の周波数誤差特性のうちの少なくとも１つが、基準セルトランシーバとしての前記複数のセルトランシーバのうちの前記少なくとも１つの適合性または不適合性の指示を備える、請求項１３に記載のモバイルデバイス。
【請求項２４】
前記１つまたは複数のメッセージが、ロングタームエボリューション（ＬＴＥ）測位プロトコル（ＬＰＰ）に従って取得される、請求項１３に記載のモバイルデバイス。
【請求項２５】
モバイルデバイスであって、
ダウンリンク地上測位方法のための測位支援データを備える、サーバからの１つまたは複数のメッセージを取得するための手段と、前記測位支援データが複数のセルトランシーバを識別し、前記測位支援データが、前記複数のセルトランシーバのうちの少なくとも１つのための１つまたは複数の周波数誤差特性をさらに備える、
前記ダウンリンク地上測位方法に従って、前記複数のセルトランシーバのうちの少なくとも１つのためのダウンリンク信号の特性を測定するために、前記周波数誤差特性のうちの少なくとも１つに基づいて、コヒーレント積分の使用を決定するための手段と
を備えるモバイルデバイス。
【請求項２６】
前記使用に基づいて、前記ダウンリンク信号の前記特性を測定するための手段
をさらに備える、請求項２５に記載のモバイルデバイス。
【請求項２７】
１つまたは複数のコヒーレント積分結果を取得するための手段と、ここにおいて、各コヒーレント積分結果が、前記コヒーレント積分の使用に従って、前記複数のセルトランシーバのうちの前記少なくとも１つのための前記ダウンリンク信号の連続サンプルをコヒーレント積分することによって取得される、
コヒーレント積分結果の数が１である場合、１つのコヒーレント積分結果を測定するための手段と、
前記１つまたは複数のコヒーレント積分結果の数が１を超える場合、前記１つまたは複数のコヒーレント積分結果の結合を測定するための手段と、ここにおいて、前記１つまたは複数のコヒーレント積分結果の前記結合が、非コヒーレント積分を使用して決定される
をさらに備える、請求項２６に記載のモバイルデバイス。
【手続補正２】
【補正対象書類名】明細書
【補正対象項目名】０１７９
【補正方法】変更
【補正の内容】
【０１７９】
[00172]いくつかの例示的な構成について説明したが、本開示の趣旨から逸脱することなく、様々な修正、代替構成、および均等物が使用され得る。たとえば、上記の要素は、より大きいシステムの構成要素であり得、ここにおいて、他のルールが、本発明の適用例よりも優先するかまたはさもなければ本発明の適用例を変更し得る。また、上記の要素が考慮される前に、考慮されている間に、または考慮された後に、いくつかのステップが行われ得る。したがって、上記の説明は特許請求の範囲を限定しない。
以下に、本願の出願当初の特許請求の範囲に記載された発明を付記する。
［Ｃ１］
モバイルデバイスにおける方法であって、
ダウンリンク地上測位方法のための測位支援データを備える、サーバからの１つまたは複数のメッセージを取得することと、前記測位支援データが複数のセルトランシーバを識別し、前記測位支援データが、前記複数のセルトランシーバのうちの少なくとも１つのための１つまたは複数の周波数誤差特性をさらに備える、
前記ダウンリンク地上測位方法に従って、前記複数のセルトランシーバのうちの少なくとも１つのためのダウンリンク信号の特性を測定するために、前記周波数誤差特性のうちの少なくとも１つに基づいて、コヒーレント積分の使用を決定することと
を備える方法。
［Ｃ２］
前記コヒーレント積分の使用に少なくとも部分的に基づいて、前記ダウンリンク信号の前記特性を測定すること
をさらに備える、Ｃ１に記載の方法。
［Ｃ３］
前記複数のセルトランシーバのうちの前記少なくとも１つのための前記ダウンリンク信号の前記特性を測定することが、
１つまたは複数のコヒーレント積分結果を取得することと、ここにおいて、各コヒーレント積分結果が、前記コヒーレント積分の使用に従って、前記複数のセルトランシーバのうちの前記少なくとも１つのための前記ダウンリンク信号の連続サンプルをコヒーレント積分することによって取得される、
コヒーレント積分結果の数が１である場合、１つのコヒーレント積分結果を測定することと、
前記１つまたは複数のコヒーレント積分結果の数が１を超える場合、前記１つまたは複数のコヒーレント積分結果の結合を測定することと、ここにおいて、前記１つまたは複数のコヒーレント積分結果の前記結合が、非コヒーレント積分を使用して決定される
を備える、Ｃ２に記載の方法。
［Ｃ４］
前記コヒーレント積分の使用に従って、前記複数のセルトランシーバのうちの前記少なくとも１つのための前記ダウンリンク信号の連続サンプルを前記コヒーレント積分するための、周波数ソースを決定すること、ここにおいて、前記周波数ソースが、前記複数のセルトランシーバのうちの１つを備え、前記周波数ソースが、前記周波数ソースのための周波数誤差特性に少なくとも部分的に基づいて決定される
をさらに備える、Ｃ３に記載の方法。
［Ｃ５］
前記複数のセルトランシーバのうちの前記少なくとも１つのための前記ダウンリンク信号の前記測定された特性に少なくとも部分的に基づいて、前記モバイルデバイスの推定ロケーションを取得すること
をさらに備える、Ｃ４に記載の方法。
［Ｃ６］
前記ダウンリンク地上測位方法が、ロングタームエボリューション（ＬＴＥ）のための観測到着時間差（ＯＴＤＯＡ）方法を備え、ここにおいて、前記ダウンリンク信号が、測位基準信号（ＰＲＳ）を備える、Ｃ４に記載の方法。
［Ｃ７］
前記複数のセルトランシーバのうちの前記少なくとも１つのための前記ＰＲＳが、各ＰＲＳ測位機会において複数の２つ以上の連続サブフレームを備える、Ｃ６に記載の方法。
［Ｃ８］
前記コヒーレント積分の使用を決定することが、ＰＲＳ測位機会のためのコヒーレント積分のための連続サブフレームの最大数を決定することを備える、Ｃ６に記載の方法。
［Ｃ９］
前記支援データが、第１の基準セルトランシーバのための識別子をさらに備え、前記方法が、
第２の基準セルトランシーバを決定すること、ここにおいて、前記第２の基準セルトランシーバが、前記第１の基準セルトランシーバ、または前記複数のセルトランシーバ内の別のセルトランシーバのいずれかであり、ここにおいて、前記第２の基準セルトランシーバが前記第１の基準セルトランシーバとは異なる場合、前記第２の基準セルトランシーバの前記決定が、前記第２の基準セルトランシーバのための周波数誤差特性に少なくとも部分的に基づき、ここにおいて、前記支援データが、前記第２の基準セルトランシーバのための前記周波数誤差特性を備える
をさらに備える、Ｃ６に記載の方法。
［Ｃ１０］
前記周波数ソースが、前記第２の基準セルトランシーバを備える、Ｃ９に記載の方法。
［Ｃ１１］
前記複数のセルトランシーバのうちの前記少なくとも１つのための前記１つまたは複数の周波数誤差特性のうちの少なくとも１つが、予想キャリア周波数誤差を備える、Ｃ１に記載の方法。
［Ｃ１２］
前記複数のセルトランシーバのうちの前記少なくとも１つのための前記１つまたは複数の周波数誤差特性のうちの少なくとも１つが、キャリア周波数誤差のクラスを備える、Ｃ１に記載の方法。
［Ｃ１３］
モバイルデバイスであって、
ワイヤレス通信ネットワークにメッセージを送信し、前記ワイヤレス通信ネットワークからメッセージを受信するためのワイヤレストランシーバと、
前記ワイヤレストランシーバに結合され、
ダウンリンク地上測位方法のための測位支援データを備える、サーバから前記ワイヤレストランシーバにおいて受信された１つまたは複数のメッセージを取得することと、前記測位支援データが複数のセルトランシーバを識別し、前記測位支援データが、前記複数のセルトランシーバのうちの少なくとも１つのための１つまたは複数の周波数誤差特性をさらに備える、
前記ダウンリンク地上測位方法に従って、前記複数のセルトランシーバのうちの少なくとも１つのためのダウンリンク信号の特性を測定するために、前記周波数誤差特性のうちの少なくとも１つに基づいて、コヒーレント積分の使用を決定することと
を行うように構成されたプロセッサと
を備えるモバイルデバイス。
［Ｃ１４］
前記プロセッサが、前記決定されたコヒーレント積分の使用に基づいて、前記ダウンリンク信号の前記特性を測定するようにさらに構成される、Ｃ１３に記載のモバイルデバイス。
［Ｃ１５］
前記プロセッサが、
１つまたは複数のコヒーレント積分結果を取得することと、ここにおいて、各コヒーレント積分結果が、前記コヒーレント積分の使用に従って、前記複数のセルトランシーバのうちの前記少なくとも１つのための前記ダウンリンク信号の連続サンプルをコヒーレント積分することによって取得される、
コヒーレント積分結果の数が１である場合、１つのコヒーレント積分結果を測定することと、
前記１つまたは複数のコヒーレント積分結果の数が１を超える場合、前記１つまたは複数のコヒーレント積分結果の結合を測定することと、ここにおいて、前記１つまたは複数のコヒーレント積分結果の前記結合が、非コヒーレント積分を使用して決定される
を行うようにさらに構成される、Ｃ１４に記載のモバイルデバイス。
［Ｃ１６］
前記プロセッサが、
前記複数のセルトランシーバのうちの前記少なくとも１つのための前記ダウンリンク信号の前記測定された特性に少なくとも部分的に基づく測定値を備える、前記サーバへの、前記ワイヤレストランシーバを通した１つまたは複数のメッセージの送信を開始すること、ここにおいて、前記サーバが、前記測定値に少なくとも部分的に基づいて、前記モバイルデバイスのためのロケーション推定値を決定することが可能である
を行うようにさらに構成される、Ｃ１４に記載のモバイルデバイス。
［Ｃ１７］
前記測定値が、基準信号時間差（ＲＳＴＤ）測定値を備える、Ｃ１６に記載のモバイルデバイス。
［Ｃ１８］
前記ダウンリンク地上測位方法が、ロングタームエボリューション（ＬＴＥ）のための観測到着時間差（ＯＴＤＯＡ）方法を備え、ここにおいて、前記ダウンリンク信号が、測位基準信号（ＰＲＳ）を備える、Ｃ１３に記載のモバイルデバイス。
［Ｃ１９］
前記複数のセルトランシーバのうちの前記少なくとも１つのための前記ＰＲＳが、各ＰＲＳ測位機会において複数の２つ以上の連続サブフレームを備える、Ｃ１８に記載のモバイルデバイス。
［Ｃ２０］
前記プロセッサが、ＰＲＳ測位機会のためのコヒーレント積分のための連続サブフレームの最大数の決定に基づいて、前記コヒーレント積分の使用を決定するようにさらに構成される、Ｃ１９に記載のモバイルデバイス。
［Ｃ２１］
前記支援データが、第１の基準セルトランシーバのための識別子をさらに備え、ここにおいて、前記プロセッサが、
第２の基準セルトランシーバを決定すること、ここにおいて、前記第２の基準セルトランシーバが、前記第１の基準セルトランシーバ、または前記複数のセルトランシーバ内の別のセルトランシーバのいずれかであり、ここにおいて、前記第２の基準セルトランシーバが前記第１の基準セルトランシーバとは異なる場合、前記第２の基準セルトランシーバの前記決定が、前記第２の基準セルトランシーバのための周波数誤差特性に少なくとも部分的に基づき、ここにおいて、前記支援データが、前記第２の基準セルトランシーバのための前記周波数誤差特性を備える
を行うようにさらに構成される、Ｃ１８に記載のモバイルデバイス。
［Ｃ２２］
前記プロセッサが、少なくとも部分的に、コヒーレント積分の最大時間期間を決定することによって、前記コヒーレント積分の使用を決定するようにさらに構成される、Ｃ１３に記載のモバイルデバイス。
［Ｃ２３］
前記複数のセルトランシーバのうちの前記少なくとも１つのための前記１つまたは複数の周波数誤差特性のうちの少なくとも１つが、基準セルトランシーバとしての前記複数のセルトランシーバのうちの前記少なくとも１つの適合性または不適合性の指示を備える、Ｃ１３に記載のモバイルデバイス。
［Ｃ２４］
前記１つまたは複数のメッセージが、ロングタームエボリューション（ＬＴＥ）測位プロトコル（ＬＰＰ）に従って取得される、Ｃ１３に記載のモバイルデバイス。
［Ｃ２５］
非一時的記憶媒体であって、
ダウンリンク地上測位方法のための測位支援データを備える、サーバから受信された１つまたは複数のメッセージを取得することと、前記測位支援データが複数のセルトランシーバを識別し、前記測位支援データが、前記複数のセルトランシーバのうちの少なくとも１つのための１つまたは複数の周波数誤差特性をさらに備える、
前記ダウンリンク地上測位方法に従って、前記複数のセルトランシーバのうちの少なくとも１つのためのダウンリンク信号の特性を測定するために、前記周波数誤差特性のうちの少なくとも１つに基づいて、コヒーレント積分の使用を決定することと
を行うために、モバイルデバイスのプロセッサによって実行可能である、その上に記憶されたコンピュータ可読命令を備える、非一時的記憶媒体。
［Ｃ２６］
前記命令が、前記使用に基づいて、前記ダウンリンク信号の前記特性を測定するために、前記プロセッサによってさらに実行可能である、Ｃ２５に記載の記憶媒体。
［Ｃ２７］
前記命令が、
１つまたは複数のコヒーレント積分結果を取得することと、ここにおいて、各コヒーレント積分結果が、前記コヒーレント積分の使用に従って、前記複数のセルトランシーバのうちの前記少なくとも１つのための前記ダウンリンク信号の連続サンプルをコヒーレント積分することによって取得される、
コヒーレント積分結果の数が１である場合、１つのコヒーレント積分結果を測定することと、
前記１つまたは複数のコヒーレント積分結果の数が１を超える場合、前記１つまたは複数のコヒーレント積分結果の結合を測定することと、ここにおいて、前記１つまたは複数のコヒーレント積分結果の前記結合が、非コヒーレント積分を使用して決定される
を行うために、前記プロセッサによってさらに実行可能である、Ｃ２６に記載の記憶媒体。
［Ｃ２８］
モバイルデバイスであって、
ダウンリンク地上測位方法のための測位支援データを備える、サーバからの１つまたは複数のメッセージを取得するための手段と、前記測位支援データが複数のセルトランシーバを識別し、前記測位支援データが、前記複数のセルトランシーバのうちの少なくとも１つのための１つまたは複数の周波数誤差特性をさらに備える、
前記ダウンリンク地上測位方法に従って、前記複数のセルトランシーバのうちの少なくとも１つのためのダウンリンク信号の特性を測定するために、前記周波数誤差特性のうちの少なくとも１つに基づいて、コヒーレント積分の使用を決定するための手段と
を備えるモバイルデバイス。
［Ｃ２９］
前記使用に基づいて、前記ダウンリンク信号の前記特性を測定するための手段
をさらに備える、Ｃ２８に記載のモバイルデバイス。
［Ｃ３０］
１つまたは複数のコヒーレント積分結果を取得するための手段と、ここにおいて、各コヒーレント積分結果が、前記コヒーレント積分の使用に従って、前記複数のセルトランシーバのうちの前記少なくとも１つのための前記ダウンリンク信号の連続サンプルをコヒーレント積分することによって取得される、
コヒーレント積分結果の数が１である場合、１つのコヒーレント積分結果を測定するための手段と、
前記１つまたは複数のコヒーレント積分結果の数が１を超える場合、前記１つまたは複数のコヒーレント積分結果の結合を測定するための手段と、ここにおいて、前記１つまたは複数のコヒーレント積分結果の前記結合が、非コヒーレント積分を使用して決定される
をさらに備える、Ｃ２９に記載のモバイルデバイス。
【国際調査報告】
2018525943.tif 000044
2018525943.tif 000045
2018525943.tif 000046